(57)【要約】      （修正有）【課題】無線送受信ユニット（ＷＴＲＵ）によって実行されるセルエッジ性能を改善するＣＳＩ−ＲＳ設定方法とその装置を提供する。【解決手段】通信システム１００における方法は、ＣＳＩ−ＲＳリソースの第１の構成を受信する。ＣＳＩ−ＲＳリソースの第１の構成は、物理ダウンリンク共有チャネル（ＰＤＳＣＨ）リソース要素当たりのエネルギー（ＥＰＲＥ）対第１のＮＺＰ  ＣＳＩ−ＲＳ  ＥＰＲＥの第１の仮定される比を示す。さらに、ＣＳＩ−ＲＳリソースの第２の構成を受信する。第２の構成は、ＰＤＳＣＨ  ＥＰＲＥ対第２のＮＺＰ  ＣＳＩ−ＲＳ  ＥＰＲＥの第２の仮定される比を示す。そして、第１の構成に関連付けられた第１の非周期的ＣＳＩ報告トリガーに応答して第１の非周期的ＣＳＩ報告を送り、第２の構成に関連付けられた第２の非周期的ＣＳＩ報告トリガーに応答して第２の非周期的ＣＳＩ報告を送る。【選択図】図１Ａ
2020129834.tif 000002
【特許請求の範囲】
【請求項１】
無線送受信ユニット（ＷＴＲＵ）であって、
メモリと、
プロセッサと
を備え、前記プロセッサは、少なくとも、
非ゼロ電力（ＮＺＰ）ＣＳＩ−ＲＳリソースの第１の構成とＣＳＩ干渉測定（ＣＳＩ−ＩＭ）リソースの第１の構成とを含むチャネル状態情報（ＣＳＩ）基準信号（ＣＳＩ−ＲＳ）リソースの第１の構成を受信し、ＣＳＩ−ＲＳリソースの前記第１の構成は、物理ダウンリンク共有チャネル（ＰＤＳＣＨ）リソース要素当たりのエネルギー（ＥＰＲＥ）対第１のＮＺＰ  ＣＳＩ−ＲＳ  ＥＰＲＥの第１の仮定される比を示し、
ＮＺＰ  ＣＳＩ−ＲＳリソースの第２の構成とＣＳＩ−ＩＭリソースの第２の構成とを含むＣＳＩ−ＲＳリソースの第２の構成を受信し、ＣＳＩ−ＲＳリソースの前記第２の構成は、ＰＤＳＣＨ  ＥＰＲＥ対第２のＮＺＰ  ＣＳＩ−ＲＳ  ＥＰＲＥの第２の仮定される比を示し、
ＣＳＩ−ＲＳリソースの前記第１の構成に関連付けられた第１の非周期的ＣＳＩ報告がトリガーされたという決定に応答して、ＣＳＩ−ＲＳリソースの前記第１の構成に関連付けられた前記第１の非周期的ＣＳＩ報告を送り、
ＣＳＩ−ＲＳリソースの前記第２の構成に関連付けられた第２の非周期的ＣＳＩ報告がトリガーされたという決定に応答して、ＣＳＩ−ＲＳリソースの前記第２の構成に関連付けられた前記第２の非周期的ＣＳＩ報告を送る
ように構成されたＷＴＲＵ。
【請求項２】
ＮＺＰ  ＣＳＩ−ＲＳリソースの前記第１の構成は、ＰＤＳＣＨ  ＥＰＲＥ対第１のＮＺＰ  ＣＳＩ−ＲＳ  ＥＰＲＥの前記第１の仮定される比をさらに備える、請求項１のＷＴＲＵ。
【請求項３】
ＮＺＰ  ＣＳＩ−ＲＳリソースの前記第２の構成は、ＰＤＳＣＨ  ＥＰＲＥ対第２のＮＺＰ  ＣＳＩ−ＲＳ  ＥＰＲＥの前記第２の仮定される比をさらに備える、請求項２のＷＴＲＵ。
【請求項４】
ＮＺＰ  ＣＳＩ−ＲＳリソースの前記第１の構成は、一組のリソース要素、周期性、およびオフセットをさらに備える、請求項２のＷＴＲＵ。
【請求項５】
ＣＳＩ−ＩＭリソースの前記第１の構成は、一組のリソース要素、周期性、およびオフセットをさらに備える、請求項１のＷＴＲＵ。
【請求項６】
前記プロセッサは、前記第１の非周期的ＣＳＩ報告がＣＳＩ−ＲＳリソースの前記第１の構成に対して構成された１つまたは複数の非周期的報告モードに従って決定されるようにさらに構成された、請求項１のＷＴＲＵ。
【請求項７】
前記プロセッサは、ランクインジケータ（ＲＩ）をＣＳＩ−ＲＳリソースの前記第１の構成に関連付けるようにさらに構成される、請求項１のＷＴＲＵ。
【請求項８】
前記プロセッサは、ＣＳＩ−ＲＳリソースの前記第１の構成とＣＳＩ−ＲＳリソースの前記第２の構成とに関連付けられた共通ＲＩ値を報告するようにさらに構成される、請求項７のＷＴＲＵ。
【請求項９】
無線送受信ユニット（ＷＴＲＵ）によって実行される方法であって、
前記ＷＴＲＵによって、非ゼロ電力（ＮＺＰ）ＣＳＩ−ＲＳリソースの第１の構成とＣＳＩ干渉測定（ＣＳＩ−ＩＭ）リソースの第１の構成とを含むチャネル状態情報（ＣＳＩ）基準信号（ＣＳＩ−ＲＳ）リソースの第１の構成を受信するステップであって、ＣＳＩ−ＲＳリソースの前記第１の構成は、物理ダウンリンク共有チャネル（ＰＤＳＣＨ）リソース要素当たりのエネルギー（ＥＰＲＥ）対第１のＮＺＰ  ＣＳＩ−ＲＳ  ＥＰＲＥの第１の仮定される比を示す、ステップと、
前記ＷＴＲＵによって、ＮＺＰ  ＣＳＩ−ＲＳリソースの第２の構成とＣＳＩ−ＩＭリソースの第２の構成とを含むＣＳＩ−ＲＳリソースの第２の構成を受信するステップであって、ＣＳＩ−ＲＳリソースの前記第２の構成は、ＰＤＳＣＨ  ＥＰＲＥ対第２のＮＺＰ  ＣＳＩ−ＲＳ  ＥＰＲＥの第２の仮定される比を示す、ステップと、
前記ＷＴＲＵによって、ＣＳＩ−ＲＳリソースの前記第１の構成に関連付けられた第１の非周期的ＣＳＩ報告がトリガーされたという決定に応答して、ＣＳＩ−ＲＳリソースの前記第１の構成に関連付けられた前記第１の非周期的ＣＳＩ報告を送るステップと、
前記ＷＴＲＵによって、ＣＳＩ−ＲＳリソースの前記第２の構成に関連付けられた第２の非周期的ＣＳＩ報告がトリガーされたという決定に応答して、ＣＳＩ−ＲＳリソースの前記第２の構成に関連付けられた前記第２の非周期的ＣＳＩ報告を送るステップと
を備える方法。
【請求項１０】
ＮＺＰ  ＣＳＩ−ＲＳリソースの前記第１の構成は、ＰＤＳＣＨ  ＥＰＲＥ対第１のＮＺＰ  ＣＳＩ−ＲＳ  ＥＰＲＥの前記第１の仮定される比をさらに備える、請求項９の方法。
【請求項１１】
ＮＺＰ  ＣＳＩ−ＲＳリソースの前記第２の構成は、ＰＤＳＣＨ  ＥＰＲＥ対第２のＮＺＰ  ＣＳＩ−ＲＳ  ＥＰＲＥの前記第２の仮定される比をさらに備える、請求項１０の方法。
【請求項１２】
ＮＺＰ  ＣＳＩ−ＲＳリソースの前記第１の構成は、一組のリソース要素、周期性、およびオフセットをさらに備える、請求項１０の方法。
【請求項１３】
ＣＳＩ−ＩＭリソースの前記第１の構成は、一組のリソース要素、周期性、およびオフセットをさらに備える、請求項９の方法。
【請求項１４】
ＣＳＩ−ＲＳリソースの前記第１の構成に関連付けられた第１の非周期的ＣＳＩ報告がトリガーされたという前記決定は、ＣＳＩ−ＲＳリソースの前記第１の構成に対して構成された１つまたは複数の非周期的報告モードを使用することを備える、請求項９の方法。
【請求項１５】
前記方法は、ランクインジケータ（ＲＩ）をＣＳＩ−ＲＳリソースの前記第１の構成に関連付けるステップをさらに備える、請求項９の方法。
【請求項１６】
前記方法は、ＣＳＩ−ＲＳリソースの前記第１の構成とＣＳＩ−ＲＳリソースの前記第２の構成とに関連付けられた共通ＲＩ値を報告するステップをさらに備える、請求項１５の方法。
【請求項１７】
無線送受信ユニット（ＷＴＲＵ）であって、
メモリと、
プロセッサと
を備え、前記プロセッサは、少なくとも、
非ゼロ電力（ＮＺＰ）ＣＳＩ−ＲＳリソースの第１の構成とＣＳＩ干渉測定（ＣＳＩ−ＩＭ）リソースの第１の構成とを含むチャネル状態情報（ＣＳＩ）基準信号（ＣＳＩ−ＲＳ）リソースの第１の構成を受信し、ＮＺＰ  ＣＳＩ−ＲＳリソースの前記第１の構成は、物理ダウンリンク共有チャネル（ＰＤＳＣＨ）リソース要素当たりのエネルギー（ＥＰＲＥ）対第１のＮＺＰ  ＣＳＩ−ＲＳ  ＥＰＲＥの第１の仮定される比を備え、
ＮＺＰ  ＣＳＩ−ＲＳリソースの第２の構成とＣＳＩ−ＩＭリソースの第２の構成とを含むＣＳＩ−ＲＳリソースの第２の構成を受信し、ＮＺＰ  ＣＳＩ−ＲＳリソースの前記第２の構成は、ＰＤＳＣＨ  ＥＰＲＥ対第２のＮＺＰ  ＣＳＩ−ＲＳ  ＥＰＲＥの第２の仮定される比を備え、
ＣＳＩ−ＲＳリソースの前記第１の構成に関連付けられた第１の非周期的ＣＳＩ報告がトリガーされたという決定に応答して、ＣＳＩ−ＲＳリソースの前記第１の構成に関連付けられた前記第１の非周期的ＣＳＩ報告を送り、
ＣＳＩ−ＲＳリソースの前記第２の構成に関連付けられた第２の非周期的ＣＳＩ報告がトリガーされたという決定に応答して、ＣＳＩ−ＲＳリソースの前記第２の構成に関連付けられた前記第２の非周期的ＣＳＩ報告を送る
ように構成されたＷＴＲＵ。
【請求項１８】
ＮＺＰ  ＣＳＩ−ＲＳリソースの前記第１の構成は、一組のリソース要素、周期性、およびオフセットをさらに備える、請求項１７のＷＴＲＵ。
【請求項１９】
ＣＳＩ−ＩＭリソースの前記第１の構成は、一組のリソース要素、周期性、およびオフセットをさらに備える、請求項１７のＷＴＲＵ。
【請求項２０】
前記プロセッサは、前記第１の非周期的ＣＳＩ報告がＣＳＩ−ＲＳリソースの前記第１の構成に対して構成された１つまたは複数の非周期的報告モードに従って決定されるようにさらに構成された、請求項１７のＷＴＲＵ。
【発明の詳細な説明】
【技術分野】
【０００１】
本発明は、複数の送信ポイントのチャネル状態情報（ＣＳＩ）の通信に関する。
【背景技術】
【０００２】
関連出願の相互参照
本出願は、２０１２年６月４日に出願された、「COMMUNICATING CHANNEL STATE INFORMATION (CSI) OF MULTIPLE TRANSMISSION POINTS」と題する、米国特許仮出願第61/655,359号、および２０１２年８月１日に出願された、「COMMUNICATING CHANNEL STATE INFORMATION (CSI) OF MULTIPLE TRANSMISSION POINTS」と題する、米国特許仮出願第61/678,559号の利益を主張し、両出願の開示は、それぞれ、その全体が、あらゆる目的で、参照により本明細書に組み込まれる。
【０００３】
無線通信システムは、システムの平均セルスループットおよび／またはセルエッジスループットに基づいて評価され得る。セルエッジユーザは、低い受信信号強度を経験し得、セルエッジ性能は、セル間干渉（ＩＣＩ）によって影響され得る。これは、１のまたは１に近い周波数再利用率で動作するように設計されたシステムに対して当てはまり得る。そのような周波数再利用は、多くのまたはすべてのセルが多くのまたはすべての時間リソースおよび周波数リソース上で同時に送信し得るので、システムが干渉制約されるようになり得ることを暗示し得る。加えて、電力引き上げは、サービングセル信号強度と干渉信号強度の両方を増加させ得るので、セルエッジ性能を改善し得ない。
【先行技術文献】
【非特許文献】
【０００４】
【非特許文献１】３ＧＰＰ  ＴＳ  ３６．２１３
【発明の概要】
【０００５】
説明的な実施形態についての詳細な説明が、様々な図を参照しながら今から行われる。この説明は、可能な実施の詳細な例を提供するが、細部は、例示的なものであることが意図されており、本出願の範囲を限定することは決して意図されていないことに留意されたい。本明細書で使用される場合、冠詞「ａ」は、さらなる修飾または特徴付けがなされない限り、例えば、「１または複数」または「少なくとも１つ」を意味すると理解され得る。
【０００６】
実施形態は、送信状態またはＣＳＩプロセスを通信するための方法およびシステムを企図している。例えば、送信状態またはＣＳＩプロセスを決定するための方法は、少なくとも１つの送信状態またはＣＳＩプロセスパラメータをチャネル状態情報（ＣＳＩ）に適用することを含み得る。方法は、送信状態またはＣＳＩプロセス、およびそれに適用される少なくとも１つの送信状態またはＣＳＩプロセスパラメータに基づいて、ＣＳＩを報告すること、ならびに補正率を少なくとも１つの送信状態またはＣＳＩプロセスに適用することも含み得る。
【０００７】
実施形態は、少なくとも部分的に、１または複数の送信ポイントを識別するように構成され得る、無線送受信デバイス（ＷＴＲＵ）を企図している。１または複数の送信ポイントは、チャネル状態情報（ＣＳＩ）報告のために構成され得る。ＷＴＲＵは、１または複数の送信ポイントに対するＣＳＩを生成するようにさらに構成され得る。また、ＷＴＲＵは、ＷＴＲＵと通信する１または複数のノードにＣＳＩを送信するように構成され得る。実施形態は、１または複数の送信ポイントが、ＷＴＲＵと通信する少なくとも１つのアンテナポートを含み得ることを企図している。実施形態は、１または複数の送信ポイントが、ＣＳＩ基準信号（ＣＳＩ−ＲＳ）リソースであり得ることも企図している。
【０００８】
実施形態は、無線送受信ユニット（ＷＴＲＵ）によって実行され得る１または複数の方法を企図している。１または複数の実施形態は、Ｋ個の送信ポイントを識別することを含み得、Ｋ個の送信ポイントは、チャネル状態情報（ＣＳＩ）報告のために構成され得、Ｋは、整数とし得る。実施形態は、Ｋ個の送信ポイントの１または複数に対するＣＳＩを生成することをさらに含み得る。加えて、実施形態は、ＷＴＲＵと通信する１または複数のノードにＣＳＩを送信することを含み得る。また、実施形態は、Ｋ個の送信ポイントによってそれぞれ送信され得る、ＣＳＩ基準信号（ＣＳＩ−ＲＳ）または共通基準信号（ＣＲＳ）の少なくとも一方を受信することを含み得る。実施形態は、少なくとも部分的に、受信されたＣＳＩ−ＲＳまたはＣＲＳに基づいて、Ｋ個の送信ポイントを識別することを含み得る。１または複数の実施形態では、ＣＳＩの生成は、Ｋ個の送信ポイントの１または複数についてのジョイントランク表示またはポイント毎ランク表示の少なくとも一方を生成することを含み得る。１または複数の実施形態では、ＣＳＩの生成は、ジョイントチャネル品質インデックス（ＣＱＩ）を生成することを含み得、ジョイントＣＱＩは、Ｋ個の送信ポイントの１または複数の上でのジョイント送信に対応し得る。
【０００９】
実施形態は、少なくとも部分的に、１または複数の送信ポイントを識別するように構成され得る、無線送受信デバイス（ＷＴＲＵ）を企図しており、１または複数の送信ポイントは、チャネル状態情報（ＣＳＩ）報告のために構成され得る。ＷＴＲＵは、１または複数の送信ポイントについての送信状態またはＣＳＩプロセスを決定するように構成され得る。ＷＴＲＵは、１または複数の送信ポイントに対するＣＳＩを生成するように構成され得る。ＷＴＲＵは、１または複数の送信ポイントそれぞれについての送信状態またはＣＳＩプロセスの表示を受信するようにさらに構成され得、送信状態またはＣＳＩプロセスの表示は、例えば、送信状態、干渉状態、ブランク状態、または未知状態のうちの１または複数を含み得る。ＷＴＲＵは、１または複数の送信ポイントについての決定された送信状態またはＣＳＩプロセスを、１または複数の送信ポイントについての事前決定された遷移状態またはＣＳＩプロセスと比較するようにさらに構成され得る。ＷＴＲＵは、１または複数の送信ポイントそれぞれの送信状態またはＣＳＩプロセスが、事前決定された送信状態またはＣＳＩプロセスにある場合、ＷＴＲＵと通信する１または複数のノードに、１または複数の送信ポイントそれぞれに対するＣＳＩを送信するようにも構成され得る。
【００１０】
実施形態は、複数の送信状態またはＣＳＩケースもしくはＣＳＩプロセスについてのＣＱＩを計算するようにＷＴＲＵを構成するための１または複数の方法を企図している。実施形態は、ＣｏＭＰリソース管理セット内の非ゼロ電力チャネル状態情報基準信号（ＮＺＰ  ＣＳＩ−ＲＳ）を、ＣｏＭＰ測定セット内のＮＺＰ  ＣＳＩ−ＲＳに結び付けるための１または複数の方法を企図している。実施形態は、フォールバック、デフォルト、および／または最高プライオリティについて、プライマリ送信状態またはＣＳＩケースもしくはＣＳＩプロセスを用いてＷＴＲＵを構成するための１または複数の方法も企図している。実施形態は、複数のＣＳＩプロセスのＣＳＩフィードバックおよびＡ／Ｎのために、物理アップリンク制御チャネル（ＰＵＣＣＨ）フォーマット３リソースを選択するための１または複数の方法も企図している。さらに、実施形態は、アップリンク（ＵＬ）干渉を制限するために、協調外クラスタポイントについての測定報告をトリガーするための１または複数の方法を企図している。
【００１１】
実施形態は、プロセッサを備え得る無線送受信ユニット（ＷＴＲＵ）を企図している。プロセッサは、１または複数のチャネル状態情報（ＣＳＩ）プロセスを用いて構成され得る。プロセッサは、ＣＳＩ要求フィールド内の表示を受け取るように構成され得る。表示は、１または複数のＣＳＩプロセスのうちの少なくとも１つを示し得る。プロセッサは、１または複数のＣＳＩプロセスのうちの少なくとも１つに対応する、周期的報告および／または非周期的報告を生成するようにも構成され得る。プロセッサは、物理アップリンク共有チャネル（ＰＵＳＣＨ）を介して周期的報告および／または非周期的報告を送信するようにも構成され得る。
【００１２】
実施形態は、無線送受信ユニット（ＷＴＲＵ）を企図している。ＷＴＲＵは、１または複数のサービングセルと通信し得る。ＷＴＲＵは、プロセッサを備え得る。プロセッサは、１または複数のサービングセルの各々についての１または複数のチャネル状態情報（ＣＳＩ）プロセスを用いて構成され得る。プロセッサは、１組のサブフレームについての期間を用いて構成され得る。また、プロセッサは、１組のサブフレームについてのオフセットを用いて構成され得る。プロセッサは、１または複数のＣＳＩプロセスのうちの第１のＣＳＩプロセス、および１または複数のサービングセルのうちの第１のサービングセルに対応する、第１の周期的報告および／または第１の非周期的報告を生成するように構成され得る。さらに、プロセッサは、物理アップリンク制御チャネル（ＰＵＣＣＨ）または物理アップリンク共有チャネル（ＰＵＳＣＨ）の少なくとも一方を含む物理チャネルを介して、１組のサブフレーム上で、第１の周期的報告および／または第１の非周期的報告を送信するように構成され得る。
【００１３】
実施形態は、プロセッサを備え得る、無線送受信ユニット（ＷＴＲＵ）を企図している。プロセッサは、少なくとも、１または複数のチャネル状態情報（ＣＳＩ）プロセスを用いて構成され得る。プロセッサは、１または複数のＣＳＩプロセスのうちの第１のＣＳＩプロセスに関連付けられるランクインジケータ（ＲＩ）を用いても構成され得る。ＲＩは、第１のＣＳＩプロセスに加えて、１または複数のＣＳＩプロセスにも関連付けられるように構成可能とし得る。プロセッサは、少なくとも、ＲＩを少なくとも第２のＣＳＩプロセスに関連付けるように構成され得る。プロセッサは、共通ＲＩ値を報告するように構成され得る。共通ＲＩ値は、第１のＣＳＩプロセスと少なくとも第２のＣＳＩプロセスとに関連付けられるＲＩとし得る。
【００１４】
実施形態は、無線送受信ユニット（ＷＴＲＵ）を企図している。ＷＴＲＵは、プロセッサを備え得る。プロセッサは、１または複数のチャネル状態情報（ＣＳＩ）プロセスを用いて構成され得る。プロセッサは、１または複数のＣＳＩプロセスに対応する１または複数のタイプのフィードバック報告を用いても構成され得る。プロセッサは、１または複数のＣＳＩプロセスのうちの第１のＣＳＩプロセスに対応する、第１の周期的報告および／または第１の非周期的報告を生成するように構成され得る。第１の周期的報告および／または第１の非周期的報告は、１または複数の報告タイプのうちのランクインジケータ（ＲＩ）報告タイプにも対応し得る。プロセッサは、１または複数のＣＳＩプロセスのうちの第２のＣＳＩプロセスに対応する、第２の周期的報告および／または第２の非周期的報告を生成するように構成され得る。第２の周期的報告および／または第２の非周期的報告は、１または複数の報告タイプのうちのＲＩ報告タイプに対応し得る。プロセッサは、第１の周期的報告および／または第１の非周期的報告、ならびに第２の周期的報告および／または第２の非周期的報告を送信するようにも構成され得る。プロセッサは、第１の周期的報告および／または第１の非周期的報告と、第２の周期的報告および／または第２の非周期的報告との間で衝突が生じた場合、第１の周期的報告および／もしくは第１の非周期的報告、または第２の周期的報告および／もしくは第２の非周期的報告の一方を廃棄するようにも構成され得る。第１の周期的報告および／または第１の非周期的報告、ならびに第２の周期的報告および／または第２の非周期的報告は、第１の周期的報告および／または第１の非周期的報告と、第２の周期的報告および／または第２の非周期的報告との両方に適用可能なＲＩ値を含み得る。
【００１５】
実施形態は、プロセッサを備え得る、無線送受信ユニット（ＷＴＲＵ）を企図している。プロセッサは、少なくとも、１または複数のチャネル状態情報（ＣＳＩ）プロセスを用いて構成され得る。プロセッサは、少なくとも、１もしくは複数のＣＳＩプロセスの各々についての物理ダウンリンク共有チャネル（ＰＤＳＣＨ）送信電力、または１もしくは複数のＣＳＩプロセスの各々に対する、ＰＤＳＣＨリソース要素当たりのエネルギー（ＥＰＲＥ：ｅｎｅｒｇｙ  ｐｅｒ  ｒｅｓｏｕｒｃｅ  ｅｌｅｍｅｎｔ）対ＣＳＩ  ＥＰＲＥの異なる比のうちの少なくとも一方を仮定するように構成され得る。
【００１６】
実施形態は、ｅｖｏｌｖｅｄノードＢ（ｅＮＢ）を企図しており、ｅＮＢは、無線送受信ユニット（ＷＴＲＵ）と通信し得る。ｅＮＢは、プロセッサを備え得る。プロセッサは、ＷＴＲＵに構成を提供するように構成され得る。構成は、１または複数のチャネル状態情報（ＣＳＩ）プロセスを含み得る。構成は、ＣＳＩ要求フィールドも含み得る。ＣＳＩ要求フィールドに関連付けられた表示は、１または複数のＣＳＩプロセスのうちの少なくとも１つを示し得る。プロセッサは、１または複数のＣＳＩプロセスのうちの少なくとも１つに対応する周期的報告および／または非周期的報告を、物理アップリンク共有チャネル（ＰＵＳＣＨ）を介して、ＷＴＲＵから受信するようにも構成され得る。
【００１７】
実施形態は、無線送受信ユニット（ＷＴＲＵ）と通信し得る、ｅｖｏｌｖｅｄノードＢ（ｅＮＢ）を企図している。ＷＴＲＵは、１または複数のサービングセルと通信し得る。ｅＮＢは、プロセッサを備え得る。プロセッサは、ＷＴＲＵに構成を提供するように構成され得る。構成は、１または複数のサービングセルの各々についての１または複数のチャネル状態情報（ＣＳＩ）プロセスを含み得る。構成は、１組のサブフレームについての期間を含み得る。構成は、１組のサブフレームについてのオフセットも含み得る。プロセッサは、１または複数のＣＳＩプロセスのうちの少なくとも１つに対応する周期的報告および／または非周期的報告を、物理アップリンク制御チャネル（ＰＵＣＣＨ）を介して、ＷＴＲＵから、１組のサブフレーム上で受信するように構成され得る。
【００１８】
実施形態は、無線送受信ユニット（ＷＴＲＵ）と通信し得る、ｅｖｏｌｖｅｄノードＢ（ｅＮＢ）を企図している。ｅＮＢは、プロセッサを備え得る。プロセッサは、少なくとも、ＷＴＲＵに構成を提供するように構成され得る。構成は、少なくとも１または複数のチャネル状態情報（ＣＳＩ）プロセスを含み得る。構成は、１または複数のＣＳＩプロセスのうちの第１のＣＳＩプロセスと関連付けられたランクインジケータ（ＲＩ）も含み得る。ＲＩは、第１のＣＳＩプロセスに加えて、１または複数のＣＳＩプロセスにも関連付けられるように構成可能とし得る。プロセッサは、共通ＲＩ値を含む報告をＷＴＲＵから受信するようにも構成され得る。共通ＲＩ値は、第１のＣＳＩプロセスと少なくとも第２のＣＳＩプロセスとに関連付けられるＲＩとし得る。
【図面の簡単な説明】
【００１９】
開示される実施形態についての以下の詳細な説明は、添付の図面を併用して読まれた場合に、より良く理解され得る。説明の目的で、図面には、例示的な実施形態が示されているが、しかしながら、主題は、開示された特定の要素および手段に限定されない。
【００２０】
【図１Ａ】１または複数の開示される実施形態が実施され得る例示的な通信システムのシステム図である。
【図１Ｂ】図１Ａに示された通信システム内で使用され得る例示的な無線送受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図２】実施形態に従った例示的な周期的フィードバック報告シーケンスを示す図である。
【図３Ａ】実施形態に従った、通常のＣＰサブフレームのための例示的なチャネル状態情報基準信号（ＣＳＩ−ＲＳ）ポートマッピングを示す図である。
【図３Ｂ】実施形態に従った例示的な４リソース要素セットを示す図である。
【図４】実施形態に従った例示的な無線デバイス構成を示す図である。
【図５】実施形態に従った例示的な方法を示す図である。
【図６】実施形態に従った例示的な無線デバイス構成を示す図である。
【発明を実施するための形態】
【００２１】
図１Ａは、１または複数の開示される実施形態が実施され得る例示的な通信システム１００の図である。通信システム１００は、音声、データ、ビデオ、メッセージング、放送などのコンテンツを複数の無線ユーザに提供する、多元接続システムとし得る。通信システム１００は、複数の無線ユーザが、無線帯域幅を含むシステムリソースの共有を通して、そのようなコンテンツにアクセスすることを可能にし得る。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１または複数のチャネルアクセス方法を利用し得る。図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含み得るが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとし得る。例を挙げると、ＷＴＲＵ１０２ａ、１０２ｂ、１０２ｃ、１０２ｄは、無線信号を送信および／または受信するように構成され得、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、家電製品などを含み得る。
【００２２】
通信システム１００は、基地局１１４ａおよび基地局１１４ｂも含み得る。基地局１１４ａ、１１４ｂの各々は、コアネットワーク１０６、インターネット１１０、および／またはネットワーク１１２などの１または複数の通信ネットワークへのアクセスを円滑化するために、ＷＴＲＵ１０２ａ、１０２ｂ、１０２ｃ、１０２ｄの少なくとも１つと無線でインターフェース接続するように構成された、任意のタイプのデバイスとし得る。例を挙げると、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、および無線ルータなどとし得る。基地局１１４ａ、１１４ｂは各々、単一の要素として示されているが、基地局１１４ａ、１１４ｂは、任意の数の相互接続された基地局および／またはネットワーク要素を含み得ることが理解されよう。
【００２３】
基地局１１４ａは、ＲＡＮ１０４の部分とし得、ＲＡＮ１０４は、他の基地局、および／または基地局コントローラ（ＢＳＣ）、無線ネットワークコントローラ（ＲＮＣ）、中継ノードなどのネットワーク要素（図示されず）も含み得る。基地局１１４ａおよび／または基地局１１４ｂは、セル（図示せず）と呼ばれることがある特定の地理的領域内で、無線信号を送信および／または受信するように構成され得る。セルは、さらにセルセクタに分割され得る。例えば、基地局１１４ａに関連付けられたセルは、３つのセクタに分割され得る。したがって、一実施形態では、基地局１１４ａは、送受信機を３つ、すなわち、セルのセクタ毎に１つずつ含み得る。別の実施形態では、基地局１１４ａは、多入力多出力（ＭＩＭＯ）技術を利用し得、したがって、セルのセクタ毎に複数の送受信機を利用し得る。
【００２４】
基地局１１４ａ、１１４ｂは、エアインターフェース１１６上で、ＷＴＲＵ１０２ａ、１０２ｂ、１０２ｃ、１０２ｄの１または複数と通信し得、エアインターフェース１１６は、任意の適切な無線通信リンク（例えば、無線周波（ＲＦ）、マイクロ波、赤外線（ＩＲ）、紫外線（ＵＶ）、可視光など）とし得る。エアインターフェース１１６は、任意の適切な無線アクセス技術（ＲＡＴ）を使用して確立され得る。
【００２５】
より具体的には、上で言及されたように、通信システム１００は、多元接続システムとし得、ＣＤＭＡ、ＴＤＭＡ、ＦＤＭＡ、ＯＦＤＭＡ、およびＳＣ−ＦＤＭＡなどの、１または複数のチャネルアクセス方式を利用し得る。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１０６を確立し得る、ユニバーサル移動体通信システム（ＵＭＴＳ）地上無線アクセス（ＵＴＲＡ）などの無線技術を実施し得る。ＷＣＤＭＡは、高速パケットアクセス（ＨＳＰＡ）および／またはｅｖｏｌｖｅｄＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００２６】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立し得る、ｅｖｏｌｖｅｄＵＭＴＳ地上無線アクセス（Ｅ−ＵＴＲＡ）などの無線技術を実施し得る。
【００２７】
他の実施形態では、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、およびＧＳＭ  ＥＤＧＥ（ＧＥＲＡＮ）などの無線技術を実施し得る。
【００２８】
図１Ａの基地局１１４ｂは、例えば、無線ルータ、ホームノードＢ、ホームｅノードＢ、またはアクセスポイントとし得、職場、家庭、乗物、およびキャンパスなどの局所的エリアにおける無線接続性を円滑化するために、任意の適切なＲＡＴを利用し得る。一実施形態では、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立し得る。別の実施形態では、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立し得る。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立し得る。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００２９】
ＲＡＮ１０４は、コアネットワーク１０６と通信し得、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１または複数に提供するように構成された、任意のタイプのネットワークとし得る。例えば、コアネットワーク１０６は、呼制御、請求サービス、モバイルロケーションベースのサービス、プリペイド通話、インターネット接続性、ビデオ配信などを提供し得、および／またはユーザ認証など、高レベルのセキュリティ機能を実行し得る。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信し得ることが理解されよう。例えば、Ｅ−ＵＴＲＡ無線技術を利用し得るＲＡＮ１０４に接続するのに加えて、コアネットワーク１０６は、ＧＳＭ無線技術を利用する別のＲＡＮ（図示せず）とも通信し得る。
【００３０】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしてもサービスし得る。ＰＳＴＮ１０８は、基本電話サービス（ＰＯＴＳ）を提供する回路交換電話網を含み得る。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含み得る。ネットワーク１１２は、他のサービスプロバイダによって所有および／または運営される有線または無線通信ネットワークを含み得る。例えば、ネットワーク１１２は、ＲＡＮ１０４と同じＲＡＴまたは異なるＲＡＴを利用し得る１または複数のＲＡＮに接続された、別のコアネットワークを含み得る。
【００３１】
通信システム１００内のＷＴＲＵ１０２ａ、１０２ｂ、１０２ｃ、１０２ｄのいくつかまたはすべては、マルチモード機能を含み得、すなわち、ＷＴＲＵ１０２ａ、１０２ｂ、１０２ｃ、１０２ｄは、異なる無線リンク上で異なる無線ネットワークと通信するための複数の送受信機を含み得る。例えば、図１Ａに示されたＷＴＲＵ１０２ｃは、セルラベースの無線技術を利用し得る基地局１１４ａと通信するように、またＩＥＥＥ８０２無線技術を利用し得る基地局１１４ｂと通信するように構成され得る。
【００３２】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含み得る。ＷＴＲＵ１０２は、一実施形態との整合性を保ちながら、上記の要素の任意のサブコンビネーションを含み得ることが理解されよう。
【００３３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとし得る。プロセッサ１１８は、信号符号化、データ処理、電力制御、入出力処理、および／またはＷＴＲＵ１０２が無線環境で動作することを可能にする他の任意の機能を実行し得る。プロセッサ１１８は、送受信機１２０に結合され得、送受信機１２０は、送信／受信要素１２２に結合され得る。図１Ｂは、プロセッサ１１８と送受信機１２０を別々のコンポーネントとして示しているが、プロセッサ１１８と送受信機１２０は、電子パッケージまたはチップ内に一緒に統合され得ることが理解されよう。
【００３４】
送信／受信要素１２２は、エアインターフェース１１６上で、基地局（例えば、基地局１１４ａ）に信号を送信し、または基地局から信号を受信するように構成され得る。例えば、一実施形態では、送信／受信要素１２２は、ＲＦ信号を送信および／または受信するように構成されたアンテナとし得る。別の実施形態では、送信／受信要素１２２は、例えば、ＩＲ、ＵＶ、または可視光信号を送信および／または受信するように構成された放射器／検出器とし得る。また別の実施形態では、送信／受信要素１２２は、ＲＦ信号と光信号の両方を送信および受信するように構成され得る。送信／受信要素１２２は、無線信号の任意の組み合わせを送信および／または受信するように構成され得ることが理解されよう。
【００３５】
加えて、図１Ｂでは、送信／受信要素１２２は単一の要素として示されているが、ＷＴＲＵ１０２は、任意の数の送信／受信要素１２２を含み得る。より具体的には、ＷＴＲＵ１０２は、ＭＩＭＯ技術を利用し得る。したがって、一実施形態では、ＷＴＲＵ１０２は、エアインターフェース１１６上で無線信号を送信および受信するための２以上の送信／受信要素１２２（例えば、複数のアンテナ）を含み得る。
【００３６】
送受信機１２０は、送信／受信要素１２２によって送信される信号を変調し、送信／受信要素１２２によって受信された信号を復調するように構成され得る。上で言及されたように、ＷＴＲＵ１０２は、マルチモード機能を有し得る。したがって、送受信機１２０は、ＷＴＲＵ１０２が、例えば、ＵＴＲＡおよびＩＥＥＥ８０２．１１などの複数のＲＡＴを介して通信することを可能にするための、複数の送受信機を含み得る。
【００３７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合され得、それらからユーザ入力データを受け取り得る。プロセッサ１１８は、スピーカ／マイクロフォン１２４、キーパッド１２６、および／またはディスプレイ／タッチパッド１２８にユーザデータを出力もし得る。加えて、プロセッサ１１８は、着脱不能メモリ１３０および／または着脱可能メモリ１３２など、任意のタイプの適切なメモリから情報を入手し得、それらにデータを記憶し得る。着脱不能メモリ１３０は、ランダムアクセスメモリ（ＲＡＭ）、リードオンリメモリ（ＲＯＭ）、ハードディスク、または他の任意のタイプのメモリ記憶デバイスを含み得る。着脱可能メモリ１３２は、加入者識別モジュール（ＳＩＭ）カード、メモリスティック、およびセキュアデジタル（ＳＤ）メモリカードなどを含み得る。他の実施形態では、プロセッサ１１８は、ＷＴＲＵ１０２上に物理的に配置されたメモリではなく、サーバまたはホームコンピュータ（図示せず）などの上に配置されたメモリから情報を入手し得、それらにデータを記憶し得る。
【００３８】
プロセッサ１１８は、電源１３４から電力を受け取り得、ＷＴＲＵ１０２内の他のコンポーネントへの電力の分配および／または制御を行うように構成され得る。電源１３４は、ＷＴＲＵ１０２に給電するための任意の適切なデバイスとし得る。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含み得る。
【００３９】
プロセッサ１１８は、ＧＰＳチップセット１３６にも結合され得、ＧＰＳチップセット１３６は、ＷＴＲＵ１０２の現在位置に関する位置情報（例えば、経度および緯度）を提供するように構成され得る。ＧＰＳチップセット１３６からの情報に加えて、またはその代わりに、ＷＴＲＵ１０２は、基地局（例えば、基地局１１４ａ、１１４ｂ）からエアインターフェース１１６上で位置情報を受け取り得、および／または２以上の近くの基地局から受信した信号のタイミングに基づいて、自らの位置を決定し得る。ＷＴＲＵ１０２は、一実施形態との整合性を保ちながら、任意の適切な位置決定方法を用いて、位置情報を獲得し得ることが理解されよう。
【００４０】
プロセッサ１１８は、他の周辺機器１３８にさらに結合され得、他の周辺機器１３８は、追加的な特徴、機能、および／または有線もしくは無線接続性を提供する、１または複数のソフトウェアモジュールおよび／またはハードウェアモジュールを含み得る。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含み得る。
【００４１】
図１Ｃは、一実施形態による、ＲＡＮ１０４およびコアネットワーク１０６のシステム図である。上で言及されたように、ＲＡＮ１０４は、エアインターフェース１１６上でＷＴＲＵ１０２ａ、１０２ｂ、１０２ｃと通信するために、Ｅ−ＵＴＲＡ無線技術を利用し得る。ＲＡＮ１０４は、コアネットワーク１０６とも通信し得る。
【００４２】
ＲＡＮ１０４は、ｅノードＢ１４０ａ、１４０ｂ、１４０ｃを含み得るが、ＲＡＮ１０４は、一実施形態との整合性を保ちながら、任意の数のｅノードＢを含み得ることが理解されよう。ｅノードＢ１４０ａ、１４０ｂ、１４０ｃは、各々が、エアインターフェース１１６上でＷＴＲＵ１０２ａ、１０２ｂ、１０２ｃと通信するための１または複数の送受信機を含み得る。一実施形態では、ｅノードＢ１４０ａ、１４０ｂ、１４０ｃは、ＭＩＭＯ技術を実施し得る。したがって、ｅノードＢ１４０ａは、例えば、複数のアンテナを使用して、ＷＴＲＵ１０２ａに無線信号を送信し、ＷＴＲＵ１０２ａから無線信号を受信し得る。
【００４３】
ｅノードＢ１４０ａ、１４０ｂ、１４０ｃの各々は、特定のセル（図示せず）に関連付け得、無線リソース管理決定、ハンドオーバ決定、ならびにアップリンクおよび／またはダウンリンクにおけるユーザのスケジューリングなどを処理するように構成され得る。図１Ｃに示されるように、ｅノードＢ１４０ａ、１４０ｂ、１４０ｃは、Ｘ２インターフェース上で互いに通信し得る。
【００４４】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含み得る。上記の要素の各々は、コアネットワーク１０６の部分として示されているが、これらの要素は、どの１つをとっても、コアネットワークオペレータとは異なる主体によって所有および／または運営され得ることが理解されよう。
【００４５】
ＭＭＥ１４２は、Ｓ１インターフェースを介して、ＲＡＮ１０４内のｅノードＢ１４０ａ、１４０ｂ、１４０ｃの各々に接続され得、制御ノードとしての役割を果たし得る。例えば、ＭＭＥ１４２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担い得る。ＭＭＥ１４２は、ＲＡＮ１０４とＧＳＭまたはＷＣＤＭＡなどの他の無線技術を利用する他のＲＡＮ（図示せず）との間の交換のためのコントロールプレーン機能も提供し得る。
【００４６】
サービングゲートウェイ１４４は、Ｓ１インターフェースを介して、ＲＡＮ１０４内のｅノードＢ１４０ａ、１４０ｂ、１４０ｃの各々に接続され得る。サービングゲートウェイ１４４は、一般に、ユーザデータパケットのＷＴＲＵ１０２ａ、１０２ｂ、１０２ｃへの／からの経路選択および転送を行い得る。サービングゲートウェイ１４４は、ｅノードＢ間ハンドオーバ中におけるユーザプレーンのアンカリング（ａｎｃｈｏｒｉｎｇ）、ダウンリンクデータがＷＴＲＵ１０２ａ、１０２ｂ、１０２ｃに利用可能な場合に行う一斉呼出のトリガー、およびＷＴＲＵ１０２ａ、１０２ｂ、１０２ｃのコンテキストの管理および記憶など、他の機能も実行し得る。
【００４７】
サービングゲートウェイ１４４は、ＰＤＮゲートウェイ１４６にも接続され得、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化し得る。
【００４８】
コアネットワーク１０６は、他のネットワークとの通信を円滑化し得る。例えば、コアネットワーク１０６は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化し得る。例えば、コアネットワーク１０６は、コアネットワーク１０６とＰＳＴＮ１０８の間のインターフェースとしての役割を果たすＩＰゲートウェイ（例えば、ＩＰマルチメディアサブシステム（ＩＭＳ）サーバ）を含み得、またはＩＰゲートウェイと通信し得る。加えて、コアネットワーク１０６は、ネットワーク１１２へのアクセスをＷＴＲＵ１０２ａ、１０２ｂ、１０２ｃに提供し得、ネットワーク１１２は、他のサービスプロバイダによって所有および／または運営される他の有線または無線ネットワークを含み得る。
【００４９】
理由の中でもとりわけ、より高いデータレートおよびスペクトル効率をサポートするために、第３世代パートナーシッププロジェクト（３ＧＰＰ）ロングタームエボリューション（ＬＴＥ）システムが、３ＧＰＰリリース８（Ｒ８）に導入された（ＬＴＥリリース８は、本明細書では、ＬＴＥ  Ｒ８またはＲ８−ＬＴＥと呼ばれることがある）。ＬＴＥでは、アップリンク上での送信は、シングルキャリア周波数分割多元接続（ＳＣ−ＦＤＭＡ）を使用して実行され得る。特に、ＬＴＥアップリンクにおいて使用され得るＳＣ−ＦＤＭＡは、離散フーリエ変換拡散直交周波数分割多重（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術に基づき得る。本明細書で使用される場合、ＳＣ−ＦＤＭＡおよびＤＦＴ−Ｓ−ＯＦＤＭという用語は、交換可能に使用され得る。
【００５０】
ＬＴＥでは、ユーザ機器（ＵＥ）という別称でも呼ばれる、無線送受信ユニット（ＷＴＲＵ）は、周波数分割多元接続（ＦＤＭＡ）構成の限られた１組の連続的に割り当てられたサブキャリアを使用して、またいくつかの実施形態では、おそらく、周波数分割多元接続（ＦＤＭＡ）構成の限られた１組の連続的に割り当てられたサブキャリアのみを使用して、アップリンク上で送信し得る。例えば、アップリンクにおける直交周波数分割多重（ＯＦＤＭ）信号またはシステム帯域幅全体が、１から１００までの番号が付された有用なサブキャリアから構成される場合、所定の第１のＷＴＲＵは、サブキャリア１〜１２上で送信するように割り当てられ得、第２のＷＴＲＵは、サブキャリア１３〜２４上で送信するように割り当てられ得、以降も同様である。異なるＷＴＲＵは、各々が、利用可能な送信帯域幅のサブセットで送信し得、おそらく、各々が、利用可能な送信帯域幅のサブセットのみで送信し得るが、ＷＴＲＵにサービスするｅｖｏｌｖｅｄノードＢ（ｅノードＢ）は、送信帯域幅全体にわたって複合アップリンク信号を受信し得る。
【００５１】
（ＬＴＥリリース１０（Ｒ１０）を含み、リリース１１などの将来のリリースも含み得、本明細書では、ＬＴＥ−Ａ、ＬＴＥ  Ｒ１０、またはＲ１０−ＬＴＥとも呼ばれる）ＬＴＥアドバンストは、完全準拠４ＧアップグレードパスをＬＴＥおよび３Ｇネットワークに提供する、ＬＴＥ規格の機能強化である。ＬＴＥ−Ａでは、キャリアアグリゲーションが、サポートされ得、ＬＴＥとは異なり、複数のキャリアが、アップリンク、ダウンリンク、または両方に割り当てられ得る。
【００５２】
実施形態は、ダウンリンクにおける多地点協調動作（ＣｏＭＰ）が、１組の可能な方式を指し得ることを認識しており、複数の地理的に隔てられた送信ポイントからの送信は、セルエッジスループットおよび／またはシステムスループットから見たシステム性能を改善するために調整され得る。そのような方式の例は、複数のポイントがＷＴＲＵを宛先とする情報を同時に送信し得る、ジョイント送信、ＷＴＲＵへの送信のために、１組のポイントのうちの１つが動的に選択され得る、動的ポイント選択、および第２のポイントからの干渉送信の適切な調整によって、第１のポイントからスケジュールされているＷＴＲＵに対する干渉が回避され得る、協調スケジューリング／協調ビームフォーミングを含む。
【００５３】
他の無線システム同様に、ＬＴＥおよびＬＴＥ−Ａの両方でも、システム性能は、平均セルスループットおよび／またはセルエッジスループットに基づいて評価され得る。平均セルスループット性能は、電力引き上げ技法を使用して、受信信号強度を高めることによって、改善され得るが、セルエッジユーザは、低い受信信号強度を経験し得、したがって、セルエッジ性能は、主として、セル間干渉（ＩＣＩ）によって影響され得る。これは、ＯＦＤＭベースの４Ｇネットワークによって企図されている、１のまたは１に近い周波数再利用率で動作するように設計されたシステムに対して特に当てはまり得る。
【００５４】
実施形態は、無線システムが、その平均セルスループットおよび／またはセルエッジスループットに基づいて評価され得ることを企図している。実施形態は、セル平均および／またはセルエッジ性能の改善を企図している。平均セル性能は、電力引き上げ技法を使用して、受信信号強度を高めることによって、改善され得る。しかしながら、セルエッジユーザは、低い受信信号強度を経験し得、したがって、セルエッジ性能は、セル間干渉（ＩＣＩ）によって影響され得る。これは、ＯＦＤＭベースの４Ｇネットワークによって実施され得る、１のまたは１に近い周波数再利用率で動作するように設計されたシステムにおいて特によく見られ得る。そのような周波数再利用は、多くのまたはすべてのセルが多くのまたはおそらくすべての時間リソースおよび周波数リソース上で同時に送信する場合に、特に干渉制約されるようになるシステムをもたらし得る。実施形態は、電力を引き上げると、例えば、おそらく、サービングセル信号強度および干渉信号強度の両方が高められ得、それが、ひいては、ＩＣＩを高め得るために、電力引き上げがセルエッジ性能を改善し得ないことを認識している。
【００５５】
実施形態は、多地点協調（ＣｏＭＰ）送受信など、セルエッジ性能を改善するために使用され得る他の技法も企図している。多地点送受信の実施形態では、「近接」していないアンテナからの送信または受信が実施され得、ここで、「近接」とは、ほとんどのアンテナ、またはおそらくすべてのアンテナが、異なる長期フェージングを被り得るような、数波長の間隔を超える距離とし得る。そのような送信モードでは、ＷＴＲＵにおける受信信号対干渉雑音比（ＳＩＮＲ）を改善するために、いくつかのセルまたは送信ポイントは、結合し得る。
【００５６】
実施形態は、「サービングセル」という用語が、例えば、ＬＴＥ  Ｒ８（単一セル）において定義されるような、物理ダウンリンク制御チャネル（ＰＤＣＣＨ）割り当てを送信する単一セルに対して使用され得ることを企図している。実施形態は、データがＣｏＭＰ協調セット内の各ポイントにおいて利用可能であり得る、ジョイント処理（ＪＰ）を含む、いくつかのＣｏＭＰカテゴリが使用され得ることも企図している。ＪＰの実施形態では、ジョイント送信（ＪＴ）が使用され得、物理ダウンリンク共有チャネル（ＰＤＳＣＨ）送信は、ＣｏＭＰ協調セットの一部、またはおそらく、ＣｏＭＰ協調セット全体など、複数のポイントから一度に送信され得る。単一のＷＴＲＵへのデータは、例えば、受信信号品質を（同期的もしくは非同期的に）改善するために、および／または他のＷＴＲＵに対する干渉を能動的に打ち消すために、複数の送信ポイントから同時に送信され得る。また、実施形態は、ＪＰでは、例えば、ＰＤＳＣＨ送信が一度にＣｏＭＰ協調セット内の１つのポイントから送信され得る、動的セル選択が使用され得ることも企図している。
【００５７】
別のＣｏＭＰカテゴリは、協調スケジューリング／協調ビームフォーミング（ＣＳ／ＣＢ）とし得、ＣＳ／ＣＢでは、データは、サービングセルにおいて利用可能であり得（すなわち、データ送信はそのポイントからのみ実行され）、いくつかの実施形態では、サービングセルにおいてのみ利用可能であり得るが、ユーザのスケジューリング／ビームフォーミング決定は、ＣｏＭＰ協調セットに対応するセル間の協調を用いて行われ得る。
【００５８】
実施形態は、少なくとも１つのＣｏＭＰカテゴリが、セルアグリゲーションを含み得ることを企図している。いくつかの送信ポイントまたは各送信ポイントは、同じキャリア周波数上でＷＴＲＵに送信する独立したデータを有し得る。いくつかのセルまたは各セルは、ＷＴＲＵへの、およびＷＴＲＵからの独自のデータおよび／または信号フローを有し得る。例えば、いくつかのセルまたは各セルは、独立のＨＡＲＱプロセスを使用し得る。
【００５９】
実施形態は、１または複数のＣｏＭＰセットが、ＣｏＭＰ協調セットを含み得ることを企図しており、ＣｏＭＰ協調セットでは、１組の地理的に隔てられたポイントが、ＷＴＲＵへのＰＤＳＣＨ送信に直接的または間接的に参加している。このセットは、ＷＴＲＵから透過的であることも、または透過的でないこともある。別のＣｏＭＰセットは、ＷＴＲＵにＰＤＳＣＨを能動的に送信中であり得るポイントまたは１組のポイントとし得る、ＣｏＭＰ送信ポイントとし得る。１組のＣｏＭＰ送信ポイントは、ＣｏＭＰ協調セットのサブセットとし得る。ＪＴの実施形態では、ＣｏＭＰ送信ポイントは、ＣｏＭＰ協調セット内のポイントとし得る。動的セル選択の実施形態の場合、単一のポイントが、いくつかのサブフレームまたはおそらくすべてのサブフレームにおける送信ポイントであり得る。この単一の送信ポイントは、ＣｏＭＰ協調セット内で動的に変化し得る。ＣＳ／ＣＢの実施形態の場合、ＣｏＭＰ送信ポイントは、例えば、「サービングセル」に対応し得る。
【００６０】
実施形態は、（ＷＴＲＵへのリンクに関する）チャネル状態／統計情報が報告され得る１組のセルとし得る、ＣｏＭＰ測定セットを含み得る、他のＣｏＭＰセットも企図している。いくつかの実施形態では、ＣｏＭＰ測定セットは、ＣｏＭＰ協調セットと同じとし得る。実際のＷＴＲＵ報告は、ＣｏＭＰ測定セルのうちのセルのサブセットに対するフィードバックを含み得、いくつかの実施形態では、被報告セルと呼ばれることがある、ＣｏＭＰ測定セルのうちのセルのサブセットに対するフィードバックのみを含み得る。
【００６１】
実施形態は、チャネル状態情報（ＣＳＩ）フィードバックが、ランク（例えば、ランクインジケータ（ＲＩ））、プリコーダ行列インデックス（ＰＭＩ）、および／またはチャネル品質インジケータ（ＣＱＩ）の形式で報告され得ることを企図しており、ここで、ＰＭＩは、例えば、事前定義されたコードブックに照らしてチャネルを量子化することによって、ＷＴＲＵにおいて計算され得る。ＣＳＩフィードバックは、ＣＱＩ／ＰＭＩ／ＲＩ報告を含み得、周期的または非周期的に提供され得る。ＷＴＲＵによって報告される情報を制御するために使用され得るパラメータは、システム帯域幅に基づき得、ならびに／または無線リソース制御（ＲＲＣ）接続セットアップ、再構成、および／もしくは再確立メッセージで提供され得る。ＷＴＲＵによって報告される情報は、同じＲＲＣメッセージで定義され得る、送信モードに基づいて変化し得る。表１は、実施形態によって企図される、例示的な報告モードの要約を含む。
【００６２】
【表１】
2020129834.tif 000003
【００６３】
実施形態は、周期的フィードバックが、物理アップリンク制御チャネル（ＰＵＣＣＨ）チャネル上で送信され得ることを企図しているが、物理アップリンク共有チャネル（ＰＵＳＣＨ）チャネルが存在する場合は、それは、そのチャネル上で送信され得る。周期的報告は、一連の１または複数の異なるタイプの報告を使用し得る。そのようなタイプは、例えば、サブバンドＣＱＩを報告し得る「タイプ１」、広帯域ＣＱＩ／ＰＭＩを報告し得る「タイプ２」、ＲＩを報告し得る「タイプ３」、および広帯域ＣＱＩを報告し得る「タイプ４」を含み得る。例示的な報告シーケンスが、図２に示されており、各長方形内の数字は、上で説明された報告タイプに対応する。１または複数の実施形態では、非周期的フィードバックは、ＣＱＩ要求ビットが設定されている場合に、フォーマット０ダウンリンク制御情報（ＤＣＩ）、またはランダムアクセス応答（ＲＡＲ）によって要求され得る。１または複数の実施形態では、非周期的フィードバックは、ＰＵＳＣＨチャネル上で送信され得る。
【００６４】
実施形態は、周期的ＰＵＣＣＨフィードバックのタイプが、８個の送信（Ｔｘ）アンテナポートのために、さらに拡張され得ることを企図している。周期的ＰＵＣＣＨフィードバックのそのようなタイプは、ＷＴＲＵ選択のサブバンドについてのＣＱＩフィードバックをサポートし得る「タイプ１」報告、サブバンドＣＱＩおよび第２のＰＭＩフィードバックをサポートし得る「タイプ１ａ」報告、広帯域ＣＱＩおよびＰＭＩフィードバックをサポートし得る「タイプ２」、「タイプ２ｂ」、および「タイプ２ｃ」報告、広帯域ＰＭＩフィードバックをサポートし得る「タイプ２ａ」報告、ＲＩフィードバックをサポートし得る「タイプ３」報告、広帯域ＣＱＩをサポートし得る「タイプ４」報告、ＲＩおよび広帯域ＰＭＩフィードバックをサポートし得る「タイプ５」報告、ならびにＲＩおよびＰＴＩフィードバックをサポートする「タイプ６」報告を含み得る。例えば、ＬＴＥ  Ｒ８およびＲ１０において使用されるものなどの、ＣＳＩフィードバックは、単一セル動作、および物理ダウンリンク共有チャネル（ＰＤＳＣＨ）スケジューリングをサポートするように設計され得る。ＣＳＩフィードバックは、自らとサービングセルの間のチャネルを表し得、サービングセルに報告され得、いくつかの実施形態では、おそらく、サービングセルのみに報告され得る。
【００６５】
実施形態は、または複数のＷＴＲＵフィードバック手順が単一セルダウンリンク動作に対して意図され得ることを企図している。実施形態は、ＣｏＭＰ動作の場合、ＷＴＲＵが、ＣｏＭＰセット決定、ＣｏＭＰアクティブ化／非アクティブ化、および／またはダウンリンクスケジューリング／ビームフォーミングなど、様々な機能のために必要とされる、異なるＣｏＭＰセルまたは送信ポイントのＣＳＩ情報を含む、複数のフィードバックを提供するように要求され得ることを認識している。ＣｏＭＰ実施のためのいくつかのフィードバック構成実施形態が、企図されている。１または複数の実施形態は、フィードバックメカニズムの内容およびレートの両面に対処することを企図している。
【００６６】
実施形態は、セルのいくつかまたはすべての送信ポイント（またはアンテナポート）が、互いに地理的に近くにあり得る場合に、Ｒ１０までに定義されたいくつかのフィードバック手順が、最適化され得ることを認識している。リモート無線ヘッド（ＲＲＨ）を利用する配備では、１組の地理的に隔てられたＲＲＨは、同じ物理セル識別情報を利用し得る。このシナリオでは、いくつかのアンテナポートのチャネル品質が他のアンテナポートよりもはるかに貧弱になる可能性が高いので、Ｒ１０方法を使用して、同じセルに配備されたいくつかまたはすべてのアンテナポートのＣＳＩを報告するために、ＷＴＲＵを使用することは、非効率的になり得る。さらに、異なるＲＲＨから送信される信号は、ＣＳＩを評価する際にＷＴＲＵによって考慮される必要がある異なる特性を有し得る。
【００６７】
実施形態は、ＷＴＲＵが複数の送信ポイントに対するＣＳＩを効率的に報告することを可能にし得る技法を企図している。例えば、実施形態は、ＣＳＩフィードバックを効率的に報告する（例えば、ＣＳＩ情報の不必要な報告の量を減らす）ために、ＷＴＲＵが利用し得る技法を企図している。さらに、例えば、実施形態は、ＷＴＲＵが、地理的に同一場所に配置され得ない、送信ポイントの組に対するＣＳＩを推定し得る方法を企図している。
【００６８】
実施形態は、分離距離が短く、したがって、それらとＷＴＲＵの間の長期パスロスとして同じものを共有し得る、同じ物理送信ポイントに属する１組のアンテナから、基準信号が送信されていることを仮定して、ＣＳＩが評価され、報告され得ることを認識している。この仮定が満たされ得ない場合、ＣＳＩは、スケジューリング目的では、ネットワークにとって有益（または最適）であり得ない。例えば、ネットワークは、特定の場合においてＵＥをスケジュールするために、どの送信ポイントまたは送信ポイントの組が最も適し得るかを決定し得ない。
【００６９】
実施形態は、ＣｏＭＰ動作に適し得る送信ポイントの組が、セル内のＷＴＲＵの位置に依存し得ることも認識している。実施形態は、例えば、ＷＴＲＵのために構成され得る、送信ポイントの適切な組、および／または基準信号（例えば、ＣＳＩ−ＲＳ）の関連する組を決定するための、１または複数の技法を企図している。
【００７０】
本明細書で言及される場合、「送信ポイント」という語句は、ＷＴＲＵに送信し得、またはＷＴＲＵから受信し得る、ネットワークに属する、任意のアンテナポート、または地理的に同一場所に配置されたアンテナポートのサブセットのことを指し得る。与えられたＷＴＲＵのために構成またはアクティブ化される１組の送信ポイントは、同じ物理セル識別情報に属することがあり、または属さないことがある。送信ポイントは、１つのＣＳＩ−ＲＳ、または１組のＣＳＩ−ＲＳを送信し得る。実施形態は、「ＣＳＩ−ＲＳリソース」または「非ゼロ電力ＣＳＩ−ＲＳリソース」という語句が、１つの送信ポイントまたは１組の送信ポイントから送信され得る、１組のＣＳＩ−ＲＳ基準信号および／またはアンテナポートを指し得ることを企図している。１または複数の実施形態では、これらの基準信号の特性は、例えば、ＲＲＣシグナリングなど、より高位のレイヤによって、ＷＴＲＵに提供され得る。ＷＴＲＵは、ＣＳＩ評価および報告の目的で、１または複数のＣＳＩ−ＲＳリソースを用いて構成され得る。「送信ポイント」という語句は、「ＣＳＩ−ＲＳリソース」という語句の代わりに使用されることがあり、１または複数の実施形態では、ＣＳＩ−ＲＳリソースは、送信ポイントに対応し得る。送信ポイントは、少なくとも１つの共通基準信号（ＣＲＳ）も送信し得、ＷＴＲＵは、例えば、目的の中でもとりわけ、ＣＳＩ評価および／または報告の目的で、少なくとも１つのＣＲＳも測定し得る。
【００７１】
また、本明細書で言及される場合、ＣＳＩ−ＲＳリソースは、１つの送信（またはおそらくは、複数の送信ポイント）から送信され得る、１組のＣＳＩ−ＲＳ基準信号またはアンテナポートとし得る。これらの基準信号の特性は、より高位のレイヤによって、ＷＴＲＵに提供され得る。ＷＴＲＵは、例えば、ＣＳＩ評価および／もしくは報告の目的で、１または複数のＣＳＩ−ＲＳリソースを用いて構成され得る。先に説明されたように、「送信ポイント」という表現は、「ＣＳＩ−ＲＳリソース」によって置き換えられ得、ＣＳＩ−ＲＳリソースは、送信ポイントに対応し得ると理解され得る。また、本明細書では、ポイント毎ランク表示（ＲＩ）は、１つの送信ポイントからの送信のために役立つ送信レイヤの推奨数（またはランク）に対応し得る。ポイント毎ＲＩは、等価的に、おそらく、ＣＳＩ測定のために、関係するＣＳＩ−ＲＳリソースが使用され得る場合は、「ＣＳＩ−ＲＳリソース毎ＲＩ」と、またはおそらく、ＣＳＩ測定のために、ＣＲＳが使用され得る場合は、「ＣＲＳ毎」もしくは「セル毎」ＲＩと呼ばれ得る。
【００７２】
さらに、本明細書で言及される場合、ポイント毎ＣＱＩは、１つの送信ポイントからのコードワード（またはＰＤＳＣＨトランスポートブロック）の送信に適用可能であり得る、チャネル品質インジケータ（ＣＱＩ）に対応し得る。ポイント毎ＣＱＩは、等価的に、おそらく、ＣＳＩ測定のために、関係するＣＳＩ−ＲＳリソースが使用され得る場合は、「ＣＳＩ−ＲＳリソース毎ＣＱＩ」と、またはおそらく、ＣＳＩ測定のために、共通基準信号（ＣＲＳ）が使用され得る場合は、「ＣＲＳ毎」もしくは「セル毎」ＣＱＩと呼ばれ得る。
【００７３】
本明細書で言及される場合、ポイント毎プリコーディング行列インジケータ（ＰＭＩ）またはローカルプリコーディング行列インジケータは、１つの送信ポイントからの送信のための、推奨されるプリコーディング行列（プリコーダ）に対応し得る。ポイント毎ＰＭＩは、等価的に、おそらく、ＣＳＩ測定のために、関係するＣＳＩ−ＲＳリソースが使用され得る場合は、「ＣＳＩ−ＲＳリソース毎ＰＭＩ」と、またはおそらく、ＣＳＩ測定のために、ＣＲＳが使用され得る場合は、「ＣＲＳ毎」もしくは「セル毎」ＰＭＩと呼ばれ得る。同じＣＳＩ−ＲＳリソースまたはポイントについて、実施形態は、単一のプリコーディング行列を共同して示す、２以上のプリコーディング行列インジケータが存在し得ることを企図している（例えば、第１のプリコーディングインジケータおよび第２のプリコーディングインジケータ、後者は前者よりも時間的に素早く変化し得る）。
【００７４】
また、本明細書で言及される場合、ジョイントランク表示または共通ランク表示は、例えば、２以上のＣＳＩ−ＲＳリソースに対応し得る、２以上の送信ポイントからのジョイント送信のために役立つ送信レイヤの推奨数に対応し得る。
【００７５】
アグリゲートＣＱＩまたはジョイントＣＱＩは、２以上のＣＳＩ−ＲＳリソースに対応し得る、２以上の送信ポイントからのコードワードのジョイント送信に適用可能であり得るＣＱＩに対応し得る。アグリゲートＣＱＩは、ＣＳＩ−ＲＳリソースに対応するいくつかのまたは各送信ポイントにおいて、一定のプリコーディングベクトルまたは行列が使用されることを仮定して、推定され得る。アグリゲートＣＱＩは、これらのＣＳＩ−ＲＳリソースに対応する送信ポイントにおいて使用されるプリコーダ間に一定の関係を仮定しても、推定され得る。例えば、企図される仮定の中でもとりわけ、プリコーダ間の相対位相は、送信ポイントからの信号が、（ゼロ位相差を用いて）同期的に結合するようなものであることが、または所定の位相差で結合するようなものであることが、仮定され得る。
【００７６】
本明細書で言及される場合、アグリゲートＰＭＩまたはグローバルＰＭＩは、２以上のＣＳＩ−ＲＳリソースに対応し得る、２以上の送信ポイントからの送信に対して推奨されるプリコーディング行列に対応し得る。推奨されるプリコーディング行列の次元は、例えば、少なくとも１つのＣＳＩ−ＲＳリソースに属するアンテナポートの総数×レイヤの数（またはランク）に対応し得る。
【００７７】
本明細書で言及される場合、ポイント間位相インジケータまたは結合インジケータは、送信ポイントにおいて使用され得る少なくとも１対のプリコーディング行列の、少なくとも１つの送信レイヤに対して推奨されるポイント間位相差に対応し得る。ポイント間位相インジケータは、等価的に、おそらく、ＣＳＩ測定のために、関連する１組のＣＳＩ−ＲＳリソースが使用され得る場合は、「ＣＳＩ−ＲＳリソース間インジケータ」と、またはおそらく、ＣＳＩ測定のために、共通基準信号（ＣＲＳ）が使用され得る場合は、「ＣＲＳ間」もしくは「セル間」ＣＱＩと呼ばれ得る。
【００７８】
また、本明細書で言及される場合、「１組の送信ポイントのＣＳＩ」という用語は、この１組の送信ポイントの任意のサブセットから導出された、任意のタイプのチャネル状態情報を指し得る。例えば、それは、チャネル品質情報、ランク表示、プリコーディング行列表示、および／または任意のタイプの明示的もしくは暗黙的フィードバックを含み得る。それは、本明細書で開示されるような、２以上の送信ポイントの関数である、今のところ定義されていないタイプのチャネル状態情報も含み得る。
【００７９】
実施形態は、地理的に隔てられ得る送信ポイントに関するＣＳＩを効率的に評価および／または報告するために、単独でまたは組み合わせて使用され得る、デバイスおよび技法を企図している。１または複数の実施形態では、ＷＴＲＵは、異なるサブフレームで、ＣＳＩ報告のために構成された異なる送信ポイント（もしくはＣＳＩ−ＲＳリソース）またはそれらのサブセットのＣＳＩを報告し得る。送信ポイントのサブセットは、より高位のレイヤ（例えば、ＲＲＣシグナリングもしくはＭＡＣシグナリング）から、各サブセットの一部をなす送信ポイント（もしくはＣＳＩ−ＲＳなど、対応する基準信号）を受信すること、および／または送信ポイントから受信される信号の１もしくは複数の特性のうちの１または複数に基づいて決定され得る。例えば、信号の特性は、各送信ポイントから送信されるＣＳＩ−ＲＳ（チャネル状態インジケータ基準信号）、各ポイントから送信されるＣＲＳ（共通基準信号）、いくつかのポイントまたは各ポイントから送信される基準信号を導出するために使用される物理セル識別情報（例えば、送信ポイントのサブセットは、特定のセルに属するいくつかまたはすべての送信ポイントに対応するように定義され得る）、ならびに各送信ポイントから受信される信号の（受信信号強度、受信信号品質、および／またはチャネル品質情報などの）品質メトリックを含み得るが、それらに限定されない。
【００８０】
例えば、送信ポイントの２つのサブセットが定義され得、一方は、それについての正確でタイムリなＣＳＩ情報が要求され得る、相対的に高い電力レベルで受信される、送信ポイントに対応し得（例えば、「アクティブ」サブセット）、他方は、それに対するＣＳＩ情報が要求され得ない、少なくともあまり頻繁には要求され得ない、相対的に低いレベルで受信される、送信ポイントに対応し得る（例えば、「被モニタ」サブセット）。ネットワークは、どの送信ポイントが各サブセットの一部であるかを判定し得、無線リソース制御シグナリングを使用して、送信ポイントのアクティブおよび被モニタサブセットを示され得る。あるいは、ＷＴＲＵは、受信信号強度が閾値を上回るか、それとも下回るか（いくつかの実施形態では、おそらく、事前に定められた期間にわたって、閾値を上回るか、それとも下回るか）を判定することによって、送信ポイントがアクティブグループに属し得るか、それとも被モニタグループに属し得るかを決定し得、閾値は、例えば、より高位のレイヤを通してネットワークによって通信され得、および／または最良の送信ポイントの受信信号強度の関数とし得る。アクティブセットの構成は、例えば、１組の非ゼロ電力ＣＳＩ−ＲＳリソース、および／またはいくつかの実施形態では、１組のセル識別情報を、ＷＴＲＵに提供することによって行い得る。
【００８１】
別の例では、送信ポイントの第１のサブセット（例えば、「サービング」サブセット）は、ＷＴＲＵのサービングセルによって使用される１組の送信ポイントとして定義され得、一方、送信ポイントの他のサブセット（例えば、「非サービング」サブセット）は、それらがそれから送信されるセルに従って定義され得る。別の例では、１つのサブセットは、「サービング」送信ポイントとして識別される、単一の特定の送信ポイントを含み得、一方、少なくとも１つの他のサブセットは、「補助」送信ポイントとして識別される、少なくとも１つの送信ポイントを含み得る。ＷＴＲＵが送信ポイントの特定のサブセットのＣＳＩを報告するためのサブフレームは、システムフレーム番号およびサブフレーム番号の特定の関数によって決定され得る。例えば、関数は、送信ポイントの特定のサブセットのＣＳＩの少なくとも一部がそれで報告されるサブフレームが、周期的に発生し得るように定義され得る。実施形態は、同じ送信ポイントのＣＳＩの異なる部分（例えば、ＲＩおよびＰＭＩ／ＣＱＩ）が、周期が異なるサブフレームの組を使用し得ることを認識している。周期性（および／またはオフセット）は、送信ポイントのサブセットが異なれば、またはＣＳＩのタイプもしくは部分が異なれば、異なり得る。これは、例えば、ＷＴＲＵが、送信ポイントの第１のサブセット（「アクティブ」サブセットまたは「サービング」サブセット）については、送信ポイントの第２のサブセット（「被モニタ」サブセットまたは「非サービング」サブセット）よりも頻繁にＣＳＩを送信することを可能にし得る。特定のサブセットがどのサブフレームで報告されるかを決定する、特定の関数のパラメータは、より高位のレイヤ（例えば、ＲＲＣシグナリング）によって提供され得る。例えば、より高位のレイヤは、送信ポイントの各サブセットおよび／またはＣＳＩの一部についての周期性およびオフセットを、おそらく、これらのパラメータがそれから導出され得る単一のインデックスを通して、提供し得る。実施形態は、第２のサブセットの周期性が、第１のサブセットの周期性の、事前決定または通信された、倍数として決定され得ることも企図している。また、例として、１または複数の実施形態は、あるサブセットについては、周期的な報告がまったく存在し得ないことを企図している。これらのサブセットについては、ＣＳＩは、非周期的ＣＱＩ／ＣＳＩ要求がＷＴＲＵによって受信された場合に、いくつかの実施形態では、おそらく、非周期的ＣＱＩ／ＣＳＩ要求がＷＴＲＵによって受信された場合にのみ、報告され得る。
【００８２】
実施形態は、送信ポイントのあるサブセットについて報告され得るＣＳＩのタイプが、送信ポイントの他のサブセットについてのものと異なる得ることを企図している。より一般的には、ＣＳＩのどの部分がどのサブフレームで報告されるかを定義し得る、ＣＳＩ報告モードは、送信ポイントの各サブセットについて異なり得る。例えば、送信ポイントの第１のサブセットのＣＳＩフィードバックは、（サブバンドＣＱＩが報告され得る）ＰＵＣＣＨ  ＣＳＩ報告モード２−１のために構成され得、一方、送信ポイントの第２のサブセットのＣＳＩフィードバックは、（広帯域ＣＱＩが報告され得る）ＰＵＣＣＨ  ＣＳＩ報告モード１−１のために構成され得る。別の例では、送信ポイントの第１の組のＣＳＩフィードバックは、（サブバンドＰＭＩおよびＣＱＩが報告され得る）ＰＵＳＣＨ報告モード２−２のために構成され得、一方、送信ポイントの第２のサブセットのＣＳＩフィードバックは、（広帯域ＣＱＩおよびサブバンドＰＭＩが報告され得る）ＰＵＳＣＨ報告モード１−２のために、または（広帯域ＰＭＩおよびサブバンドＣＱＩが報告され得る）ＰＵＳＣＨ報告モード３−１のために構成され得る。
【００８３】
１または複数の実施形態は、ＷＴＲＵが、与えられたサブフレーム（ｎ）での特定のサブセットのＣＳＩの報告を、先行サブフレーム（ｎ−ｋ）で非周期的ＣＳＩ要求を受信した場合に、行い得ることも企図しており、ｋは、事前定義または通信され得る。そのような非周期的ＣＳＩ要求は、ダウンリンク制御情報（ＤＣＩ）の特定のフィールドを、値のサブセットのうちの少なくとも１つに設定することによって、例えば、物理レイヤで通信され得、ＤＣＩは、アップリンクグラントを通信し得、ＰＤＣＣＨ、または拡張制御チャネル（Ｅ−ＰＤＣＣＨ）などの別のダウンリンク制御チャネル上で送信され得る。ＷＴＲＵがＣＳＩを報告し得るサブセット（またはサブセットの組）は、以下のうちの１または複数に従って決定および／または導出され得る。（１）非周期的ＣＳＩ要求を含むダウンリンク送信の特徴。（２）おそらくは、システムフレーム番号およびサブフレーム番号によって表現される、要求が受信されるサブフレーム（ｎ−ｋ）の、またはＣＳＩが報告されるサブフレーム（ｎ）のタイミング。（３）非周期的ＣＳＩ要求と同じサブフレームで受信（送信）される１組のＣＳＩ−ＲＳ、または非周期的ＣＳＩ要求に対してｘ−ｙサブフレームで受信もしくは送信される１組のＣＳＩ−ＲＳ。ここで、ｘは、非周期的ＣＳＩ要求が受信されるサブフレームであり、ｙは、所定のまたは構成される値である。（４）非周期的ＣＳＩ要求と同じサブフレームで受信（送信）される１組のＣＳＩ−ＲＳ、または非周期的ＣＳＩ要求に対してｘ−ｙサブフレームで受信もしくは送信される１組のＣＳＩ−ＲＳ。ここで、ｘは、非周期的ＣＳＩ要求が受信されるサブフレームであり、ｙは、所定のまたは構成される値である。（５）非周期的ＣＳＩ要求と同じサブフレームで受信（送信）される１組のＣＳＩ−ＲＳ、または非周期的ＣＳＩ要求に対してｘ−ｙサブフレームで受信もしくは送信される１組のＣＳＩ−ＲＳ。ここで、ｘは、非周期的ＣＳＩ要求が受信されるサブフレームであり、ｙは、所定のまたは構成される値である。（６）非周期的ＣＳＩ要求を含むダウンリンク制御シグナリングによって示される、アップリンク送信の特徴。および／または（７）ＣＳＩが報告される送信ポイントのサブセットが、非周期的ＣＳＩ要求を示すダウンリンク制御シグナリングの送信のために使用される送信ポイントのサブセットに対応することを示すために、非周期的ＣＳＩ要求フィールドのコードポイントを確保しておくなど、上記の組み合わせ。
【００８４】
一例では、非周期的ＣＳＩ要求を含むダウンリンク送信の特徴は、以下のものを含むが、それらに限定されない。（１）ＵＥに対する非周期的ＣＳＩ要求を含む（ＰＤＣＣＨなどの）ダウンリンク制御シグナリングからの表示（例えば、表示は、ＣＱＩ要求フィールドなどの既存のフィールドの、またはおそらくは、今のところ定義されていないＤＣＩフォーマット内のフィールドの、特定のコードポイントによって提供され得る）。（２）非周期的ＣＳＩ要求を含む（例えば、ｅｖｏｌｖｅｄＰＤＣＣＨなどの）ダウンリンク制御シグナリングの送信のために使用される送信ポイント（例えば、ダウンリンク制御シグナリングが拡張制御チャネルを通して通信される場合、ＷＴＲＵがＣＳＩを報告する送信ポイントのサブセットは、拡張制御チャネルの送信において使用される１組の送信ポイントに対応し得る）。（３）非周期的ＣＳＩ要求を含むダウンリンク制御シグナリングが送信されるセル（例えば、ＷＴＲＵは、このセルに対応する送信ポイントのサブセットのＣＳＩを報告し得、いくつかの実施形態では、ＷＴＲＵは、このセルに対応する送信ポイントのサブセットのＣＳＩのみを報告し得る）。および／または（４）ＣＳＩ要求フィールドの値に従ってフィードバックが提供されるセルのサブセット（例えば、ＷＴＲＵは、セルのサブセットに対応する送信ポイントのサブセットのＣＳＩを報告し得る）。
【００８５】
１または複数の実施形態は、ＷＴＲＵが、与えられたサブフレームで、以下のうちの１または複数に従って決定される送信ポイントのサブセットのＣＳＩを報告し得ることを企図している。（１）それのＣＳＩを報告する、送信ポイントもしくは送信ポイントのサブセット、および／またはＣＳＩ−ＲＳリソースのサブセットの最大数Ｍを決定する。この値は、事前決定され得、またはより高位のレイヤによって通信され得る。および／または（２）ＣＳＩ報告のために構成されたすべての送信ポイント（またはそのサブセット）の中から、関連するメトリックの値が最も大きな値になるような、および／またはそれが一定の閾値を上回り得るような、送信ポイントまたはそのサブセットを最大Ｍ個まで選択する。関連するメトリックは、対応する送信ポイントから受信された信号の品質、および／またはこれらの送信ポイント上の送信の予想される性能を表し得る。１または複数の実施形態では、メトリックは、各送信ポイント、または送信ポイントの各サブセットに関連付けられ得る。
【００８６】
実施形態は、単一のメトリックが、Ｍ個の送信ポイントの選択に関連付けられ得ることも企図している。例えば、送信ポイントの選択は、以下のうちの１または複数に基づき得る。（１）送信ポイントからの広帯域ＣＱＩ、または送信ポイントのサブセットのためのプリコーディング行列上で可能な限り最良の広帯域ＣＱＩ。（２）報告が特定のサブバンドについてのものである場合は、サブバンドＣＱＩ、または（送信ポイントのサブセットのための）最良のプリコーディング行列を使用する、サブバンド上のサブバンドＣＱＩの最大値。（３）送信ポイントからの受信信号強度（ＲＳＲＰ）。（４）送信ポイントからの受信信号品質（ＲＳＲＱ）。（５）選択された送信ポイントからの仮想の送信について予想されるスループット。および／または（６）同じまたは異なるレイヤおよび／またはフローが、いくつかの送信ポイントまたは各送信ポイントから受信され得る、選択された送信ポイントからの仮想の送信についての最大ランク。
【００８７】
実施形態は、ＷＴＲＵが、以下のうちの１または複数に従って、最大Ｍ個の送信ポイントを選択することを選択し得ることを企図している。（１）おそらくは、少なくとも１つのプリコーディング行列を仮定して、例えば、ＣＱＩ、ＲＳＲＰ、および／もしくはＲＳＲＱなどによって測定される、最良のチャネル品質などを提供する、送信ポイントを選択する。（２）（スループットまたはＳＩＮＲなどの）性能メトリックが事前に定められた閾値以上に改善される場合、またいくつかの実施形態では、おそらく、（スループットまたはＳＩＮＲなどの）性能メトリックが事前に定められた閾値以上に改善される場合に限って、報告された１組の送信ポイントに別の送信ポイントを追加する。１または複数の実施形態では、本明細書で説明される、Ｍ個の送信ポイントの選択に関連付けられるメトリックは、所定の期間にわたって持続し得る。例えば、メトリックがＣＱＩ報告に依存する場合、送信ポイントは、測定された量がある期間にわたって閾値を上回る／下回る場合に選択され得る。
【００８８】
実施形態は、アクティブ化状態が、送信ポイントまたはそれのサブセットに対して定義され得ることを企図している。与えられたサブフレームで、ＷＴＲＵは、「アクティブ」状態にある、送信ポイントおよび／またはそれのサブセットのＣＳＩを報告し得る。１または複数の実施形態では、ＷＴＲＵは、非アクティブな送信ポイントまたはそれのサブセットに関連付けられた基準信号の品質を測定し得ない。アクティブ化状態は、以下のうちの１または複数を使用して、すなわち、（１）送信ポイントもしくはそれのサブセットの構成に従って、初期アクティブ化状態を、「アクティブ」もしくは「非アクティブ」に設定すること、および／または（２）アクティブ化もしくは非アクティブ化コマンドの受信を通した、明示的なアクティブ化もしくは非アクティブ化を使用して決定され得る。コマンドは、以下の特徴のうちの１または複数を有するＰＤＣＣＨ制御シグナリング（例えば、ＤＣＩ）の受信からなど、例えば、物理レイヤシグナリングによって通信され得、その特徴は、ＤＣＩが、少なくとも１つのＣｏＭＰ機能の使用を示し得る、無線ネットワーク識別子（ＲＮＴＩ）を使用してスクランブルされること、ＤＣＩが、ＣｏＭＰが送信に適用可能であることを割り当てが示すように、少なくとも１つの無線リソース割り当て（例えば、ダウンリンク割り当て）を示すこと、ならびに／またはシグナリングが、少なくとも１つのＣｏＭＰ機能のアクティブ化および／もしくは非アクティブ化のための表示（例えば、ビット）を含み得る、上記の特徴のいずれかである。さらに、コマンドは、ＭＡＣレイヤシグナリング（例えば、ＭＡＣ制御要素）、および／またはＲＲＣシグナリングのうちの一方または両方によって通信され得る。実施形態は、１または複数の条件が検出された場合に、暗黙的な非アクティブ化が発生し得ることを企図しており、その条件は、例えば、送信ポイントもしくはそれのサブセットに関連付けられたメトリックが閾値よりも低下したこと、ＷＴＲＵが、ＷＴＲＵへの送信のために送信ポイントもしくはそれのサブセットを利用することを開始するようにネットワークをトリガーし得る、１もしくは複数の測定値を報告したこと、および／または送信ポイントもしくはそれのサブセットを利用した、ネットワークからの最後の送信時に開始された（もしくは再開された）タイマが、満了したことである。
【００８９】
先に説明されたシグナリング方法の１または複数について、１または複数の実施形態は、ＷＴＲＵが、ＣｏＭＰ機能のアクティブ化／非アクティブ化を知らせるために、ＨＡＲＱ  Ａ／Ｎを送信し得ることを企図している。加えて、シグナリング手順は、例えば、ＣＳＩ報告／モードおよび／もしくは報告ＣｏＭＰセットの構成についてのインデックステーブル（例えば、００、０１、１０、１１）、ならびに／またはフィードバックフォーマット、ならびに／または使用するフィードバックリソースに基づいて構築され得る。
【００９０】
実施形態は、アップリンクでは、ＣＳＩ報告もしくは測定報告の目的で、および／または（ＰＤＣＣＨもしくは拡張ＰＤＣＣＨのＤＣＩフォーマットなど）ダウンリンク制御シグナリングでは、非周期的ＣＳＩ要求もしくはデータ送信の目的で、１組の送信ポイントを示すために使用され得る技法を企図している。例えば、ＷＴＲＵは、各ビット位置が特定の送信ポイントまたはそれのサブセットに対応し得るビットマップによって、送信ポイントまたは送信ポイントのサブセットを示し得る（またはそれに示しておき得る）。別の例では、送信ポイントのサブセットは、関連するシグナリング（ＣＱＩ報告、ＤＣＩなど）の送信のサブフレームのタイミング、および関連するシグナリングの送信のために使用される送信ポイントなど、関連するシグナリングの送信の特徴によって暗黙的に示され得る。別の例では、ＣＳＩが報告されない送信ポイントのＣＳＩに取って代わるために、事前定義されたビットのシーケンスが使用され得る。別の例では、構成内のいくつかまたは各ＣＳＩ−ＲＳリソースにインデックスが関連付けられ得る。ＷＴＲＵは、このインデックスを、関連付けられたＣＳＩ報告とともに報告し得る。インデックスは、明示的に提供され得、または例えば、ＲＲＣメッセージで受信された構成の順序に従って、ＷＴＲＵにおいて暗黙的に決定され得る。
【００９１】
実施形態は、１組のＫ個の送信ポイントのＣＳＩフィードバックの構成要素を企図している。ＣＳＩフィードバックを決定するための基礎として使用され得る測定値は、１組の以下の信号、すなわち、ＣＳＩ−ＲＳ基準信号、ＣＲＳ基準信号、および／または他のタイプの基準信号のうちの少なくとも１つから導出され得る。そのような基準信号は、組のうちの第ｋの送信ポイントについては、Ａk個の（基準信号）アンテナポート上で送信され得る。いくつかまたは各送信ポイントについてのアンテナポートの構成、および関連する基準信号についての１または複数のマッピング技法が、実施形態によって企図されている。
【００９２】
１または複数の実施形態は、ＷＴＲＵが、組のうちのいくつかまたはＫ個すべての送信ポイントにわたるジョイント送信について達成され得る、「ジョイントランク表示」ＲＩjointまたは「共通ランク表示」を報告し得ることを企図している。ジョイントランク表示は、例えば、Ｋ個の送信ポイントにわたるジョイント送信のために役立つ送信レイヤの推奨数（またはランク）として解釈され得る。ＷＴＲＵは、第ｋの送信ポイント上での、またいくつかの実施形態では、第ｋの送信ポイント上のみでの送信のために役立つ送信レイヤの推奨数（またはランク）に対応し得る、ポイント毎ランク表示ＲＩkを報告し得る。ポイント毎ランク表示は、例えば、ＣＳＩ評価がＣＳＩ−ＲＳ測定に基づく場合、「ＣＳＩ−ＲＳリソース毎ランク表示」とも呼ばれ得る。
【００９３】
実施形態は、ポイント毎ランク表示が、無条件ポイント毎ランク表示および／または条件付きポイント毎ランク表示を含み得ることを企図している。無条件ポイント毎ランク表示ＲＩkは、他のＷＴＲＵのために他の送信ポイント上で利用されるプリコーディングにいかなる仮定も設けない、送信ポイントｋ上でのＷＴＲＵへの（いくつかの実施形態では、おそらく、ＷＴＲＵのみへの）送信を示し得る。条件付きポイント毎ランク表示ＲＩkは、他の送信ポイント上で１または複数のプリコーダを用いて他のＷＴＲＵへの送信が行われることを仮定した、送信ポイントｋ上でのＷＴＲＵへの（いくつかの実施形態では、おそらく、ＷＴＲＵのみへの）送信を示し得る。その使用がＷＴＲＵに対する最大の干渉をもたらし得る他の送信ポイントのための１または複数のプリコーダが、ＷＴＲＵによって示され得る。あるいは、または加えて、１または複数の実施形態では、その使用がＷＴＲＵに対する最小の干渉をもたらし得る他の送信ポイントのための１または複数のプリコーダが、ＷＴＲＵによって示され得る。１または複数のプリコーダは、「ゼロ」プリコーダ（例えば、送信なし、または「ミューティング」）を含み得る。１組の許可されたプリコーダに属する、または１組の制限されたプリコーダ以外に属するなど、プリコーダのサブセットに属する、他の送信ポイントのためのプリコーダが、ＷＴＲＵによって示され得る。そのようなプリコーダの使用は、ＷＴＲＵが、関連する送信ポイントからデータを適切に受信することを可能にし得る。ＷＴＲＵは、独立して、関連する送信ポイントからデータを受信し得る。例えば、周波数帯域全体について、または特定の１組のサブバンドについて、ランク表示が報告され得る。
【００９４】
１または複数の実施形態では、ＷＴＲＵは、送信パラメータ（例えば、変調、コードレート、トランスポートブロックサイズ）の少なくとも１つの組み合わせに対応する、少なくとも１つのチャネル品質インデックス（ＣＱＩ）を報告し得る。例として、この組み合わせは、あるＣＳＩ基準リソースを占有する単一のＰＤＳＣＨトランスポートブロック（例えば、コードワード）が、所定の閾値を超えないトランスポートブロック誤り確率（例えば、０．１など）で、受信され得るようなものであり得る。異なるタイプのＣＱＩが、本明細書で説明されるような、Ｋ個の送信ポイント上での仮定されたタイプの送信に基づいて定義され得る。
【００９５】
実施形態は、ＣＱＩが、「ジョイントＣＱＩ」または「アグリゲートＣＱＩ」（ＣＱＩjoint）、および「ポイント毎ＣＱＩ」または「ＣＳＩ−ＲＳリソース毎ＣＱＩ」（ＣＱＩk）など、いくつかのタイプを含み得ることを企図している。ジョイント（またはアグリゲート）ＣＱＩ（ＣＱＩjoint）は、組のうちのいくつかまたはＫ個すべての送信ポイントにわたる、コードワードのジョイント送信についてのＣＱＩを含み得る。ＷＴＲＵがジョイントＣＱＩを使用する場合、ＣＱＩがフィードバックされている組内のポイントの送信状態またはＣＳＩプロセスに対して、仮定が設けられ得る。例えば、ポイントは、以下の状態、すなわち、ＷＴＲＵに送信している、ＷＴＲＵに干渉している（例えば、別のＷＴＲＵに送信している）、ミューティング（例えば、ブランク）、または未知のうちの１つにあり得る。未知状態は、ＷＴＲＵがポイントの送信状態またはＣＳＩプロセスに仮定を設けず、ポイントが上で定義された３つの状態の１つにあり得ることを示し得る。ＷＴＲＵに送信していると仮定されたポイントは、同期的または非同期的に送信し得る。ＷＴＲＵは、送信ポイントに対して設けられた仮定に基づいて、同期的ジョイント（またはアグリゲート）ＣＱＩ、および非同期的ジョイント（またはアグリゲート）ＣＱＩをフィードバックし得る。ジョイント（またはアグリゲート）ＣＱＩは、同期的ジョイントＣＱＩおよび非同期的ジョイントＣＱＩを含み得る。同期的ジョイント（またはアグリゲート）ＣＱＩは、コードワードのシンボルが、おそらくは、上で説明された、結合行列または結合インジケータに従った、Ｋ個の各送信ポイントで使用されるプリコーダ間の決定された関係を使用して、最大Ｋ個の送信ポイント上で送信され得ることを仮定し得る。例えば、プリコーダ間の相対位相は、送信ポイントからの信号が、（ゼロ位相差を用いて）同期的に結合する、または所定の位相差を用いて結合するようなものであることが仮定され得る。非同期的ジョイント（またはアグリゲート）ＣＱＩは、コードワードのシンボルが、いくつかの送信ポイントまたはＫ個の各送信ポイントで使用されるプリコーダ間の決定された関係を用いずに、最大Ｋ個の送信ポイント上で送信され得ることを仮定し得る。
【００９６】
実施形態は、例えば、２以上の送信ポイントからの送信についてのＣＱＩを評価することを企図している。１または複数の実施形態では、ＷＴＲＵは、ＷＴＲＵ構成に従って、ＣＳＩ−ＲＳまたはＣＲＳ信号が存在することが分かっている、少なくとも１つのリソース要素の受信信号強度ＳRS,iを推定し得る。少なくとも１つのリソース要素について、この基準信号（ＣＳＩ−ＲＳまたはＣＲＳ）のリソース要素当たりエネルギー（ＥＰＲＥ）と、ＰＤＳＣＨ送信のＥＰＲＥとの比Ｐc,iが、決定され得る。ＷＴＲＵは、仮想のＰＤＳＣＨ送信についての信号対干渉比（ＳＩＲ）を、ＰＤＳＣＨ送信の信号強度ＳPDSCHと干渉Ｉの比として評価し得、ここで、ＳPDSCHは、少なくとも１つの（ＳRS,i／Ｐc,i）項の関数として、例えば、ＳPDSCH＝Ｓｕｍ＿ｏｖｅｒ＿ｉ（ＳRS,i／Ｐc,i）のように決定され得る。干渉Ｉは、例えば、技法の中でもとりわけ、ネットワークによって提供される他のリソース要素からのエネルギーを測定することによって推定され得る。
【００９７】
ポイント毎ＣＱＩまたはＣＳＩ−ＲＳリソース毎ＣＱＩ（ＣＱＩk）は、第ｋの送信ポイント上での、またいくつかの実施形態では、おそらく、第ｋの送信ポイント上のみでの、このＷＴＲＵへのコードワードの送信についてのＣＱＩを含み得る。ポイント毎ＣＱＩは、無条件ポイント毎ＣＱＩkおよび条件付きポイント毎ＣＱＩkを含み得る。無条件ポイント毎ＣＱＩkは、他のＷＴＲＵのために他の送信ポイント上で利用されるプリコーディングにいかなる仮定も設けない、送信ポイントｋ上での（おそらく、送信ポイントｋ上のみでの）このＷＴＲＵへのコードワードの送信についての、またはＷＴＲＵへの独立のデータについての、ＣＱＩを示し得る。条件付きポイント毎ＣＱＩkは、他の送信ポイント上で１または複数のプリコーダを用いて他のＷＴＲＵへの送信が行われることを仮定した、送信ポイントｋ上での（おそらく、送信ポイントｋ上のみでの）このＷＴＲＵへのコードワードの送信についてのＣＱＩを示し得る。その使用がＷＴＲＵに対する最大の干渉をもたらし得る他の送信ポイントのためのプリコーダが、ＷＴＲＵによって示され得る。ＷＴＲＵに対する最小の干渉をもたらし得る他の送信ポイントのためのプリコーダが、ＷＴＲＵによって示され得る。プリコーダは、「ゼロ」プリコーダ（例えば、送信なし、または「ミューティング」）を含み得る。例えば、１組の許可されたプリコーダに属する、または１組の制限されたプリコーダ以外に属するなど、プリコーダのサブセットに属する、他の送信ポイントのためのプリコーダが、ＷＴＲＵによって示され得る。そのようなプリコーダの使用は、ＷＴＲＵが、関連する送信ポイントからデータを適切に受信することを可能にし得る。例えば、周波数帯域全体について、または特定の１組のサブバンドについて、ＣＱＩが報告され得る。
【００９８】
少なくとも１つのコードワードについて、ＣＱＩの上記のタイプ／サブタイプのうちの２以上が報告される場合、ＷＴＲＵは、第１のコードワードに適用可能な第１のタイプ／サブタイプのＣＱＩについて、この第１のタイプ／サブタイプのＣＱＩの値と、同じコードワードまたは第２のコードワードに適用可能な第２のタイプ／サブタイプのＣＱＩの値との間の差を報告し得る。例えば、コードワードについての第２のタイプ／サブタイプのＣＱＩは、それぞれの第１のタイプ／サブタイプのＣＱＩとは異なるように符号化され得る。
【００９９】
１または複数の実施形態は、ＷＴＲＵが、１組のＫ個の送信ポイントに適用可能な少なくとも１つのプリコーディング行列インジケータ（ＰＭＩ）を報告し得ることを企図している。ＰＭＩは、グローバルプリコーディング行列インジケータ、ローカルプリコーディング行列インジケータ、および干渉プリコーディング行列インジケータを含み得る。
【０１００】
少なくとも１つのグローバルプリコーディング行列インジケータは、次元が（Ａ1＋Ａ2＋．．．ＡK）×ＲＩjointのグローバル（または「アグリゲート」）プリコーディング行列Ｗに対応し得る。この行列は、いくつかまたはＫ個すべての送信ポイントからの、ＲＩjoint個のレイヤの各々の上での、このＷＴＲＵのためのデータの送信のために推奨されるプリコーダを表し得る。１または複数の実施形態では、グローバル（またはアグリゲート）ＰＭＩの解釈は、最後に報告されたジョイントランク表示ＲＩjointに依存し得る。
【０１０１】
送信ポイントｋのためのローカル（または「ポイント毎」もしくは「ＣＳＩ−ＲＳリソース毎」）プリコーディング行列インジケータは、次元がＡk×ＲＩkの行列Ｗkを含み得る。この行列は、第ｋの送信ポイントからの、ＲＩk個のレイヤの各々の上での、このＷＴＲＵのためのデータの送信のために推奨されるプリコーダを表し得る。ローカル（またはポイント毎）ＰＭＩの解釈は、最後に報告されたポイント毎ランクインジケータＲＩkに依存し得る。
【０１０２】
送信ポイントｋのためのプリコーディング行列インジケータは、行列Ｙkを含み得る。この行列は、第ｋの送信ポイントから別のＷＴＲＵのために送信されるデータなど、望ましくないデータの送信のために使用され得るプリコーダを表す。このプリコーダは、少なくとも１つの送信レイヤについて、ＷＴＲＵへの最小の干渉をもたらし得る、少なくとも１つの他のＷＴＲＵへの送信のためのプリコーダの少なくとも１つに対応し得る。それは、少なくとも１つの送信レイヤについて、ＷＴＲＵへの最大の干渉をもたらし得る、少なくとも１つの他のＷＴＲＵへの送信のためのプリコーダにも対応し得る。
【０１０３】
実施形態は、１または複数の送信ポイントｋ1のための１組のプリコーディング行列
【０１０４】
【数１】
2020129834.tif 000004
【０１０５】
が、１組のプリコーダに対応し得ることを企図している。プリコーディング行列の組は、プリコーダ行列のグループを含み得る。その組は、ＷＴＲＵが、他の送信ポイント（例えば、ｋ2）から、おそらくは独立のデータを正しく受信し得ることを保証するために、送信ポイントｋ1によって使用され得ない１組のプリコーダに対応し得る。その組は、送信ポイントｋ1が、ＷＴＲＵによってフィードバックされたプリコーダ行列表示によって識別されるプリコーダを使用しないことを選択した場合に、送信ポイントｋ1がプリコーダを選択し得る１組のプリコーダに対応し得る。
【０１０６】
実施形態は、ローカル（またはポイント毎）プリコーディング行列Ｗkに対応する、少なくとも１つのプリコーディング行列インジケータが、以下のうちの１または複数を含み得ることを企図している。
−事前定義されたマッピングに従ってプリコーディング行列Ｗkに対応し、その解釈が最後に報告されたポイント毎ランク表示ＲＩkに依存し得る、単一のインデックスｉk。または
−事前定義されたマッピングに従ってプリコーディング行列Ｗkに対応し、最後に報告されたポイント毎ランク表示ＲＩkに依存し得る、１つまたは２つのインデックスｉ1kおよび／またはｉ2k。第１のインデックスｉ1kは、短期間では変化し得ないプリコーディング行列の特性、例えば、少なくとも１グループのアンテナポートに適用される少なくとも１組の重み（またはビーム）に対応し得、ここで、少なくとも１グループのアンテナポートは、ポイント毎ランク表示ＲＩkに依存し得る。第２のインデックスｉ2kは、短期間で変化し得るプリコーディング行列の特性、例えば、ＲＩk個の送信レイヤの各々についての、アンテナポートのグループの各々から選択されたビーム、およびこれらのビーム間の結合情報（例えば、共位相）に対応し得る。
実施形態は、この送信について、単一のインデックスが報告されるか、それとも２つのインデックスが報告されるかが、より高位のシグナリングもしくは構成、および／または送信ポイントにおけるアンテナの数に依存し得ることを企図している。
【０１０７】
実施形態は、グローバルプリコーディング行列Ｗに対応する、１または複数のプリコーディング行列インジケータが、以下のうちの１または複数を含み得ることを企図している。
−各送信ポイントｋについての、先に説明されたような、ローカルプリコーディング行列Ｗkに対応する、少なくとも１つのポイント毎プリコーディング行列インジケータ（例えば、ｉk、またはｉ1kとｉ2kのペア）。
−次元が（ＲＩ1＋ＲＩ2＋．．．＋ＲＩK）×ＲＩjointの結合行列Ｗcombに対応し得、その解釈が、最後に報告されたジョイントランク表示ＲＩjoint、およびおそらくは、１組のポイント毎ランク表示ＲＩkに依存し得る、少なくとも１つの結合インジケータｉcomb（またはポイント間インジケータ、もしくはＣＳＩ−ＲＳリソース間インジケータ）。結合行列Ｗcombは、結合された１組の送信ポイントのＲＩjoint個の送信レイヤの各々について、各送信ポイントの最後に報告されたローカルプリコーダのどのビームが（存在する場合に）使用されるか、およびこれらの送信ポイントのビーム間の共位相情報を示す。インジケータは、例えば、相対振幅情報も提供し得る。
その後、この１組のプリコーディング行列インジケータに対応するグローバルプリコーディング行列Ｗは、以下の例示的な式を用いて獲得され得る（ここでは、行はセミコロンで分離されている）。
Ｗ＝［Ｗ1  ０．．．０；０  Ｗ2  ０．．．０；０  ０  Ｗk．．．０；．．．；０．．．０  ＷK］×Ｗcomb
【０１０８】
実施形態は、１または複数の結合インジケータｉcombが、以下のうちの１または複数を含み得ることを企図している。
−事前定義されたマッピングに従った、特定の結合行列Ｗcombに対する少なくとも１つのインデックス。
−グローバル（またはアグリゲート）プリコーディング行列が、各レイヤが高々１つの送信ポイント上で送信されるようなものであるかどうか（すなわち、行列Ｗcombが恒等行列であるかどうか）の表示。
−各送信レイヤについて、各送信ポイントのローカル（もしくはポイント毎）プリコーダに、またはそれらの間に適用されるべき、位相差（または補正）の少なくとも１つの表示。１または複数の実施形態では、特定の「基準」ポイント毎プリコーダの位相差は、ゼロに固定され得、この場合、位相差は、「ポイント間位相情報」と呼ばれることがある。
【０１０９】
限定することなく、例として、実施形態は、少なくとも１つの送信レイヤについて、基準が１つの特定の送信ポイントのタイミングであり得る、量子化されたタイミングオフセットΔτを示す、各送信ポイントについての１つの表示、各送信レイヤについて、同期的結合のために、この送信ポイントのプリコーダに適用されるべき位相差（もしくは補正）を示す、各送信ポイントについての１つの表示（ｉk,comb）、ならびに／または各送信レイヤについて、同期的結合のために、この送信ポイントのプリコーダに適用されるべき位相差（もしくは補正）を示す、各送信ポイントについての２つの表示（ｉ1k,combおよびｉ2k,comb）を企図しており、ここで、
●１つのポイント毎表示ｉ1k,combは、量子化された位相補正のＭ個の最上位ビットなど、短期間には変化しない位相補正の特性に対応し得、および／または
●１つのポイント毎表示ｉ2k,combは、量子化された位相補正のＬ個の最下位ビットなど、短期間に変化し得る位相補正の特性に対応し得る。
【０１１０】
実施形態は、グローバル（またはアグリゲート）プリコーディング行列Ｗに対応する、１または複数のプリコーディング行列インジケータも、以下を含み得ることを企図している。
−各送信ポイントｋについての、短期間では変化し得ないグローバル（またはアグリゲート）プリコーディング行列の特性、例えば、送信ポイントｋに属する少なくとも１グループのアンテナポートに適用される少なくとも１組の重み（またはビーム）に対応する、インデックスｉ1k。ここで、少なくとも１グループのアンテナポートは、ポイント毎ランク表示ＲＩkに、またはジョイント（もしくは共通）ランク表示ＲＩjointに依存し得る。
−１組のｉ1kインデックスは、連結されて、単一のジョイント（またはアグリゲート）長期プリコーディングインデックスｉ1jointになり得る。および／または
−短期間で変化し得るグローバルプリコーディング行列Ｗの特性、例えば、ＲＩjoint個の送信レイヤの各々についての、いくつかまたはすべての送信ポイントに属するアンテナポートのグループのいくつかまたは各々から選択されたビーム、およびこれらのビーム間の結合情報（例えば、共位相）に対応し得る、インデックスｉ2comb。
【０１１１】
実施形態は、グローバル（またはアグリゲート）プリコーディング行列Ｗが、短期間では変化し得ないグローバルプリコーディング行列の特性に対応し得る、単一のインデックスｉ1（おそらく、単一のインデックスｉ1）を含み得ることを企図している。例えば、インデックスｉ1は、送信ポイントに適用され得る、１組の重みおよび／またはビームに対応し得る。グローバル（またはアグリゲート）プリコーディング行列Ｗは、各送信ポイントｋについて、インデックスｉ2kを含み得る。インデックスｉ2kは、短期間で変化し得る各ローカル（またはポイント毎）プリコーディング行列の特性に対応し得る。例えば、インデックスｉ2kは、重みの選択されたサブセット、およびＲＩ個の送信レイヤの各々についての各極性間の共位相に対応し得る。
【０１１２】
例えば、ＷＴＲＵが、各々が４つのｘ極性送信アンテナを用いる、２つの送信ポイントから１つのレイヤを受信し得る場合、信号ｙ＝Ｗｘ＋ｚが受信され得、ここで、ｙは、受信信号のｎr×１ベクトルとし得、ｘは、送信信号のｎl×１ベクトルとし得（ｎl＝１）、ｚは、ｎr×１雑音ベクトルとし得、Ｗは、ｎr×ｎlプリコーディング行列とし得る。送信ポイント「ａ」に割り当てられた４つのポートは、ａ1、ａ2、ａ3、ａ4で表され得、送信ポイント「ｂ」に割り当てられた４つのポートは、ｂ1、ｂ2、ｂ3、ｂ4で表され得る。プリコーディング行列は、Ｗ→［ａ1，ａ2，ｂ1ｂ2，ａ3，ａ4，ｂ3，ｂ4］Tに従って、アンテナポートにマッピングされ得る。以下のコードブック構造が使用され得る（表２も参照）。
【０１１３】
【数２】
2020129834.tif 000005
【０１１４】
【数３】
2020129834.tif 000006
【０１１５】
ｖm＝［１  ｅj2πn/32  ｅj4πn/32  ｅj6πn/32 ］T
【０１１６】
【表２】
2020129834.tif 000007
【０１１７】
同じ長期／広帯域ＰＭＩ  ｉ1が、両方の送信ポイントによって使用され得る。各送信ポイントは、独自の短期／狭帯域ｉ2（ｉ2aおよびｉ2b）を有し得る。インデックスｉ1は、フィードバックの４ビットを必要とし得、一方、インデックスｉ2aは、４ビットを必要とし得、インデックスｉ2bは、２ビットを必要とし得る。例えば、送信ポイントａにおけるプリコーディングは、ｉ1およびｉ2aを必要とし得る。送信ポイントｂにおけるプリコーディングは、ｉ1、ｉ2a、およびｉ2bを必要とし得る。代替的な送信ポイントｂは、例えば、フィードバックｉ1およびｉ2bのみを有し得る。送信ポイントｂにおいてｉ2aへの依存を排除するため、各送信ポイントにおけるコードブックは、以下を含み得る（表３および表４を参照）。
【０１１８】
【表３】
2020129834.tif 000008
【０１１９】
【表４】
2020129834.tif 000009
【０１２０】
この場合、いくつかの送信ポイント、または各送信ポイントは、例えば、ｉ1（４ビット）、およびそれぞれのｉ2（各々４ビット）を受信し得る。
【０１２１】
１組のプリコーディング行列
【０１２２】
【数４】
2020129834.tif 000010
【０１２３】
は、所定のマッピングに従ってプリコーディング行列のグループに対応し得る、インデックス（おそらく、単一のインデックス）を含み得る。プリコーディング行列のグループの解釈は、最後に報告されたポイント毎ランク表示ＲＩk、および／またはこのＷＴＲＵのために使用される望ましいプリコーディング行列に対応するプリコーディング行列インジケータに依存し得る。１組のプリコーディング行列は、複数のインデックスを含み得、各々は、例えば、そのグループ化が組を構成する所定のマッピングに従って、特定のプリコーディング行列を示す。
【０１２４】
１または複数の実施形態では、ＷＴＲＵは、少なくとも１つの送信ポイントについて、少なくとも１つの電力調整インジケータＰＡＩkを報告し得る。電力調整インジケータＰＡＩkは、ＤＭ−ＲＳ基準信号および送信ポイントｋからこのＷＴＲＵに送信するためのデータシンボルの少なくとも一方に対して推奨される電力調整の値に対応し得る。これは、ネットワークが、いくつかまたはすべての送信ポイントから受信される電力をより良好に平衡させることを可能にし得る。電力調整インジケータと実際の電力調整（例えば、ｄＢ単位）の間のマッピングは、例えば、より高位のレイヤによって事前定義または提供され得る。１または複数の実施形態では、ＷＴＲＵは、ネットワークからのあるタイプのシングルポイントまたはマルチポイント送信を仮定して、チャネル状態情報を報告し得る。そのような送信についての仮定は、本明細書では、「送信状態」または「ＣＳＩプロセス」と呼ばれ得る。送信状態またはＣＳＩプロセスは、少なくとも１つの送信ポイントについて、この送信ポイントが、
−報告されたポイント毎またはアグリゲートプリコーディング行列インジケータに従って、ＷＴＲＵに送信しているか、
−報告されたポイント毎またはアグリゲートプリコーディング行列インジケータに従って、別のＷＴＲＵに送信しているか、および／または
−いかなるＷＴＲＵにも送信していないか（例えば、ミュートもしくはブランク）
についての仮定を含み得る。１または複数の実施形態では、与えられた送信状態またはＣＳＩプロセスについて、少なくとも１つの送信ポイントに対して設けられるいかなる仮定も存在し得ない。
【０１２５】
１または複数の実施形態では、ある送信状態またはＣＳＩプロセスに対するＣＳＩの報告は、異なる方法を使用して、より高位のレイヤによって構成され得る。そのようなＣＳＩプロセスは、本明細書で説明されるように、「ＣＳＩケース」、「ＣＳＩタイプ」、および／または「ＣＳＩ仮定」と呼ばれることがある。１または複数の実施形態では、１または複数の報告モードが、ＣＳＩプロセスの１もしくは複数、または各々について構成され得る。１または複数の実施形態では、１または複数の周期的および／もしくは非周期的報告ならびに／または報告タイプ（例えば、ランクインジケータ（ＲＩ））は、１もしくは複数の報告モード、および／または１もしくは複数のＣＳＩプロセスに対応し得る。
【０１２６】
例えば、１または複数の実施形態は、ＷＴＲＵが、所望の信号がそこから送信されることが仮定され得るポイントに対応する少なくとも１つのＣＳＩ−ＲＳリソース、および／または送信状態またはＣＳＩプロセスに従って、干渉信号がそこから送信されることが仮定され得るポイントに対応する少なくとも１つのＣＳＩ−ＲＳリソースを示すことによって、あるＣＳＩケースまたはＣＳＩプロセスを報告するように構成され得ることを企図している。加えて、ＷＴＲＵは、例えば、ネットワーク内の他のポイントからの送信によって生成される雑音および干渉をその中で測定するために、（少なくとも１つのゼロ電力ＣＳＩ−ＲＳリソースに対応する１組のリソース要素など）１組のリソース要素をあるサブフレーム内に含み得る、干渉測定リソースまたはＣＳＩ−ＩＭを用いても構成され得る。
【０１２７】
あるいは、または加えて、１または複数の実施形態は、ＷＴＲＵが、例えば、所望の信号がそこから送信されることが仮定され得るポイントに対応する少なくとも１つのＣＳＩ−ＲＳリソース、ならびに／または送信状態もしくはＣＳＩプロセスに従って生成される干渉をおそらく含む、雑音および干渉をその中で測定するために、１組のリソース要素をあるサブフレーム内に含む、少なくとも１つの干渉測定リソースを示すことによって、あるＣＳＩケースまたはＣＳＩプロセスを報告するように構成され得ることを企図している。
【０１２８】
１または複数の実施形態では、例えば、おそらく、ＷＴＲＵが複数のサービングセルを用いて構成され得る場合（キャリアアグリゲーション）、特定のＣＳＩケースまたはＣＳＩプロセスは、あるサービングセルまたはあるキャリア周波数に関連付けられ得る。
【０１２９】
送信ポイントは、（Ｔ）送信、（Ｉ）干渉（例えば、別のＷＴＲＵへの所望外の送信）、（Ｂ）ブランク、および／または（Ｕ）未知などの、送信状態またはＣＳＩプロセスにあり得る。例えば、ポイントがｎ個の場合、最大で４n個の可能な送信状態ベクトル（ＴＳＶ）が存在し得る。いくつかまたは各送信状態ベクトルは、１または複数の送信状態インジケータ（ＴＳＩ）によって示され得る。ＴＳＩは、ＴＳＶに対応し得るスカラ値、またはＴＳＶ自体とし得る。あるいは、または加えて、ＴＳＩは、ＴＳＶを表すビットマップとし得る。また、例として、ＷＴＲＵは、２つの送信中ポイント、２つの干渉ポイント、１つのブランク／ミュートポイントを含み得る、５つのポイントを仮定して、フィードバックを行い得る。例示的な対応するＴＳＩは、［Ｔ  Ｔ  Ｉ  Ｉ  Ｂ］などのベクトルを含み得る。例示的な対応するＴＳＩは、［Ｔ  Ｔ  Ｉ  Ｉ  Ｂ］などのベクトルに対応し得る値を含み得る。追加の送信状態もしくはＴＳＩまたはＣＳＩプロセスは、ジョイント送信が、同期的（例えば、結合インジケータまたはポイント間位相情報を使用する）と仮定され得るか、それとも非同期的と仮定され得るかを示すように定義され得る。
【０１３０】
実施形態は、ＷＴＲＵが、ある可能な送信状態またはＣＳＩプロセスについて、またいくつかの実施形態では、おそらく、ある可能な送信状態またはＣＳＩプロセスのみについて、ＣＳＩを報告するように構成され得ることを企図している。例えば、ＷＴＲＵは、２つのポイントについて、ＣＳＩを報告するように構成され得、以下の送信状態またはＣＳＩプロセス、すなわち、
−第２のポイントが別のＷＴＲＵに送信しているときの、第１のポイントからの単一の送信（もしくは例えば、先の用語法を使用すれば［Ｔ  Ｉ］）、
−第２のポイントがいかなるＷＴＲＵにも送信していないときの、第１のポイントからの単一の送信（もしくは例えば、上記の用語法を使用すれば［Ｔ  Ｂ］）、
−第１のポイントが別のＷＴＲＵに送信しているときの、第２のポイントからの単一の送信（もしくは例えば、上記の用語法を使用すれば［Ｉ  Ｔ］）、
−第１のポイントがいかなるＷＴＲＵにも送信していないときの、第２のポイントからの単一の送信（もしくは例えば、上記の用語法を使用すれば［Ｂ  Ｔ］）、および／または
−両方のポイントからのジョイント送信（もしくは例えば、上記の用語法を使用すれば［Ｔ  Ｔ］）
についてＣＳＩを報告するように構成され得る。実施形態は、１組の送信状態もしくはＣＳＩプロセス、および／またはＷＴＲＵがそれに対するＣＳＩを潜在的に報告し得るＴＳＶの組が、より高位のレイヤによって構成され得ることを企図している。ＷＴＲＵがそれに対するＣＳＩを潜在的に報告し得る、いくつかの送信状態もしくはＣＳＩプロセス、または各送信状態もしくはＣＳＩプロセスは、インデックスまたは「ＣＳＩインデックス」によって示され得る。例えば、ＣＳＩインデックスは、異なるＣＳＩケースがより高位のレイヤによって構成されていく順序に対応し得る。
【０１３１】
実施形態は、送信状態またはＣＳＩプロセス選択が、ネットワークによって制御され得ることを企図している。ネットワークは、送信状態もしくはＣＳＩプロセスもしくはＴＳＩ値（例えば、ＣＳＩ報告に対応するＴＳＩ値）、またはＣＳＩケースを決定し得る。ネットワークは、ＷＴＲＵが使用するＴＳＩおよび／またはＴＳＶを、より高位のレイヤのシグナリングを介して知らせ得る。ネットワークは、ＷＴＲＵが使用するＴＳＩおよび／またはＴＳＶを、例えば、周期的または非周期的フィードバックグラントのために知らせ得る。ＴＳＩは、非周期的フィードバックの一例のために使用され得、または半永続的な非周期的フィードバックグラントの持続時間にわたって使用され得る。１または複数の実施形態では、ＴＳＩは、１または複数のサブフレーム番号に関連付けられ得る。関連付けは、より高位のレイヤのシグナリングによって事前構成され得る。１または複数の実施形態では、ＴＳＩおよび／またはＴＳＶは、先行するフィードバックに基づき得る。例えば、ＷＴＲＵは、ＴＳＩおよび／またはＴＳＶが変化したことをネットワークに知らせ得るインジケータをフィードバックし得る。新しいＴＳＩおよび／またはＴＳＶは、別の事前構成された値に循環的に遷移し得る。例えば、ＷＴＲＵは、ＴＳＩおよび／またはＴＳＶが変更されるべきことをネットワークに知らせ得るインジケータをフィードバックし得る。ネットワークは、別のＣＳＩフィードバックがＷＴＲＵによって実行される前に、新しいＴＳＩおよび／またはＴＳＶをＷＴＲＵに知らせるように促され得る。
【０１３２】
１または複数の実施形態では、ＴＳＩ（またはＣＳＩケース）は、ＣＳＩ報告送信（または非周期的ＣＳＩ要求）のタイミングと比較して、ＣＳＩ−ＲＳリソースの受信のタイミングに依存し得る。例えば、ＷＴＲＵは、
−少なくとも１つのＣＳＩ−ＲＳリソースが、構成に従ってサブフレームで送信されること、および／または
−サブフレームのタイミングが、ＣＳＩが報告される（もしくは代替的に非周期的ＣＳＩが要求される）サブフレームよりも少なくともｋサブフレーム前であること
を満たす、最新のサブフレームで受信されたＣＳＩ−ＲＳリソースのサブセットに結び付けられたＣＳＩケースを報告し得る。上記において、ＣＳＩケースは、前述のＣＳＩ−ＲＳリソースを、仮定された所望の信号として使用する、ＣＳＩケースとし得る。あるいは、または加えて、それは、ＣＳＩ−ＲＳリソースを、仮定された干渉信号または干渉測定リソースとして使用する、ＣＳＩケースとし得る。この選択基準は、最大数よりも多くの周期的ＣＳＩ報告が送信されるために構成され、および／またはＣＳＩケースもしくはＣＳＩプロセスに従った優先順位付けが適用され得る（いくつかの実施形態では、おそらく、適用されなければならない）、サブフレームに（いくつかの実施形態では、おそらく、そのようなサブフレームのみに）適用され得る。
【０１３３】
１または複数の実施形態では、ＴＳＩ／ＴＳＶ選択は、ＷＴＲＵによって制御され得る。例えば、ＷＴＲＵは、ＣＳＩフィードバックが計算された条件をネットワークに通知するために、ＴＳＩおよび／またはＴＳＶをフィードバックし得る。ＷＴＲＵは、ＴＳＩおよび／またはＴＳＶ値を決定し得る。例えば、ポイントがｎ個である場合、ＷＴＲＵは、４n個の可能なＴＳＩおよび／またはＴＳＶ値から選択し得る。例えば、ＷＴＲＵは、可能なＴＳＩおよび／またはＴＳＶ値のサブセットから選択し得る。可能なＴＳＩおよび／またはＴＳＶ値のサブセットは、ＷＴＲＵに通信され得る。例えば、サブセットは、ネットワーク制御のＴＳＩおよび／またはＴＳＶ選択に関して上で説明された１または複数の方法によって（例えば、ＴＳＩをＴＳＩセットで置き換えることによって）、ＷＴＲＵに通信され得る。例えば、可能な値のサブセットは、単一のポイントが（Ｔ）送信である、ＴＳＶを含み得る。いくつかの実施形態では、他のポイントにおける他の条件は使用され得ない（例えば、ミューティングなしのＤＰＳ）。例えば、可能な値のサブセットは、少なくとも２つのポイントが（Ｔ）送信であり、他のポイントが、（Ｂ）ブランクである、ＴＳＩを含み得る（例えば、ブランクを有するジョイント送信）。ＷＴＲＵは、選択されたＴＳＩおよび／またはＴＳＶが変更されたことを示すインジケータを、ネットワークにフィードバックし得る。新しいＴＳＩおよび／またはＴＳＶは、例えば、事前構成され得、またはＷＴＲＵによってフィードバックされ得る。
【０１３４】
上で説明されたように、ＷＴＲＵは、１組の可能な送信状態もしくはＣＳＩプロセス、または（例えば、一実施形態では、ｎをポイントの数として、可能な４n個の値のサブセットを含む）１組の可能な値から、ＴＳＩおよび／またはＴＳＶを選択し得る。ＴＳＩおよび／またはＴＳＶは、性能についての事前構成された閾値を達成するために必要とされるポイントの数に基づいて選択され得る。例えば、ＷＴＲＵは、（例えば、ＳＩＮＲを最大化する、ＢＬＥＲを最小化する、またはスループットを最大化するなどの）性能についての事前構成された閾値を達成するために、送信するポイントを最も少なく（または最も多く）必要とし得る、ＴＳＩおよび／またはＴＳＶを選択し得る。ＴＳＩおよび／またはＴＳＶは、性能についての事前構成された閾値を達成するために、ブランクにされる必要があり得るポイントの数に基づいて選択され得る。例えば、ＷＴＲＵは、（例えば、ＳＩＮＲを最大化する、ＢＬＥＲを最小化する、またはスループットを最大化するなどの）性能についての事前構成された閾値を達成するために、ブランクにされるポイントを最も少なく（または最も多く）必要とし得る、ＴＳＩおよび／またはＴＳＶを選択し得る。例えば、干渉信号がそこから送信されることが仮定され得る、ある数のＣＳＩ−ＲＳリソースに関連付けられ得る、ＣＳＩケースまたはＣＳＩプロセスを選択する（ここで、数は０または正の数とし得る）。
【０１３５】
ＴＳＩおよび／またはＴＳＶは、非送信ポイントに対する制約に基づいて選択され得る。例えば、ＷＴＲＵは、（例えば、ＳＩＮＲを最大化する、ＢＬＥＲを最小化する、またはスループットを最大化するなどの）性能についての事前構成された閾値を達成するために、非送信ポイント（最も少ない（または最も多い）未知のポイント）に対して最も少なく（または最も多く）制約を課し得る、ＴＳＩおよび／またはＴＳＶを選択し得る。１または複数の実施形態では、ＴＳＩおよび／またはＴＳＶは、ＣＱＩおよび／またはランク（例えば、（ＲＩ））に基づいて選択され得る。例えば、ＷＴＲＵは、最も高いＣＱＩおよび／または最も高いランク（例えば、（ＲＩ））を有し得るＴＳＩおよび／またはＴＳＶを選択し得る。
【０１３６】
加えて、または代替として、ＴＳＩおよび／またはＴＳＶは、スループットまたは転送され得るビットの数に基づいて選択され得る。例えば、ＷＴＲＵは、ネットワークが（例えば、ＣＱＩおよびＲＩの両方を含む）推奨されるＣＳＩに従った場合に、総スループットまたはサブフレームで転送され得るビットの総数を最大化し得る、ＴＳＩおよび／またはＴＳＶを選択し得る。１または複数の実施形態では、ＷＴＲＵは、許容されたＴＳＩおよび／またはＴＳＶサブセットから、ＴＳＩおよび／またはＴＳＶを選択し得る。許容されたＴＳＩおよび／またはＴＳＶサブセットは、（Ｔ）送信状態にあり、以下の基準、すなわち、最小許容可能パスロス閾値を超えること、最小ポイント毎ＣＱＩ閾値を達成すること、および／または最大のポイント毎ＣＱＩ閾値と比較した場合に一定のポイント毎ＣＱＩ差分閾値を超えることのうちの１または複数を満たすポイントに対応する、ＴＳＩおよび／またはＴＳＶを含み得る。
【０１３７】
実施形態は、送信状態またはＣＳＩプロセスのためにＣＳＩを評価する際、ＷＴＲＵが、（本明細書で説明されるような）送信状態もしくはＣＳＩプロセス、および／または報告されるＣＳＩのタイプ（例えば、ＣＳＩフィードバックが、結合インジケータを含み得るかどうか、もしくは同期的ジョイント送信のために使用され得るか、それとも非同期的ジョイント送信のために使用され得るか）に関連し得る、対応し得る、または特有とし得るパラメータを含む、１または複数のパラメータを使用し得ることを企図している。例えば、ＷＴＲＵは、以下の例示的な送信状態固有（またはＣＳＩケース固有）のパラメータのうちの１または複数を使用し得る。
−いくつかもしくは各々のポイントもしくはＣＳＩ−ＲＳリソースからの仮定されるＰＤＳＣＨ送信電力（またはいくつかもしくは各々のポイントもしくは非ゼロ電力ＣＳＩ−ＲＳリソースについてのＰＤＳＣＨ  ＥＰＲＥ対ＣＳＩ  ＥＰＲＥの仮定される比、もしくはＰｃ）。例えば、与えられた非ゼロ電力ＣＳＩ−ＲＳリソースについて、この値は、ＣＳＩ−ＲＳリソースが所望信号または干渉信号に対応することが仮定されるかどうかに依存し得る。例えば、ＷＴＲＵは、ＣＳＩ−ＲＳリソースが所望信号に対応すると仮定されるＣＳＩプロセスまたはＣＳＩケースについてのＰＤＳＣＨ  ＥＰＲＥ対ＣＳＩ  ＥＰＲＥの比の第１の値、およびＣＳＩ−ＲＳリソースが干渉信号に対応すると仮定されるＣＳＩケースについてのＰＤＳＣＨ  ＥＰＲＥ対ＣＳＩ  ＥＰＲＥの比の第２の値を使用するように構成され得る。これは、より正確な干渉（およびＣＱＩ）推定を提供し得るが、それは、理由の中でもとりわけ、おそらく、干渉ポイントのプリコーダは、ＷＴＲＵによって受信される干渉電力を最大化するようには設計され得ないからである。別の例では、ＷＴＲＵは、非ゼロ電力ＣＳＩ−ＲＳおよび第１の干渉測定リソース（ＣＳＩ−ＩＭ）を用いて構成される第１のＣＳＩプロセスについてのＰｃの比（ＰＤＳＣＨ  ＥＰＲＥ対ＣＳＩ  ＥＰＲＥ比）の第１の値を使用するように構成され得る。また、ＷＴＲＵは、同じ非ゼロ電力ＣＳＩ−ＲＳおよび第２の干渉測定リソース（ＣＳＩ−ＩＭ）を用いて構成される第２のＣＳＩプロセスについてのＰｃの第２の値を使用するように構成され得る。ネットワークは、このプロセスにおけるＰｃ値を、それらの差が、どちらかのＣＳＩプロセスについての干渉の不完全な推定から生じる任意の干渉測定バイアスを補償するように設定し得る。
−いくつかまたは各々のポイントまたはＣＳＩプロセスからの仮定されるＰＤＳＣＨ送信電力に対する補正係数。および／または
−推定されたＣＱＩインデックスに対するオフセット、他。
【０１３８】
１または複数の実施形態では、（例えば、最大スループット（またはＣＱＩもしくはランク）に基づいた、送信状態またはＣＳＩプロセスのＷＴＲＵ選択メカニズムと組み合わせた）そのような送信ベースのパラメータの使用は、ネットワークの観点からより多くのリソースを使用し得る（またはより多くのＣＳＩビットの報告を使用し得る）それぞれの送信状態またはＣＳＩプロセスに対するＣＳＩが、そのような送信状態またはＣＳＩプロセスの使用が、リソースをより僅かしか消費しない状態と比較して、利益を提供し得る場合に、報告されることを可能にし得る。いくつかの実施形態では、同じ送信状態またはＣＳＩプロセスについて、異なる仮定されたランクのために、異なるパラメータも適用され得る。
【０１３９】
例えば、ＷＴＲＵは、最大２つの送信ポイントに対するＣＳＩを報告するように構成され得、そこでは、ＷＴＲＵによって報告され得る１組の送信状態またはＣＳＩプロセスは、（第２のポイントがおそらくは干渉である）第１のポイントからの単一の送信、（第２のポイントがおそらくは干渉である）第２のポイントからの単一の送信、および／または両方のポイントからのジョイント送信などのうちの１または複数を（例えば、送信ポイントを使用しながら）含み得る。
【０１４０】
実施形態は、例えば、送信状態またはＣＳＩプロセスの各々について推定されるＣＱＩインデックスが、（例えば、補正係数がない場合）あるサブフレーム内で８、６、および９であり得ることを企図している。そのため、ＷＴＲＵは、単一送信を超える増分利益が最小であり得る場合であっても、（例えば、ネットワークの観点から見て、そのような送信のコストを倍増し得る）ジョイント送信のためのＣＳＩを報告し得る。いくつかの実施形態では、本明細書で説明される、仮定されるＰＤＳＣＨ送信電力に補正係数を適用する方法が使用され得る場合、ＷＴＲＵは、例えば、０ｄＢの補正係数を各単一送信状態またはＣＳＩプロセスに適用し得、−３ｄＢの補正係数をジョイント送信状態またはＣＳＩプロセスに適用し得る。加えて、そのような補正係数は（例えば、適用される場合）、ＵＥが、第１のポイント（ＣＱＩ＝８）からの単一送信に対応するＣＳＩを報告し得るように、８、６、および９の推定されるＣＱＩインデックスをもたらし得る。
【０１４１】
実施形態は、適用され得る補正係数の値が、いくつかまたは各々のある送信状態またはＣＳＩプロセスのために定義または提供され得ること（例えば、ジョイント送信のための２ｄＢ、シングルポイント送信のための０ｄＢ、または他のポイントにミューティングが存在するシングルポイント送信のための１ｄＢなど）を企図している。あるいは、補正係数の値は、ＷＴＲＵに干渉し得ていない、または干渉していないと仮定され得る、送信ポイントの数の関数であり得る。１または複数の実施形態では、補正係数の値は、例えば、ＷＴＲＵに送信していると仮定され得る、送信ポイントの数の関数であり得る。
【０１４２】
実施形態は、補正係数の値（または補正係数を導出するために使用され得るパラメータ）が、事前定義され得ることも企図している。あるいは、補正係数の値（または補正係数を導出するために使用され得るパラメータ）は、例えば、より高位のレイヤ（例えば、ＲＲＣ）シグナリングを使用して、ネットワークによって通信され得る。パラメータのそのようなシグナリングは、ネットワークが、状態の中でもとりわけ、ネットワーク負荷などの現在の状態に基づいて、ある送信状態またはＣＳＩプロセスに対するＣＳＩを報告する尤度を調整することを可能にし得る。例えば、低いシステム負荷が存在し得る場合、ネットワークに空き容量、例えば、著しい空き容量が存在し得るので、１または複数のＷＴＲＵは、ジョイント送信に対するＣＳＩを報告し得る。そのような場合、他の検討事項として、１または複数の実施形態は、ジョイント送信のための補正係数が引き下げられ得ることを企図している。あるいは、または加えて、１または複数の実施形態は、他の理由の中でもとりわけ、おそらく、システムにより重い負荷が掛かり得る場合、補正係数が引き上げられ得ることを企図している。
【０１４３】
実施形態は、各送信状態またはＣＳＩプロセスのための補正係数を提供するために使用され得る、１または複数の技法を企図している。１または複数の実施形態は、ＰＤＳＣＨ  ＥＰＲＥ対ＣＳＩ−ＲＳ  ＥＰＲＥの（例えば、すでに通信され得ている）仮定された比のための補正係数が、（送信ポイントに対応し得る）構成された各ＣＳＩ−ＲＳリソースの一部として提供され得ることを企図している。そのような補正係数は、例えば、そのような送信ポイントおよび少なくとも１つの追加ポイントからＷＴＲＵへのジョイント送信を含み得る、送信状態またはＣＳＩプロセスに対するＣＳＩを推定する目的で、適用され得る。あるいは、ジョイント送信に適用可能なＰＤＳＣＨ  ＥＰＲＥ対ＣＳＩ−ＲＳ  ＥＰＲＥの仮定された比の新しい値は、（シングルポイント送信に適用可能なＰＤＳＣＨ  ＥＰＲＥ対ＣＳＩ−ＲＳ  ＥＰＲＥの仮定された比に補正係数を適用する代わりに）直接的に提供され得る。同様の手法は、送信ポイントと少なくとも１つの他の送信ポイントからのミューティングとを含む送信状態もしくはＣＳＩプロセス、または送信ポイントからのミューティングを含む送信状態もしくはＣＳＩプロセスのために使用され得るパラメータを提供するためにも使用され得る。
【０１４４】
あるいは、または加えて、実施形態は、（例えば、ポイントの各々からの）仮定されたＰＤＳＣＨ送信電力に関連付けられた補正係数が、いくつかの許容可能な送信状態もしくはＣＳＩプロセス、および／またはあらゆる許容可能な送信状態もしくはＣＳＩプロセスから提供され得ることを企図している。例えば、可能な送信状態またはＣＳＩプロセスの各々を明示的に列挙する代わりに、補正係数は、任意の与えられた送信状態またはＣＳＩプロセスについて、ＷＴＲＵに送信する送信ポイントの数、および／またはいかなるＷＴＲＵにも送信しない送信ポイント（例えば、ミューティング）の数の関数として提供され得る。１または複数の実施形態では、０ｄＢ、２ｄＢ、および４ｄＢの補正係数が、例えば、それぞれ、単一の送信ポイント、２つの送信ポイント、および／または３つの送信ポイントなどからのＷＴＲＵへの送信（および／またはミューティング）を含む、送信状態またはＣＳＩプロセスについて定義され得る。ＷＴＲＵに送信するポイントの数に関する（例えば、補正係数とともに適用され得る）追加の補正係数が、ミューティングの（例えば、ＷＴＲＵに送信しない）送信ポイントの数に関して定義され得る。
【０１４５】
実施形態は、ＷＴＲＵのための１または複数の送信状態またはＣＳＩケースもしくはＣＳＩプロセス構成を企図している。１または複数の実施形態では、ＷＴＲＵは、いくつかのＣＳＩケースまたはＣＳＩプロセスについてのフィードバックを行うように構成され得る。いくつかまたは各々のＣＳＩケースまたはＣＳＩプロセスは、所望信号（例えば、ＮＺＰ  ＣＳＩ−ＲＳ）、干渉リソース（例えば、ゼロ電力（ＺＰ）ＣＳＩ−ＲＳ）、およびおそらくはその受信電力をＷＴＲＵが潜在的な干渉電力に変換し得る他のＮＺＰ  ＣＳＩ−ＲＳから構成され得る。ＷＴＲＵは、干渉に別のオフセットを追加して、ＣＱＩ計算をさらに精緻にするために、１もしくは複数のより高位のレイヤによっても、またはＤＣＩによっても構成され得る。１または複数の実施形態では、オフセットは、より高位のレイヤのシグナリングによって半静的に構成され得る。あるいは、または加えて、オフセットは、ダウンリンク割り当てを提供するＤＣＩ（例えば、ＤＣＩフォーマット１／１Ａ／１Ｂ／１Ｃ／１Ｄ／２／２Ａ／２Ｂ／２Ｃ）内に存在し得る。あるいは、または加えて、１または複数の実施形態では、オフセットは、ＷＴＲＵに明示的に提供され得ない。より高位のレイヤのシグナリングまたはダウンリンク割り当ては、オフセットを使用するようにＷＴＲＵに命じるフラグ（例えば、０はオフセットなしを示し、１はオフセットの使用を示す）を含み得る。このオフセットは、所望信号のために使用され得ず、ならびに／または干渉測定リソースで表されず、および／もしくはその上でエミュレートが行われない、ＣｏＭＰクラスタ内のポイントのＲＳＲＰ貢献を合計する、および／または適切にスケーリングすることによって、ＷＴＲＵにおいて計算され得る。そのような構成では、ＷＴＲＵは、おそらく、オフセットの使用がトリガーされた場合に、ＷＴＲＵがそのようなオフセットの計算において使用し得る、ＣｏＭＰリソース管理セット内のポイントのリストを用いて、再構成され得る。
【０１４６】
あるいは、または加えて、いくつかの実施形態では、ＷＴＲＵは、所望信号のためにも、または干渉エミュレーションのためにも使用され得ない、ＣｏＭＰ測定セット内のいくつかまたはいずれかのポイントが、オフセットにおいて使用される１組のポイントの一部であると見なされ得るように構成され得る。そのようなシナリオでは、ＷＴＲＵは、例えば、理由の中でもとりわけ、おそらく、どのＲＳＲＰ値を使用すべきかを決定するために、ＣｏＭＰ測定セット内のポイントとＷＴＲＵのＣｏＭＰリソース管理セット内のそれらのマッピングを提供され得る。あるいは、または加えて、より高位のレイヤのシグナリング、および／または適切なＤＣＩは、例えば、オフセットの計算において、ＣｏＭＰリソース管理セットのどのリソースが使用されるべきかを示す、ビットマップを含み得る。
【０１４７】
１または複数の実施形態は、ＷＴＲＵが、ＣｏＭＰ測定セット内のＮＺＰ  ＣＳＩ−ＲＳが、ＣｏＭＰリソース管理セット内のＮＺＰ  ＣＳＩ−ＲＳと同じ送信ポイントを表すかどうかを知ることが有益であり得ることを企図している。あるいは、または加えて、ＣｏＭＰリソース管理セットは、ＣｏＭＰ測定セットのスーパーセットであり得る。そのようなシナリオでは、ＷＴＲＵは、ＣｏＭＰリソース管理セットを生成するためにともに結合され得る、ＣｏＭＰ測定セットおよび追加のＮＺＰ  ＣＳＩ−ＲＳを用いて構成され得る。あるいは、または加えて、両方のセットは、独立に構成され得るが、しかしながら、どちらのセット内でも送信ポイントのために使用されるＮＺＰ  ＣＳＩ−ＲＳは、同じであり得る。そのようなシナリオでは、ＷＴＲＵは、各セット内のどのＮＺＰ  ＣＳＩ−ＲＳが同じ送信ポイントについてのものであるかを暗黙的に知り得る。あるいは、または加えて、ＣｏＭＰリソース管理セット内のいくつかまたは各々のＮＺＰ  ＣＳＩ−ＲＳは、インデックスを与えられ得、これらのインデックスは、例えば、ＣｏＭＰリソース管理セットが構成される場合に、ＷＴＲＵに示され得る。いくつかの実施形態では、ネットワークは、おそらく、ＷＴＲＵのためのＣｏＭＰ測定セットを構成するときに、ＣｏＭＰリソース管理セット内のどのＮＺＰ  ＣＳＩ−ＲＳが同じ送信ポイントに対応し得るかを識別するために、ＮＺＰ  ＣＳＩ−ＲＳ構成およびインデックスを提供し得る。
【０１４８】
あるいは、または加えて、ＣｏＭＰリソース管理セット内のＮＺＰ  ＣＳＩ−ＲＳは、所定の順序を与えられ得る。１または複数の実施形態では、ＣｏＭＰ測定セット内にも含まれ得る、ＣｏＭＰ測定セット内のＮＺＰ  ＣＳＩ−ＲＳは、フラグを与えられ得る。いくつかの実施形態では、ＮＺＰ  ＣＳＩ−ＲＳの同じ順序が、ＣｏＭＰ測定セットにおいて使用され得る。例えば、ＣｏＭＰリソース管理セットは、所定の順序で１０個のＮＺＰ  ＣＳＩ−ＲＳを有し得る。第４および第７のＮＺＰ  ＣＳＩ−ＲＳは、ＣｏＭＰ測定セット内に存在するとして、フラグが立てられ得る。階層がＣｏＭＰ測定セットにおいて同じに維持され得る（いくつかの実施形態では、ＣｏＭＰ測定セットにおいて維持されなければならない）場合、ＣｏＭＰ測定セット内の第１のＮＺＰ  ＣＳＩ−ＲＳは、ＣｏＭＰリソース管理セット内の第４のＮＺＰ  ＣＳＩ−ＲＳに対応し得、ＣｏＭＰ測定セット内の第２のＮＺＰ  ＣＳＩ−ＲＳは、ＣｏＭＰリソース管理セット内の第７のＮＺＰ  ＣＳＩ−ＲＳに対応し得る。別の例では、順序は、ＣｏＭＰ測定セットにおいて維持され得ず、ＣｏＭＰ測定セット内で構成される各ＮＺＰ  ＣＳＩ−ＲＳは、ＣｏＭＰリソース管理セット内のＮＺＰ  ＣＳＩ−ＲＳを指示するポインタも含み得る。
【０１４９】
あるいは、または加えて、ネットワークは、おそらく、ＣｏＭＰ測定セットを構成するときに、組み合わせインデックスｒも含み得、ここで、
【０１５０】
【数５】
2020129834.tif 000011
【０１５１】
であり、
【０１５２】
【数６】
2020129834.tif 000012
【０１５３】
、１≦ｓi≦Ｎ、ｓi＜ｓi+1は、Ｍ個のソートされたＮＺＰ  ＣＳＩ−ＲＳ組み合わせインデックスを含み得、
【０１５４】
【数７】
2020129834.tif 000013
【０１５５】
である。
【０１５６】
あるいは、または加えて、送信ポイントのための各セットにおいて使用され得るＮＺＰ  ＣＳＩ−ＲＳは、異なり得る。実施形態は、構成が、同じサブフレーム内で使用される同じ時間／周波数ＲＥのオーバーラップをもたらし得ることを企図している。そのようなシナリオでは、ＷＴＲＵは、いずれかのＲＥを共有し得るいずれか２つのＮＺＰ  ＣＳＩ−ＲＳが、同じ送信ポイントからのものであることを、おそらく暗黙的に、仮定し得る。
【０１５７】
実施形態は、プライマリ送信状態またはＣＳＩケースもしくはＣＳＩプロセス構成を企図している。理由の中でもとりわけ、ＣＳＩ報告のために、１または複数の実施形態は、ＷＴＲＵが、プライマリ送信状態（またはＣＳＩケースもしくはＣＳＩプロセス）を用いて構成され得ることを企図している。プライマリＣＳＩプロセスは、（例えば、ＷＴＲＵがＣｏＭＰ動作を達成し得ない場合の）フォールバック動作、（例えば、ＷＴＲＵがＣＳＩプロセスを用いて動的もしくは半静的に構成されない場合の）デフォルト動作、または（例えば、ＷＴＲＵが複数のＣＳＩプロセスについての適切なフィードバックを達成し得ず、第１のプライオリティのＣＳＩプロセスについてフィードバックすることを選択し得る場合の）プライオリティ動作のために使用され得る。実施形態は、ＷＴＲＵが、フォールバック、デフォルト、およびプライオリティ動作の各々について異なるＣＳＩプロセスを有し得ることを企図している。ＣＳＩプロセスを用いてＷＴＲＵを構成する場合、ネットワークは、プロセスがフォールバック、デフォルト、および／またはプライオリティのいずれに対して使用され得るかも（例えば、ビットフラグの使用によって）示し得る。あるいは、または加えて、ＷＴＲＵは、ＣＲＳに基づいた単一のＣＳＩプロセスを用いて構成され得、したがって、これをフォールバック、デフォルト、および／または高プライオリティＣＳＩプロセスに対して仮定し得る。あるいは、または加えて、ＷＴＲＵは、所望信号としてサービングセルのＮＺＰ  ＣＳＩ−ＲＳを有する単一のＣＳＩプロセスを用いて構成され得る。そのようなシナリオでは、ＷＴＲＵは、例えば、そのようなＣＳＩプロセスが、フォールバック、デフォルト、および／または高プライオリティＣＳＩプロセスであることを仮定し得る。
【０１５８】
あるいは、または加えて、ＷＴＲＵは、フォールバック、デフォルト、および／または高プライオリティとして使用されるＣＳＩプロセスが、その送信ポイントが直近の送信において使用されたＣＳＩプロセスであり得るように構成され得る。あるいは、または加えて、ダウンリンク割り当てのために使用されるＤＣＩ内に、フラグが存在し得、これは、スケジュールされた割り当てのために使用される送信ポイントが、そのような送信ポイントを所望信号として使用するＣＳＩプロセスが、フォールバック、デフォルト、および／または高プライオリティとして構成され得ることを、少なくともさらなる通知まで、示しまたは暗示し得ることを示す。
【０１５９】
実施形態は、１または複数の送信ポイント（またはＣＳＩ−ＲＳリソース）に対するＣＳＩを報告するように構成され得るＷＴＲＵが、これらの送信ポイントのサブセットに対するＣＳＩを特定のサブフレームで、またいくつかの実施形態では、おそらく、これらの送信ポイントのサブセットのみに対するＣＳＩを特定のサブフレームで報告し得なければならないことを企図している。加えて、複数のＣＳＩケース（送信状態またはＣＳＩプロセス）に対するＣＳＩを報告するように構成され得るＷＴＲＵは、ＣＳＩケースのサブセット（いくつかの実施形態では、おそらく、そのようなサブセットのみ）に対するＣＳＩを特定のサブフレームで報告し得る。これは、以下の理由のためであり得る。
−ＷＴＲＵによって推奨される、またはネットワークによって要求される、送信状態またはＣＳＩプロセスは、送信ポイントのサブセットからの送信を含み、いくつかの実施形態では、おそらく、送信ポイントのサブセットからの送信のみを含む。
−例えば、周期的報告の場合における、ペイロード制約のために、ＷＴＲＵは、送信ポイントもしくはＣＳＩ−ＲＳリソースまたはＣＳＩケースのサブセットについてのフィードバック構成要素を報告することが可能であり得、いくつかの実施形態では、特定のサブフレームのみでそのような報告を行うことが可能であり得る。
実施形態は、ＣＳＩフィードバック構成要素を含む報告が、送信ポイントのどの１または複数のサブセットに適用され得るかを示す、本明細書で説明される１または複数の方法を企図している。
【０１６０】
実施形態は、ＷＴＲＵが複数のセルについてのフィードバックを報告し得る場合、ポイントインジケータ（ＰＩ）および／もしくはＣＳＩ−ＲＳリソースインジケータ、ならびに／またはＣＳＩケースもしくはＣＳＩプロセスインジケータが、フィードバック報告がそれについてのものである、送信ポイントもしくは１組の送信ポイント、またはＣＳＩケースもしくはＣＳＩプロセスを示し得ること、おそらく、明示的に示し得ることを企図している。インジケータは、送信ポイントのＰＣＩを含み得る。インジケータは、ＣＳＩケースに関連付けられたインデックスを含み得る。例えば、インデックスは、ＣＳＩ構成におけるＣＳＩケースまたはＣＳＩプロセスの順序（およびおそらくはオフセット）に対応し得る。インジケータは、ネットワークによって提供されるビットマップの実現を含み得、特定のビットロケーション内の１は、より高位のレイヤによって構成される特定の送信ポイントまたはＣＳＩ−ＲＳリソースを表し得る。ビットマップは、例えば、より高位のレイヤのＲＲＣシグナリングによってＷＴＲＵに通信され得、または（ＰＵＳＣＨ上での非周期的フィードバックをトリガーする）アップリンクＤＣＩ、もしくはランダムアクセス応答グラントで提供され得る。ビットマップは、ＣｏＭＰ測定セットに基づき得、静的、半静的、または動的であり得る。インジケータは、ｎビットのストリームを含み得、可能なｎ組は、２n個の送信ポイントの１つを表し得る。インジケータは、インデックスの順序付けられたリストを含み得、おそらくは、バイナリ形式である、リストのいくつかのインデックスまたは各インデックスは、特定の送信ポイントまたは構成されたＣＳＩ−ＲＳリソースを示し得る。このタイプのポイントインジケータは、ポイント間のランキング情報を提供するのに有益であり得る。１または複数の実施形態では、インジケータは、例えば、Ｍ個の推奨されるポイントを選択する目的で、例えば、（Ｎ個の可能な送信ポイントから選ばれた）サイズがＭの組を示し得る。インジケータは、ＴＳＶ内の特定のポイントに関連し得るインジケータを含み得る。インジケータは、組み合わせインデックスｒも含み得、ここで、
【０１６１】
【数８】
2020129834.tif 000014
【０１６２】
であり、集合
【０１６３】
【数９】
2020129834.tif 000015
【０１６４】
、１≦ｓi≦Ｎ、ｓi＜ｓi+1は、Ｍ個のソートされた送信ポイントインデックスを含み得、
【０１６５】
【数１０】
2020129834.tif 000016
【０１６６】
である。いくつかまたは各々の特定のフィードバックについて、フィードバック報告がどの送信ポイントのためであり得るかが、インジケータに基づいて決定され得る。
【０１６７】
あるいは、または加えて、実施形態は、送信ポイントおよび／またはＣＳＩケースもしくはＣＳＩプロセスのサブセットが、ポイント−サブバンドインジケータ（ＰＳＩ）を形成する選択されたサブバンドのサブセットを用いて、共同で示され得ることを企図している。ＰＳＩは、以下のうちの１または複数を含み得る。
−特定のビットロケーション内の１が、送信ポイントとサブバンド、またはＣＳＩケースもしくはＣＳＩプロセスとサブバンドの特定の組み合わせを表し得る、ビットマップ。および／または
−ＷＴＲＵが、ポイントとサブバンド（またはＣＳＩケースもしくはＣＳＩプロセスとサブバンド）のＭ個の推奨される組み合わせを選択する目的で、（送信ポイントとサブバンドのＮ個の可能な組み合わせから選ばれた）サイズがＭの組を示し得る場合、組み合わせインデックスｒが使用され得、ここで、
【０１６８】
【数１１】
2020129834.tif 000017
【０１６９】
であり、集合
【０１７０】
【数１２】
2020129834.tif 000018
【０１７１】
、１≦ｓi≦Ｎ、ｓi＜ｓi+1は、Ｍ個のソートされたポイント−サブバンド組み合わせインデックスを含み、
【０１７２】
【数１３】
2020129834.tif 000019
【０１７３】
である。
【０１７４】
実施形態は、ＰＩまたはＰＳＩが、以下のうちの１または複数で送信され得ることを企図している。
−それが適用され得るフィードバック構成要素と同じサブフレーム。複数のＰＩまたはＰＳＩが同じサブフレームで送信される場合、ＰＩ（またはＰＳＩ）とフィードバック情報の間の関連付けは、ビット順序によって事前決定され得る。および／または
−フィードバック情報が送信されるサブフレームの前に、いくつかの実施形態では、所定の規則に従って生じるサブフレーム。言い換えると、送信ポイントのサブセットは、直近に送信されたＰＩまたはＰＳＩに対応し得る。例えば、ＷＴＲＵは、ＰＩまたはＰＳＩを第１の１組の所定のサブフレームで（例えば、周期的に）送信し得、関連するフィードバックを第２の１組の所定のサブフレームで送信し得る。第２の組の与えられたサブフレーム内で送信されるフィードバックに適用可能なＰＩまたはＰＳＩは、例えば、第１の組内で直近に送信されたＰＩまたはＰＳＩとし得る。
実施形態は、ＷＴＲＵが、最強のｎ個のポイントまたはＣＳＩケースについての（いくつかの実施形態では、最強のｎ個のポイントまたはＣＳＩケースのみについての）報告をフィードバックし得、他のいずれのポイントまたはＣＳＩケースについてのフィードバック報告も廃棄し得るので、ＰＩまたはＰＳＩの少なくとも一方が、フィードバックオーバヘッドの節約を可能にし得ることを企図している。フィードバック報告は、フィードバックがどの送信ポイントについてのものかをネットワークに知らせるＰＩを含み得る。
【０１７５】
フィードバックがどの送信ポイントについてのものであるかの表示は、明示的であってもよく、または明示的でなくてもよい。例えば、送信ポイントは、送信ポイント固有のスクランブリングまたはＣＳＩケース固有のスクランブリングに基づいて、暗黙的に決定され得る。１または複数の実施形態では、送信ポイントまたはＣＳＩケースもしくはＣＳＩプロセスのサブセットは、フィードバックが送信されるサブフレームのタイミング（フレームおよびサブフレーム番号）から暗黙的および／または一意的に決定され得る。ＷＴＲＵは、ＷＴＲＵが送信ポイント（またはＣＳＩケース）のサブセットについてのフィードバックが提供される旨の表示を第２の先行サブフレームで送信したという条件の下で、送信ポイント（またはＣＳＩケース）のこのサブセットについてのフィードバック構成要素を第１のサブフレームで送信し得る。いくつかの実施形態では、ＷＴＲＵは、ＷＴＲＵが送信ポイント（またはＣＳＩケース）のサブセットについてのフィードバックが提供される旨の表示を第２の先行サブフレームで送信したという条件の下でのみ、送信ポイント（またはＣＳＩケース）のこのサブセットについてのフィードバック構成要素を第１のサブフレームで送信し得る。第２のサブフレームは、例えば、１組の所定のサブフレームのうちの直近のサブフレームとし得る。表示は、単一のビット、ＰＩもしくはＰＳＩを含み得、および／または今のところ定義されていない報告タイプもしくは変更された報告タイプの特定のコードポイントとして符号化され得る。
【０１７６】
１または複数の実施形態では、送信ポイントのサブセットは、直近に送信された送信状態インジケータ（ＴＳＩ）、ＣＳＩケースまたはＣＳＩプロセスインジケータ、ＰＩまたはＰＳＩばかりでなく、事前構成された１組の規則に従った、例えば、周期的報告の特定のモードに従った、サブフレームタイミングからも暗黙的に決定され得る。例として、周期的に生じる１組のサブフレーム内では、それについてのフィードバックが提供される送信ポイントまたはＣＳＩケースもしくはＣＳＩプロセスは、直近に送信されたＰＩで示される送信ポイントまたはＣＳＩケース間で循環させられ得る。別の例では、送信ポイントまたはＣＳＩケースもしくはＣＳＩプロセスは、第１の１組のサブフレーム内の直近に送信されたＰＩで示される第１の送信ポイントまたはＣＳＩケースもしくはＣＳＩプロセスに、および第２の１組のサブフレーム内の直近に送信されたＰＩで示される第２の送信ポイントまたはＣＳＩケースもしくはＣＳＩプロセスに対応し得る。これは、例えば、第２の送信ポイントまたはＣＳＩケースについてよりも第１の送信ポイントまたはＣＳＩケースもしくはＣＳＩプロセスについてのフィードバックをより頻繁に送信することが望ましい場合など、多くの理由で有益であり得る。
【０１７７】
実施形態は、上述の技法のうちの１または複数において、あるフィードバック構成要素が適用される送信ポイントのサブセットが、フィードバックのタイプ（ＣＱＩ、ＰＭＩ、またはＲＩ）にさらに依存し得ることも可能であることを企図している。例えば、ＷＴＲＵは、与えられたサブフレームで、２つのポイントの一方についてのポイント毎ＰＭＩとともに、２つのポイントからの送信についてのアグリゲートＣＱＩを報告し得る。これは、例えば、他方のポイントについてのポイント毎ＰＭＩが先行サブフレームですでに提供されている場合など、多くの理由で有益であり得る。
【０１７８】
１または複数の実施形態は、ＰＵＣＣＨフォーマット３リソースの選択を企図している。いくつかの実施形態では、おそらく、ＷＴＲＵが、同じサブフレーム内で、複数のＣＳＩについて、および潜在的には、複数のＡ／Ｎについて報告するように構成され得る場合、ＷＴＲＵは、ＰＵＣＣＨフォーマット３を使用し得る。理由の中でもとりわけ、ＰＵＣＣＨフォーマット３のために使用されるリソースを決定するため、ＷＴＲＵは、より高位のレイヤによって、適切なリソースを用いて半静的に構成され得る。あるいは、または加えて、ＷＴＲＵは、ＰＵＣＣＨについての複数の仮想セルＩＤ（ＶＣＩＤ）を用いて構成され得る。いくつかの実施形態では、ＷＴＲＵは、いくつかのＶＣＩＤまたはあらゆるＶＣＩＤに結び付けられ得る１組のリソースを用いて構成され得る。いくつかの実施形態では、ネットワークは、おそらく、ＰＵＣＣＨについての特定のＶＣＩＤにＷＴＲＵを動的に構成する場合、必要とされるリソースも明示的または暗黙的に構成し得る。あるいは、または加えて、ＷＴＲＵは、より高位のレイヤによって、ＡＲＩマッピングを用いて構成され得る。１または複数の実施形態では、このＡＲＩは、構成されたＳｃｅｌｌが存在しない場合でさえも、有効であり得る。実施形態は、Ａｃｋ／Ｎａｃｋリソースインジケータ（ＡＲＩ）が、ＰＵＣＣＨリソースインデックスを示すために使用され得るＤＣＩ内のフィールドであり得ることを企図している。実施形態は、フィールドが、（例えば、おそらく、Ｓｃｅｌｌ割り当てを示すＤＣＩから受け取られる場合）例えば、ＴＰＣフィールドなどの、既存のフィールドであり得ることを企図している。実施形態は、ＡＲＩマッピングが、ＡＲＩのいくつかの値または各値を（例えば、ＲＲＣにおいて構成される）ＰＵＣＣＨリソースインデックスに結び付けるテーブルを含み得ることを企図している。１または複数の実施形態では、ＡＲＩは、対応するＰＤＣＣＨのＤＣＩフォーマット内のＴＰＣコマンドと結合され得る。あるいは、または加えて、新しいまたは新規のＡＲＩが、対応するＰＤＣＣＨのＤＣＩフォーマット内に含まれ得る。いくぶん異なる述べ方をすれば、実施形態は、例えば、新しい（例えば、今のところ使用されていない）単独のＡＲＩフィールド、および／またはＡＲＩフィールドとしてのＴＰＣフィールドの使用を企図している。あるいは、または加えて、ＷＴＲＵは、異なる受信ポイントのための複数のＴＰＣコマンドを追跡するように構成され得る。そのようなシナリオでは、ＴＰＣコントロールに結び付けられる識別子が存在し得る。この識別子は、どのＰＵＣＣＨフォーマット３リソースを使用すべきかを決定するためにも、ＷＴＲＵによって使用され得る。あるいは、または加えて、いくつかまたは各々の送信状態またはＣＳＩケースもしくはＣＳＩプロセスについて、ＷＴＲＵは、例えば、構成された１組のＰＵＣＣＨフォーマット３リソースを有し得る。
【０１７９】
あるいは、または加えて、実施形態は、理由の中でもとりわけ、おそらく、与えられたサブフレーム内において、ＰＵＣＣＨ上での周期的報告とＨＡＲＱ  Ａ／Ｎとの送信の間で衝突が生じる場合、ＷＴＲＵが、周期的ＣＳＩ報告のために構成され得るＰＵＣＣＨフォーマット３リソース上で、ＣＳＩ情報とＨＡＲＱ  Ａ／Ｎ情報とを多重化し得ることを企図している。いくつかの実施形態では、周期的ＣＳＩ情報は、例えば、ＰＭＩ情報の粒度を小さくすることによって圧縮され得る。また、いくつかの実施形態では、ＨＡＲＱ  Ａ／Ｎ情報は、バンドリング（例えば、ＨＡＲＱ  Ａ／Ｎビット上でのＡＮＤ演算）によっても圧縮され得る。あるいは、または加えて、ＷＴＲＵが、衝突が生じ得るサブフレーム内でのＨＡＲＱ  Ａ／Ｎ送信のために、ＰＵＣＣＨフォーマット３を使用するように構成され得る場合（例えば、キャリアアグリゲーションが構成され、セカンダリセルからの割り当てが存在する場合）、多重化された周期的ＣＳＩとＨＡＲＱ  Ａ／Ｎ情報の送信は、セカンダリセル割り当てのＡ／Ｎリソースインジケータ（例えば、割り当てを含むＤＣＩ内のＴＰＣビット）によって示されるＰＵＣＣＨリソース上で行われ得る。
【０１８０】
実施形態は、上述のＣＳＩフィードバック構成要素およびタイプのうちのどれが、ならびに／またはどのサブフレームで、ネットワークに報告され得るかを決定するための技法を企図している。また、実施形態は、１または複数の非周期的ＣＳＩ報告の内容を選択するための１または複数の技法を企図している。一例では、ＷＴＲＵは、例えば、先行サブフレーム（ｎ−ｋ）で非周期的ＣＳＩ要求を受信した場合、与えられたサブフレーム（ｎ）で少なくとも（該当する場合は）１つのタイプまたはサブタイプの少なくとも１つのＣＳＩフィードバック構成要素を報告し得、ここで、ｋは、事前定義または通信され得る。一実施形態では、サブフレーム（ｎ）内の非周期的ＣＳＩ要求は、異なる送信ポイントまたはＣＳＩケースのための異なるサブフレームで、少なくとも（該当する場合は）１つのタイプまたはサブタイプの少なくとも１つのＣＳＩフィードバック構成要素を報告するように、ＷＴＲＵをトリガーし得る。例えば、送信ポイント１についてのフィードバックは、サブフレームｎ＋ｋ1で送信され得、送信ポイント２についてのフィードバックは、サブフレームｎ＋ｋ2で送信され得、以降も同様である。集合｛ｋ1，ｋ2，．．．｝は、例えば、事前定義または通信され得る。
【０１８１】
実施形態は、与えられた１組の送信ポイントまたはＣＳＩケースについて、１組のＣＳＩ構成要素、報告されるタイプおよびサブタイプ、ならびに（本明細書で説明される）関連する条件が、以下のうちの少なくとも１つに従って決定され得ることを企図している。
−ＷＴＲＵに対する非周期的ＣＳＩ要求を含む（ＰＤＣＣＨなどの）ダウンリンク制御シグナリングからの表示など、非周期的ＣＳＩ要求を含むダウンリンク送信の特徴。例えば、表示は、ＣＳＩ要求フィールドもしくはキャリア表示フィールドなどの既存フィールドの、またはおそらくは、企図されているが、今のところ定義されていないＤＣＩフォーマット内のフィールドの特定のコードポイント、（例えば、Ｅ−ＰＤＣＣＨの場合のＣＲＳまたはＤＭ−ＲＳなど）ダウンリンク制御シグナリングの送信のために使用される１組のアンテナポートまたは基準信号、ダウンリンク制御シグナリングがＰＤＣＣＨから受信されるか、それともＥ−ＰＤＣＣＨから受信されるか、ダウンリンク制御シグナリングが復号され得る探索空間（例えば、共通探索空間またはＷＴＲＵ固有探索空間）、Ｅ−ＰＤＣＣＨの場合にダウンリンク制御シグナリングが復号され得るＰＲＢ、Ｅ−ＲＥＧ、またはＥ−ＣＣＥ、ＩＭＣＳ、循環シフトフィールド、周波数割り当てフィールド、周波数ホッピングフィールド、または非周期的ＳＲＳフィールドなど、再利用または再解釈され得るＤＣＩの別のフィールドによって提供され得る。例えば、非周期的ＳＲＳフィールドは、ＣＳＩ要求フィールドが（例えば、０とは異なる）値のサブセットの１つに設定され得る場合、ＣＳＩ要求フィールドに対する拡張として再解釈され得る。この場合、再解釈されたフィールドに関連付けられた機能は、変更され得る。例えば、ＷＴＲＵは、このフィールドの値、ダウンリンク制御シグナリングを正常に復号するために使用されるＲＮＴＩ、および／または非周期的ＣＳＩ要求を含むダウンリンク制御シグナリングがそこから送信されるポイントに対応するサービングセルもしくはＣＳＩ−ＲＳリソースに関わらず、非周期的ＳＲＳ送信をトリガーし得ない。例えば、報告される送信状態またはＣＳＩケースもしくはＣＳＩプロセスは、このＣＳＩ−ＲＳリソースが所望信号を送信することが仮定され得る、１または複数のＣＳＩケースまたはＣＳＩプロセスに対応し得る。
−システムフレーム番号および／またはサブフレーム番号によって表現され得る、要求が受信され得るサブフレーム（ｎ−ｋ）、またはＣＳＩが報告されるサブフレーム（ｎ）のタイミング。例えば、ＣＳＩケースがＮ個の場合、第ｊのＣＳＩケースまたはＣＳＩプロセスのための１組のサブフレームは、（１０Ｎｆ＋Ｎｓ＋ｏｆｆｓｅｔ）  ｍｏｄｕｌｏ  Ｎ＝ｊを満たすサブフレームとして定義され得、ここで、Ｎｆは、システムフレーム番号とし得、Ｎｓは、サブフレーム番号とし得、ｏｆｆｓｅｔは、より高位のレイヤによって構成されるパラメータとし得る。
−非周期的ＣＳＩ要求を含んだダウンリンク制御シグナリングによって示されるアップリンク送信の特徴。例えば、おそらく、リソースブロック割り当て（グラント）のサイズに応じて、ＷＴＲＵは、（例えば、サイズが閾値を下回る場合は）単一のＣＳＩケースもしくはＣＳＩプロセスについての、または（例えば、サイズが閾値を上回る場合は）２以上のＣＳＩケースもしくはＣＳＩプロセスに対するＣＳＩを報告し得る。
−より高位のレイヤのシグナリング（例えば、ＲＲＣ構成）。
−（ＰＵＳＣＨ）ＣＳＩ報告モード。
−いくつかまたはすべての送信ポイントが、同じ（従属）データを送信しているか、それとも異なる（独立）データを送信しているか。および／または
−報告される１組のＣＳＩ構成要素またはタイプ／サブタイプが、要求が受信されるサブフレームのタイミングに対応することを示すために、非周期的ＣＳＩ要求フィールドのコードポイントを確保することなど、上記の組み合わせ。
【０１８２】
実施形態は、示され得る関連する条件の１または複数の例を企図している（しかし、それらに限定されない）。
−報告されるポイント毎ＣＱＩkが、無条件か、それとも条件付きか、またおそらくは、後者の場合、条件が、（「送信なし」または「ゼロプリコーダ」などの）最小干渉についてのものか、それとも最大干渉についてのものか。
−同期的アグリゲートＣＱＩ（またはジョイントＣＱＩ）が報告されるべきか、それとも非同期的アグリゲートＣＱＩ（またはジョイントＣＱＩ）が報告されるべきか。
−結合インジケータｉcombが報告されるべきか、それとも結合行列Ｗcombが報告されるべきか。
−報告は、広帯域についてか、それとも特定のサブバンドについてか。
−長期（第１の）プリコーディング行列表示が報告されるか、それとも短期（第２の）プリコーディング行列表示が報告されるか。
−干渉プリコーディング行列は、最大干渉に対応するか、それとも最小干渉に対応するか。
−１組のプリコーディング行列
【０１８３】
【数１４】
2020129834.tif 000020
【０１８４】
は、送信ポイントがプリコーディング行列をそこから選択すべき組に対応するか、それとも選択すべきではない組に対応するか。および／または
−送信状態ベクトル（もしくは送信状態インジケータ、ＴＳＩ）、またはＣＳＩケースもしくはＣＳＩプロセスの表示。
【０１８５】
実施形態は、それについての非周期的フィードバックが提供され得る、送信状態、ＣＳＩプロセス、またはＣＳＩケースのサブセットを選択するための１または複数の技法を企図している。１または複数の実施形態では、ＣＳＩケースのサブセットは、先に説明された選択方法の少なくとも１つの結果に従って選択され得る。選択方法の結果は、例えば、ＣＳＩ要求フィールドもしくは別のフィールドの値、またはサブフレームタイミングの関数、または制御シグナリングが共通探索空間で復号されるか、それともＵＥ固有探索空間で復号されるか、または任意の関数もしくはそれらの組み合わせに対応し得る。例えば、結果は、ＣＳＩ要求フィールドのある値および／またはキャリア表示フィールドのある値の組み合わせによって定義され得る。別の例では、結果は、ＣＳＩ要求フィールドのある値および／または２を法とするサブフレーム番号のある値の組み合わせによって定義され得る。
【０１８６】
実施形態は、特定の結果に対応するＣＳＩケースまたはＣＳＩプロセスのサブセットが、多くの企図される技法のうちの少なくとも１つを使用して定義され得ることを企図している。１または複数の実施形態では、選択方法の少なくとも１つの可能な結果に対して、ＣＳＩケースのサブセットが事前決定され得る。例えば、ＣＳＩ要求フィールドの値に基づいた選択の場合、第１のコードポイントは、いくつかまたはすべてのＣＳＩケースに対応し得（いくつかの実施形態では、常にそのように対応し得）、第２のコードポイントは、第ｎの構成されたＣＳＩケースまたはＣＳＩプロセスに対応し得る（いくつかの実施形態では、常にそのように対応し得る）などである。
【０１８７】
１または複数の実施形態では、選択方法の少なくとも１つの可能な結果に対して、ＣＳＩケースのサブセットが、より高位のレイヤによって、おそらく明示的に、提供され得る。例えば、ＣＳＩ要求フィールドの値に基づいた選択の場合、コードポイントは、より高位のレイヤによって示される構成されたＣＳＩケースのサブセットに対応し得る。
【０１８８】
１または複数の実施形態では、選択技法の少なくとも１つの可能な結果に対するＣＳＩケースのサブセットは、特定のＣＳＩ−ＲＳリソースが所望信号であることが仮定され得る、ＣＳＩケースのサブセットであり得る。特定のＣＳＩ−ＲＳリソースは、より高位のレイヤによって示され得、または非ゼロ電力ＣＳＩ−ＲＳリソースの構成における順序に基づき得る。そのような実施形態は、とりわけ、ネットワークが、単一のサブフレームでの特定のポイントからの所望信号の送信に対応する、いくつかまたはすべてのＣＳＩケースに対するＣＳＩ情報を獲得することを可能にし得る。
【０１８９】
１または複数の実施形態では、選択技法の少なくとも１つの可能な結果に対するＣＳＩケースのサブセットは、特定のＣＳＩ−ＲＳリソースが干渉している（もしくは干渉していない）と仮定され得る、または少なくとも１つのＣＳＩ−ＲＳリソースが干渉している（もしくは干渉していない）と仮定され得る、またはいかなるＣＳＩ−ＲＳリソースも干渉していないと仮定され得る、ＣＳＩケースのサブセットであり得る。特定のＣＳＩ−ＲＳリソースは、より高位のレイヤによって示され得、または非ゼロ電力ＣＳＩ−ＲＳリソースの構成における順序に基づき得る。そのような実施形態は、とりわけ、あるポイントが干渉している（または干渉していない）ことがすでに分かっている場合に、ネットワークが、関連するＣＳＩ情報（いくつかの実施形態では、おそらく、関連するＣＳＩ情報のみ）を獲得することを可能にし得る。ＣＳＩケースのこのサブセットが対応する１組の可能な結果は、おそらくは、新しいフィールドによって、または拡張されたＣＳＩ要求フィールドの新しいビットによって定義され得る。
【０１９０】
１または複数の実施形態では、選択技法の少なくとも１つの可能な結果に対するＣＳＩケースのサブセットは、本明細書で説明されるＴＳＩ（またはＣＳＩケース）選択方法に従ってＷＴＲＵによって選択されるＣＳＩケースであり得る。例えば、ＣＳＩ要求フィールドのコードポイントは、ＣＱＩが最高であり得るＣＳＩケースまたはＣＳＩプロセスについてＣＳＩを報告することに対応し得る。そのような実施形態では、ＷＴＲＵは、いくつかまたは各々の報告されたＣＳＩケースまたはＣＳＩプロセスについての、選択されたＣＳＩケースまたはＣＳＩプロセスの（ＴＳＩまたはＰＩなどの）表示を報告し得る。
【０１９１】
１または複数の実施形態では、選択技法の少なくとも１つの可能な結果に対するＣＳＩケースのサブセットは、ＣＳＩケースの複数のサブセットを循環することによって決定され得る。例えば、ＣＳＩケースの２つのサブセットが定義され得る。いくつかの時点で、またはおそらく、あらゆる時点で、ＣＳＩ要求フィールドの値は、あるコードポイントであり得、ＷＴＲＵは、それが報告を提供するＣＳＩケースのサブセットを切り換え得る。そのような実施形態では、ＷＴＲＵは、とりわけ、曖昧性を防止するために、選択されたＣＳＩケース（またはそれの１もしくは複数のサブセット）の表示を報告し得る。
【０１９２】
１または複数の実施形態では、選択技法の少なくとも１つの可能な結果（いくつかの実施形態では、おそらく、すべての結果）に対するＣＳＩケースのサブセットは、対応するサービングセルが、おそらくは、キャリアインジケータフィールドによって示されるような、ＣＳＩがその中で報告されるＵＬ送信のサービングセルであり得る、ＣＳＩケースのサブセットに制限され得る。そのような実施形態では、ＷＴＲＵは、おそらくは、本明細書で説明される上述の技法の１つと組み合わせて、２以上のセル（キャリアアグリゲーション）を用いて構成され得る。いくつかの実施形態では、ＣＳＩ要求フィールドの第１のコードポイントは、このコードポイントについて１または複数のより高位のレイヤによって示され得る、構成されるＣＳＩプロセスの第１のサブセットに関連付けられ得る。コードポイントがこの値であるＣＳＩ要求が受信された場合に報告され得る、ＣＳＩプロセスのサブセットは、対応するサービングセルが、ＣＳＩがその中で報告されるＵＬ送信のサービングセルである、１または複数のより高位のレイヤによって示される、構成されるＣＳＩプロセスのサブセット内のＣＳＩプロセスのサブセットであり得る。ＣＳＩ要求フィールドの第２のコードポイントは、このコードポイントについて１または複数のより高位のレイヤによって示され得る、構成されるＣＳＩプロセスの第２のサブセットに関連付けられ得る。コードポイントがこの値であるＣＳＩ要求が受信された場合に報告され得る、ＣＳＩプロセスのサブセットは、例えば、おそらく、ＣＳＩがその中で報告され得るＵＬ送信のサービングセルとは無関係の、１または複数のより高位のレイヤによって示される、構成されるＣＳＩプロセスのサブセットであり得る。
【０１９３】
１または複数の実施形態では、選択技法の少なくとも１つの可能な結果に対するＣＳＩケースのサブセットは、いくつかまたは各サービングセルについて、このサービングセルについて構成されるＣＳＩケースの間で、プライマリＣＳＩケースまたはＣＳＩプロセスとして識別される、ＣＳＩケースのサブセットであり得る。例えば、ＣＳＩ要求の１つのコードポイントについて、報告されるＣＳＩケースのサブセットは、いくつかまたはすべてのサービングセルについてのプライマリＣＳＩケースのサブセットであり得る。
【０１９４】
実施形態は、非周期的要求の後に、おそらく、非周期的フィードバック報告で報告され得る、ＣＳＩ構成要素の組、タイプおよびサブタイプの１または複数の例を企図している。アグリゲートＣＳＩまたはジョイントＣＳＩは、共通（もしくはジョイント）ランク表示（ＲＩjoint）、「サービング送信ポイント」として識別される送信ポイントなど、特定の送信ポイントｋについてのポイント毎ランク表示（ＲＩk）、少なくとも１つのコードワードについてのアグリゲートＣＱＩ（もしくはジョイントＣＱＩ）（ＣＱＩjoint）、および／またはグローバルプリコーディング行列インジケータなどのうちの１または複数を含み得る。アグリゲートＣＳＩ（またはジョイントＣＳＩ）は、送信状態もしくはＣＳＩプロセスの表示、または送信状態インジケータ（ＴＳＩ）もしくはＣＳＩプロセスインジケータのうちの１または複数を含み得る。アグリゲートＣＳＩ（またはジョイントＣＳＩ）は、プライマリポイント毎ＣＱＩ、および（例えば、セカンダリ送信ポイントについての）少なくとも１つのデルタポイント毎ＣＱＩを含み得る。アグリゲートＣＳＩ（またはジョイントＣＳＩ）は、報告されたフィードバックについてどのポイントがブランクであるとＷＴＲＵが仮定し得るかを示す、ミューティングパターンを含み得る。アグリゲートＣＳＩ（またはジョイントＣＳＩ）は、ポイントインジケータ（ＰＩ）のベクトルを含み得る。１または複数の実施形態は、ＰＩが、ＣＳＩプロセスまたは（ＴＳＩによって示される）送信状態ベクトル内のポイントに対応し得ることを企図している。アグリゲートＣＳＩ（またはジョイントＣＳＩ）は、１または複数の関連する条件を含み得る。送信ポイントのサブセットについてのポイント毎ＣＳＩは、ポイント毎ランク表示（ＲＩk）、少なくとも１つのコードワードについてのポイント毎ＣＱＩ（ＣＱＩk）、ポイント毎（もしくはローカル）プリコーディング行列インジケータ、１組のプリコーディング行列インジケータ
【０１９５】
【数１５】
2020129834.tif 000021
【０１９６】
、ＰＩ、ＣＳＩプロセスまたは送信状態ベクトルの対応する要素、プライマリＣＱＩもしくは（プライマリＣＱＩに関連付けられる）デルタＣＱＩ、および／または各送信ポイントについての少なくとも１つの関連する条件を含み得る。
【０１９７】
１または複数の実施形態は、フィードバックタイプがＷＴＲＵ選択のサブバンドに関し得る報告モードの場合に、ＷＴＲＵが、例えば、いくつかの送信ポイントが、またはおそらく、各送信ポイントがサブバンドの同じサブセットを有し得るかどうか、および／またはそれらが互いに直交するか、および／またはそれらがオーバーラップするかも示し得ることを企図している。１または複数の実施形態では、これは、本明細書で説明されるような、ポイント−サブバンドインジケータ（ＰＳＩ）を送信することによって実現され得る。例えば、サブセットの少なくとも部分的なオーバーラップが存在し得るなど、多くの理由のため、ＷＴＲＵは、アグリゲートＣＳＩ（またはジョイント）ＣＳＩの、またいくつかの実施形態では、ポイント毎ＣＳＩの組み合わせを提供し得る。実施形態は、どのタイプのＣＳＩがどのサブバンドに適用可能であり得るかを送信ポイントに示すために、ビットマップが使用され得ることを企図している。
【０１９８】
実施形態は、ＷＴＲＵがすべてのポイントに共通の１組のサブバンドを選択するか、それとも各ポイント毎に別個の１組のサブバンドを選択するかが、より高位のレイヤによって構成され得ることを企図している。１または複数のそのような構成は、おそらく、いくつかの実施形態では、意図されたタイプの協調送信に従って、ネットワークによって提供され得る。例えば、ＷＴＲＵは、例えば、ネットワークがジョイント送信を使用することを意図する場合、いくつかまたはすべてのポイントについて、共通の１組のサブバンドを選択するように構成され得る。あるいは、または加えて、ＷＴＲＵは、例えば、ネットワークが動的ポイント選択を使用することを意図する場合、いくつかのポイントまたは各ポイントについて、別個の１組のサブバンドを選択するように構成され得る。
【０１９９】
実施形態は、報告タイプが、異なるＣＳＩ報告が既存フィールドにマッピングされ得る既存モードを使用して、フィードバックされ得ることを企図している。例えば、ＷＴＲＵが、各々がサブバンド毎のＰＭＩを表す複数のＰＭＩをフィードバックする代わりに、各々が送信ポイント毎またはＣＳＩケース毎のＰＭＩを表す複数のＰＭＩをフィードバックし得る場合、非周期的ＰＵＳＣＨフィードバックモード１−２が再利用され得る。
【０２００】
１または複数の実施形態では、ＷＴＲＵは、いくつかまたは各ポイントの周期／オフセットを変更するために、ＷＴＲＵが送信ポイントの新しいランキングを提供し得るように、ネットワークによって非周期的フィードバックをトリガーされ得る。ＷＴＲＵは、新しい（または新規の）非周期的フィードバックがトリガーされるまで、周期的フィードバックにおいて、そのようなパラメータを使用し得る。実施形態は、ＣｏＭＰについての非周期的ＣＳＩ報告が、以下のうちの少なくとも１つの任意の組み合わせを含み得ることを企図している。
−送信状態インジケータ（ＴＳＩ）、またはＣＳＩプロセスインジケータ、またはＣＳＩケースインジケータ。
−ポイントインジケータ（ＰＩ）。
−ＵＥ選択のＭ個のサブバンドを示す組み合わせインジケータ。
−ＵＥ選択のＮ個のポイントを示す組み合わせインジケータ。
−ＵＥ選択のポイント−サブバンド組み合わせ（ＰＳＩ）を示す組み合わせインジケータ。
−アグリゲートまたはポイント毎ＲＩ（ＲＩａまたはＲＩｐ）。
−アグリゲートまたはポイント毎広帯域ＣＱＩ（Ｗ−ＣＱＩａまたはＷ−ＣＱＩｐ）。
−アグリゲートまたはポイント毎サブバンドＣＱＩ（Ｓ−ＣＱＩａまたはＳ−ＣＱＩｐ）。
−アグリゲートまたはポイント毎ＭバンドＣＱＩ（Ｍ−ＣＱＩａまたはＭ−ＣＱＩｐ）。
−アグリゲートまたはポイント毎広帯域ＰＭＩ（Ｗ−ＰＭＩａまたはＷ−ＰＭＩｐ）。
−第１のアグリゲートまたはポイント毎広帯域ＰＭＩ（Ｗ−ＰＭＩ１ａまたはＷ−ＰＭＩ１ｐ）。ここで、ＰＭＩ１は、Ｒｅｌ−１０で導入された２ＰＭＩ方法における第１のプリコーディング行列に対応する。
−第２のアグリゲートまたはポイント毎広帯域ＰＭＩ（Ｗ−ＰＭＩ２ａまたはＷ−ＰＭＩ２ｐ）。ここで、ＰＭＩ２は、Ｒｅｌ−１０で導入された２ＰＭＩ方法における第２のプリコーディング行列に対応する。
−アグリゲートまたはポイント毎サブバンドＰＭＩ（Ｓ−ＰＭＩａまたはＳ−ＰＭＩｐ）。
−第１のアグリゲートまたはポイント毎サブバンドＰＭＩ（Ｓ−ＰＭＩ１ａまたはＳ−ＰＭＩ１ｐ）。
−第２のアグリゲートまたはポイント毎サブバンドＰＭＩ（Ｓ−ＰＭＩ２ａまたはＳ−ＰＭＩ２ｐ）。
−アグリゲートまたはポイント毎ＭバンドＰＭＩ（Ｍ−ＰＭＩａまたはＭ−ＰＭＩｐ）。
−第１のアグリゲートまたはポイント毎ＭバンドＰＭＩ（Ｍ−ＰＭＩ１ａまたはＭ−ＰＭＩ１ｐ）。
−第２のアグリゲートまたはポイント毎ＭバンドＰＭＩ（Ｍ−ＰＭＩ２ａまたはＭ−ＰＭＩ２ｐ）。
−広帯域ポイント間位相インジケータ。
−サブバンドポイント間位相インジケータ。
−Ｍバンドポイント間位相インジケータ。
実施形態は、ポイント間位相インジケータ（例えば、広帯域、サブバンド、および／またはＭバンド）が、３以上の協調ポイントが存在する場合など、様々な状況において、複数の位相値に結び付けられ得ることを企図している。
【０２０１】
実施形態は、Ｒｅｌ−１０非周期的報告モードが、効率的なＣｏＭＰフィードバック報告に適合するように、変更および／または増強され得ることを企図している。モードは、モードｘ−ｙとして定義され得、ここで、ｘは、ＣＱＩフィードバックが、広帯域ネットワーク構成のサブバンドについてのものか、それともＷＴＲＵ選択のサブバンドについてのものかを示し得る。また、ｙは、ＰＭＩフィードバックが存在しないか、単一のＰＭＩフィードバックが存在するか、それとも複数のＰＭＩフィードバックが存在するかを示し得る。１または複数の実施形態では、１または複数の今のところ定義されていない次元が、フィードバックが、ａ）ＣｏＭＰ測定セット内のいくつかまたはすべてのポイントについてのものか、ｂ）ネットワーク選択のＴＳＶについてのものか、それともｃ）ＷＴＲＵ選択のＴＳＶについてのものかなど、ＴＳＶの選択についての仮定を示すために、モードのいくつかまたはすべてに追加され得る。一例として、企図されるモードは、モードｘ−ｙ−ｚの形式を取り得、ここで、ｚは、ＴＳＶの選択についての仮定を表し得る。ポイント選択仮定のいくつかまたは３つすべてにおいて、ＷＴＲＵは、各個々の報告タイプについて、アグリゲートまたはポイント毎フィードバックを提供するように命令され得る。非周期的ＣＱＩ報告モードは、より高位のレイヤのシグナリングによって（例えば、パラメータｃｑｉ−ＲｅｐｏｒｔＭｏｄｅＡｐｅｒｉｏｄｉｃで）構成され得る。
【０２０２】
１または複数の実施形態では、既存の非周期的ＣＳＩ報告モードは、再利用され得、ＴＳＶに関する３つの仮定のいずれかに適用可能であり得る。そのようなケースでは、（非周期的フィードバックをトリガーするために使用され得る）アップリンクＤＣＩまたはランダムアクセス応答グラントは、ＴＳＶの選択についての仮定（いくつかもしくはすべてのポイント、ネットワーク選択のＴＳＶ、および／またはＵＥ選択のＴＳＶ）をＷＴＲＵに命じるために使用され得る。ネットワーク選択のＴＳＶの場合、非周期的フィードバックトリガーは、ネットワーク選択のＴＳＩも含み得る。ＴＳＩは、例えば、ＣＳＩ要求フィールドの拡張として含まれ得る。非周期的フィードバックトリガー（例えば、アップリンクＤＣＩまたはランダムアクセス応答グラント）は、いくつかまたは各個々の報告タイプについて、アグリゲートフィードバックが要求され得るか、それともポイント毎フィードバックが要求され得るかも示し得る。
【０２０３】
ＷＴＲＵがＴＳＶ（またはＣＳＩケース）を選択し得る実施形態では、非周期的フィードバック報告は、ＴＳＩならびにＰＩおよび／またはＰＳＩを含み得る。実施形態は、そのような状況におけるＰＩが、ＷＴＲＵが、ＴＳＶにおいて送信として選択される多くのポイントを有し得、送信ポイントのサブセットについて特定の非周期的フィードバックを使用し得る、シナリオのためのものであり得ることを企図している。そのようなケースでは、１つの非周期的フィードバックが、ＴＳＶ内のいくつかまたはすべてのポイントについてのフィードバックを含み得ないとしても、アグリゲートＣＱＩは、ＴＳＶ全体において、またはＰＩによって示されるポイントのみにおいて調整され得る。
【０２０４】
実施形態は、ポイントの階層が、（例えば、ポイント毎ＣＱＩをランク付けすることに基づいて）ＷＴＲＵによって、またはネットワークによって提供され得ることを企図している。この階層は、例えば、最高位にランク付けされたポイント以外のポイントについてのいくつかまたはすべてのフィードバック報告が、最高位にランク付けされたポイントのフィードバック報告に対する差分になり得るように使用され得る。
【０２０５】
実施形態は、オーバヘッド低減（非周期的および周期的ＣＳＩ報告）のための１または複数の技法を企図している。実施形態は、異なるケース間のＣＳＩフィードバックのある構成要素間の予想される相関を利用することによって、ＣＳＩ報告のオーバヘッドを低減することが可能であり得ることを企図している。本明細書で説明される１または複数の実施形態は、少なくとも１つまたは以下のケースに適用され得る。
−２以上のＣＳＩケースまたはＣＳＩプロセスに対するＣＳＩが同じ非周期的報告で報告される場合。
−２以上のＣＳＩケースまたはＣＳＩプロセスに対するＣＳＩが同じ周期的報告インスタンス（サブフレーム）で報告される場合。および／または
−周期的ＣＳＩインスタンスが２以上のＣＳＩケースまたはＣＳＩプロセスのために構成される場合。
【０２０６】
１または複数の実施形態では、ＷＴＲＵは、報告されるＣＳＩケース間で相関させ得る、または同一と仮定され得る、あるフィードバック構成要素を一度（いくつかの実施形態では、おそらく、報告されるＣＳＩケース間で相関させ得る、または同一と仮定され得る、あるフィードバック構成要素を一度のみ）報告し得る。例えば、あるＣＳＩ−ＲＳリソースに対応するポイント毎ＰＭＩが、所望信号と仮定されるこの同じＣＳＩ−ＲＳリソースをＣＳＩケースが有する場合、または報告されるＣＳＩケースのために共通ＰＭＩが使用されることがより高位のレイヤによって示される場合、報告され得る（おそらく、いくつかの実施形態では、そのような場合に、一度のみ報告される）。同じＰＭＩを報告するように構成された２つのＣＳＩケースで、最適なポイント毎ＰＭＩが同じであり得ない場合、報告されるＰＭＩは、ＣＳＩケースのいずれかで最大ＣＱＩをもたらすＰＭＩであり得る。あるいは、または加えて、報告されるＰＭＩは、例えば、おそらくは、より高位のレイヤによって決定される、プライオリティ規則に従った、ＣＳＩケースまたはＣＳＩプロセスに対応するＰＭＩであり得る。
【０２０７】
同様に、１または複数の実施形態は、干渉信号と仮定される同じＣＳＩ−ＲＳリソースをＣＳＩプロセスが有し得る場合、および／または報告されるＣＳＩケースのために共通ＲＩが使用され得ることがより高位のレイヤによって示される場合、ＲＩが、いくつかの実施形態では、おそらく一度報告され得る（いくつかの実施形態では、おそらく、そのような場合に、一度のみ報告される）ことを企図している。同じＲＩを報告するように構成された２つのＣＳＩケースで、最適なＲＩが同じであり得ない場合、報告されるＲＩは、値のうちの最大値（または最小値）であり得る。あるいは、または加えて、報告されるＲＩは、例えば、おそらくは、より高位のレイヤによって決定される、おそらく、プライオリティ規則に従った、ＣＳＩプロセスに対応するＲＩであり得る。例えば、ＷＴＲＵは、第１のＣＳＩプロセスについて報告されるＲＩが、第２のＣＳＩプロセスについて報告されるＲＩと同じになるように制約され得るように構成され得、第２のＣＳＩプロセスは、第１のＣＳＩプロセスの「ＲＩ基準プロセス」と呼ばれることがある。そのようなシナリオでは、ＲＩは、とりわけ、ランク表示について構成される報告インスタンスが両方のプロセスで同じになり得る場合は、おそらく一度報告され得る。いくつかの実施形態では、これは、例えば、ランク表示について構成される報告インスタンスが両方のプロセスで同じになり得る場合に、実現され得る。そのようなシナリオでは、両方のプロセスに適用可能なＲＩが、報告インスタンスの単一の組で報告され得るように、第１のＣＳＩプロセスのＲＩ報告は、プライオリティ規則に従って廃棄され得る。
【０２０８】
あるいは、または加えて、実施形態は、ＷＴＲＵが、第２のＣＳＩケースまたはＣＳＩプロセスのフィードバック構成要素の絶対値を報告する代わりに、第１のＣＳＩケースまたはＣＳＩプロセスと第２のＣＳＩまたはＣＳＩプロセスケースとのフィードバック構成要素（例えば、ＣＱＩ）の間の差を報告し得ることを企図している。そのような実施形態は、とりわけ、値の差が、絶対値の一方よりも小さいことが予想され得る場合に、有益であり得る。１または複数のそのような実施形態は、おそらく、以下のうちの少なくとも１つなど、ある条件が満たされ得る場合に、適用され得る。
−両方のＣＳＩケースが、干渉信号と仮定される同じＣＳＩ−ＲＳリソースを使用する。
−両方のＣＳＩケースが、所望信号と仮定される同じＣＳＩ−ＲＳリソースを使用する。および／または
−第２のＣＳＩケースまたはＣＳＩプロセスが、第１のＣＳＩケースまたはＣＳＩプロセスとの差分フィードバック構成要素を報告し得ることが、より高位のレイヤから示される、など。
【０２０９】
実施形態は、複数の送信ポイントまたはＣＳＩ−ＲＳリソースを用いて構成され得るＷＴＲＵの周期的ＣＳＩの報告において使用され得る、１または複数の技法を企図している。
【０２１０】
１または複数の実施形態では、ＷＴＲＵは、例えば、構成された（ＰＵＣＣＨ）ＣＳＩ報告モードおよび／またはサブモードに従って、周期的にＣＳＩを報告し得る。報告モードおよび／またはサブモードは、どの所定の報告タイプがどの報告インスタンスで送信され得るかを定義し得る。
【０２１１】
実施形態は、ＷＴＲＵが、おそらくは、少なくとも１つの関連する条件と組み合わせて、少なくとも（該当する場合は）１つのタイプもしくはサブタイプの少なくとも１つのＣＳＩ構成要素を報告し得、および／または既存の報告タイプで、もしくは変更された報告モードの一部として、もしくはこれまで定義されていない報告モードで送信され得る、これまで定義されていない報告タイプで、本明細書で説明されるような追加のタイプ表示を報告し得ることを企図している。例えば、以下の報告タイプが、定義され得る。
−結合インジケータｉcomb。
−既存のプリコーディングタイプ表示（ＰＴＩ）またはこれから定義されるタイプ表示（以下を参照）を用いる、共通（またはジョイント）ランク表示ＲＩjoint。
−第１の（長期）ポイント毎プリコーディングインジケータｉ1kと結合される、第１の（長期）ポイント毎結合インジケータｉ1kcomb。
−共通（またはジョイント）ランク表示ＲＩjointと結合される、第１の（長期）ポイント毎結合インジケータｉ1kcomb。
−第１の（長期）ポイント毎プリコーディングインジケータｉ1kおよび共通（またはジョイント）ランク表示ＲＩjointと結合される、第１の（長期）ポイント毎結合インジケータｉ1kcomb。
−第２の（短期）ポイント毎ローカルプリコーディングインジケータｉ2kと結合される、第２の（短期）ポイント毎結合インジケータｉ2kcomb。
−各送信ポイントのためのポイント毎インジケータｉ1k、ｉ2kおよび結合インジケータｉcombを含む、グローバル（またはアグリゲート）プリコーディング行列インジケータ。および／または
−与えられた送信ポイントもしくはＣＳＩ−ＲＳリソース（またはそれの組）に対するＣＳＩフィードバックが後で報告され得るかどうかを示すインジケータ。
【０２１２】
ＷＴＲＵは、少なくとも１つの送信状態インジケータ（ＴＳＩ）またはＣＳＩプロセスインジケータを報告し得る。ＷＴＲＵは、異なるＴＳＩについてのフィードバックを報告するために、異なる報告を送信し得る。ＷＴＲＵは、異なる１組のＴＳＩについてのフィードバックを報告するために、異なる報告を送信し得る。１または複数の実施形態では、ＴＳＩの組は、オーバーラップし得る。報告は、例えば、独自の周期性およびサブフレームオフセットを用いて、送信され得る。
【０２１３】
１または複数の実施形態では、フィードバック報告がどのポイントについてのものであり得るかの表示は、別の報告と共同で送信され得る。一例として、ランクとポイントインジケータは、これまで定義されていない報告タイプで、共同で送信され得る。単一の値は、ランク１、ポイント＃１（いくつかの実施形態では、おそらく、ポイント＃１のみ）を使用、ランク２、ポイント＃１（いくつかの実施形態では、おそらく、ポイント＃１のみ）を使用、ランク１、ポイント＃２（いくつかの実施形態では、おそらく、ポイント＃２のみ）を使用、および／またはランク２、ポイント＃２（いくつかの実施形態では、おそらく、ポイント＃２のみ）を使用などに対応し得る。
【０２１４】
ジョイント報告は、ＪＴ  ＣｏＭＰについてのフィードバック情報を提供し得る、位相補正値を含み得る。例えば、ジョイント報告は、ランク１、ポイント＃１／＃２を使用、位相補正θ1、およびランク１、ポイント＃１／＃２を使用、位相補正θ2などを含み得る。ジョイント報告は、ランク１、ポイント＃１／＃２を使用、位相補正θn、ランク２、ポイント＃１／＃２を使用、位相補正θ1、およびランク２、ポイント＃１／＃２を使用、位相補正θ2などを含み得る。ジョイント報告は、ランク２、ポイント＃１／＃２を使用、位相補正θn、およびランク２、ポイント＃１／＃２を使用、各ポイントが独立のデータを送信などを含み得る。
【０２１５】
上述の２組の値の１または複数の組み合わせは、ＪＴおよびＤＰＳの任意の組み合わせをサポートするシステムのためにも使用され得る。さらに、非同期システムの場合、位相補正は、ジョイント報告から除去され得る。ポイント＃１およびポイント＃２の識別情報は、（例えば、ＰＩなどの）別の報告タイプで、先行してフィードバックされ得る。
【０２１６】
ＰＩは、そのセルについての報告とともに共同で送信され得る。１または複数の実施形態では、ＰＩは、一度送信され得る。ｅＮＢは、さらなるＰＩが送信されるまで、フィードバック報告がその送信ポイントについてのものであり得ることを仮定し得る。１または複数の実施形態では、ＷＴＲＵは、規則的な間隔で、例えば、特定の周期／サブフレームオフセットを使用して、ＰＩをフィードバックし得る。ＷＴＲＵは、ＰＩが変化していない場合であっても、ＰＩをフィードバックし得る。これは、（例えば、ＰＩがｅＮＢで正しく復号されなかった場合に）エラー伝搬の効果を低減し得る。
【０２１７】
１または複数の実施形態では、ＰＩは、ＲＩの代わりに送信され得る。例えば、ＰＩ／ＲＩ報告は、ＰＩ／ＲＩ報告タイプがＰＩのためのものであり得るか、それともＲＩのためのものであり得るかを示すフラグを含み得る。例えば、報告がＲＩのためのものか、それともＰＩのためのものかを決定する、事前構成されたパターンが存在し得る。事前構成されたパターンは、いくつかまたはあらゆる第ｘのＲＩ報告インスタンスがＰＩで置き換えられることを示し得る。ＰＩがそのような方法でフィードバックされる場合、フィードバックされる将来の報告タイプは、例えば、別のＰＩがフィードバックされるまで、その送信ポイントについてのものであり得る。
【０２１８】
実施形態は、ＰＭＩおよび位相オフセットの粒度が低減され得ることを企図している。例えば、位相オフセットは、送信ポイントの少なくとも１つについてのＰＭＩとともに共同で符号化され得る。ＰＭＩは、あるＰＭＩが、ある位相オフセットに関連付けられ得、特定のＰＭＩのフィードバックが、可能な位相オフセットのサブセットを送信ポイントに少なくとも暗黙的に示し得るように、サブサンプリングされ得る。実施形態は、オフセットをサブセットから決定するために、別のインジケータがネットワークによって使用され得ることを企図している。例えば、位相オフセットは、別のフィードバック報告タイプがスケジュールされ得るインスタンスにおいて、フィードバックされ得る。例えば、インスタンスがそれについて使用されている報告タイプを示すフラグが、ＷＴＲＵによって送信され得る。
【０２１９】
実施形態は、ＷＴＲＵがサブバンドを選択し得るモードの場合、いくつかまたは各帯域幅部分において、報告タイプが、以下のうちの少なくとも１つを含み得ることを企図している。
−いくつかのポイントまたは各ポイントについて、ＷＴＲＵは、（１組の帯域幅部分が帯域幅全体にわたり得る）いくつかまたはあらゆる帯域幅部分において、少なくとも１つのサブバンドを選択し得る。したがって、いくつかのポイントまたは各ポイントについて、ＷＴＲＵは、異なる１組のサブバンドを有し得る。
−いくつかのポイントまたはすべてのポイントについて、ＷＴＲＵは、いくつかまたはあらゆる帯域幅部分において、１つのサブバンドを選択し得る。したがって、同じ１組のサブバンドが、いくつかのポイントまたはすべてのポイントに適用され得る。
−いくつかまたはあらゆる帯域幅部分において、ＷＴＲＵは、少なくとも１つのサブバンド／ポイント組み合わせを選択し得る。この場合、ＷＴＲＵは、例えば、帯域幅部分内のサブバンドおよびそれが適用可能なポイントの両方を示す、ラベルを提供し得る。
−実施形態は、ＷＴＲＵがすべてのポイントに共通の１組のサブバンドを選択するか、それとも各ポイント毎に別個の１組のサブバンドを選択するかが、より高位のレイヤによって構成され得ることを企図している。１または複数のそのような構成は、おそらく、いくつかの実施形態では、意図されたタイプの協調送信に従って、ネットワークによって提供され得る。例えば、ＷＴＲＵは、例えば、ネットワークがジョイント送信を使用することを意図する場合、いくつかまたはすべてのポイントについて、共通の１組のサブバンドを選択するように構成され得る。あるいは、または加えて、ＷＴＲＵは、例えば、ネットワークが動的ポイント選択を使用することを意図する場合、いくつかのポイントまたは各ポイントについて、別個の１組のサブバンドを選択するように構成され得る。
【０２２０】
ＷＴＲＵが周期的に報告するＣＳＩは、
−構成される報告モードおよびサブモードなどの、より高位のレイヤのシグナリング、ならびに／または
−最後に報告されたＰＴＩ、もしくは最後に報告された（おそらくは、新たに定義された）タイプ表示
のうちの少なくとも１つを使用して決定され得る、本明細書で説明されるような少なくとも１つの関連する条件に従属し得る。
【０２２１】
１または複数の実施形態では、複数のセルについての報告タイプは、結合され得る。報告モードは、複数のセルについての報告タイプの結合を可能にし得る。例えば、複数の送信ポイントは、同じランクを使用し得る。この報告モードでは、複数の送信ポイントに対して、１つのＲＩが送信され得る。この報告モードは、（例えば、ｎ個のポイントに対して）例えば、１つのＲＩ、ｎ個の広帯域ＣＱＩ、ｎ個の広帯域ＰＭＩ、構成される場合、複数のサブバンドＣＱＩおよびＰＭＩをフィードバックするように、ＷＴＲＵを構成し得る。
【０２２２】
実施形態は、既存の報告モードまたはこれまで定義されていない報告モードに従った、周期的ＣＳＩ報告の例を企図している。例えば、少なくとも１つの報告モード／サブモードでは、ＷＴＲＵは、以下を報告し得る。
−第１の周期によって分離される報告インスタンスの第１の組における、共通（またはジョイント）ランクインジケータを含む報告タイプ。
−（第１の組に属する報告インスタンスを除外した）第２の周期によって分離される報告インスタンスの第２の組における、少なくとも１つの広帯域アグリゲート（またはジョイント）ＣＱＩおよび少なくとも１つの広帯域結合インジケータｉcombを含む報告タイプ。および／または
−（第１または第２の組に属する報告インスタンスを除外した）第３の周期によって分離される報告インスタンスの第３の組における、少なくとも１つのサブバンドアグリゲート（またはジョイント）ＣＱＩおよび少なくとも１つのサブバンド結合インジケータｉcombを含む報告タイプ。
実施形態は、説明される報告モードが、いくつかの送信ポイントまたは各送信ポイントについて別々に構成され得る周期的報告と組み合わせて、有益であり得ることを企図している。
【０２２３】
また、例として、少なくとも１つの報告モード／サブモードでは、ＷＴＲＵは、以下を報告し得る。
−第１の周期によって分離される報告インスタンスの第１の組における、共通（またはジョイント）ランクインジケータ、少なくとも１つの送信ポイントについての１つのポイント毎ランクインジケータ、および本明細書で説明される技法に従ってＷＴＲＵが決定し得るプリコーディングタイプインジケータ（ＰＴＩ）を含む報告タイプ。
−（第１の組に属する報告インスタンスを除外した）第２の周期によって分離される報告インスタンスの第２の組における、
○ＷＴＲＵによって送信された最新のＰＴＩが第１の値に設定された場合、（いくつかの実施形態では、おそらくは、異なる報告インスタンスにおける）いくつかまたは各送信ポイントについての、１つの長期（第１の）ポイント毎プリコーディング行列インジケータ、およびおそらくは、１つのポイント毎長期結合インジケータｉ1k,comb、
○ＷＴＲＵによって送信された最新のＰＴＩが第２の値に設定された場合、少なくとも１つの広帯域アグリゲート（またはジョイント）ＣＱＩ、ならびに（おそらくは、異なる報告インスタンスにおける）いくつかまたは各送信ポイントについての、１つの広帯域短期（第２の）ポイント毎プリコーディング行列インジケータ、および１つのポイント毎（短期）広帯域結合インジケータｉ2kcomb
を含む報告タイプ。および／または
−（第１の組または第２の組に属する報告インスタンスを除外した）第３の周期によって分離される報告インスタンスの第３の組における、
○ＷＴＲＵによって送信された最新のＰＴＩが第１の値に設定された場合、少なくとも１つの広帯域アグリゲート（もしくはジョイント）ＣＱＩ、ならびに／または（おそらくは、異なる報告インスタンスにおける）いくつかもしくは各送信ポイントについての、少なくとも１つの広帯域短期（第２の）ポイント毎プリコーディング行列インジケータ、および／もしくは少なくとも１つのポイント毎（短期）広帯域結合インジケータｉ2kcomb、および／または
○ＷＴＲＵによって送信された最新のＰＴＩが第２の値に設定された場合、少なくとも１つのサブバンドアグリゲート（もしくはジョイント）ＣＱＩ、ならびに／または（おそらくは、異なる報告インスタンスにおける）いくつかもしくは各送信ポイントについての、少なくとも１つのサブバンド短期（第２の）プリコーディング行列インジケータ、および／もしくは少なくとも１つの（短期）サブバンド結合インジケータｉ2kcomb
を含む報告タイプ。
【０２２４】
先に説明された例示的なサブバンドの１または複数では、例えば、長期ポイント毎プリコーディング行列インジケータおよび／または長期ポイント毎結合インジケータが、第１の値に設定されるプリコーディングタイプインジケータの先の送信以降に、少なくとも１つの送信ポイントについて著しく変化し得たことを、ＷＴＲＵが決定し得る場合、ＷＴＲＵは、プリコーディングタイプインジケータを第１の値に設定し得る。あるいは、ＷＴＲＵは、例えば、エラー伝搬を防止するために、いくつかまたはＮ個のサブフレームまたは報告インスタンスおきに、周期的に、プリコーディングタイプインジケータを第１の値に設定し得る。１または複数の実施形態では、Ｎの値は、例えば、より高位のレイヤのシグナリングによって構成され得る。
【０２２５】
１または複数の実施形態は、例えば、ＷＴＲＵが以下を報告し得る場合などの、報告モード／サブモードを企図している。
−第１の周期によって分離される報告インスタンスの第１の組における、共通（またはジョイント）ランクインジケータ、プリコーディングタイプインジケータ（ＰＴＩ）、ならびにＷＴＲＵが以下のうちの少なくとも１つに従って決定し得るジョイントプリコーディングタイプインジケータ（ＪＰＴＩ）であって、すなわち
○異なるレイヤが異なる送信ポイントから送信される（結合行列が恒等行列である）場合、ＷＴＲＵがＪＰＴＩを第１の値に設定し、および／または
○少なくとも１つのレイヤが異なる送信ポイントから送信される場合、ＷＴＲＵがＪＰＴＩを第２の値に設定する
ジョイントプリコーディングタイプインジケータ（ＪＰＴＩ）を含む報告タイプ。
−（第１の組に属する報告インスタンスを除外した）第２の周期によって分離される報告インスタンスの第２の組における、
○ＷＴＲＵによって送信された最新のＰＴＩが第１の値に設定された場合、（おそらくは、異なる報告インスタンスにおける）各送信ポイントについての、１つの長期（第１の）ポイント毎プリコーディング行列インジケータ、および／または
○ＷＴＲＵによって送信された最新のＰＴＩが第２の値に設定された場合、少なくとも１つの広帯域アグリゲート（もしくはジョイント）ＣＱＩ、および／または（いくつかの実施形態では、おそらくは、異なる報告インスタンスにおける）いくつかもしくは各送信ポイントについての、１つの広帯域短期（第２の）ポイント毎プリコーディング行列インジケータ、ならびにＷＴＲＵによって報告された最新のＪＰＴＩが第２の値に設定された場合、１つの広帯域結合インジケータｉcomb
のうちの少なくとも１つを含む報告タイプ。および／または
−（第１の組または第２の組に属する報告インスタンスを除外した）第３の周期によって分離される報告インスタンスの第３の組における、
○ＷＴＲＵによって送信された最新のＰＴＩが第２の値に設定された場合、少なくとも１つの広帯域アグリゲート（もしくはジョイント）ＣＱＩ、および／または（いくつかの実施形態では、おそらくは、異なる報告インスタンスにおける）いくつかもしくは各送信ポイントについての、１つの広帯域短期（第２の）ポイント毎プリコーディング行列インジケータ、ならびに、ＷＴＲＵによって報告された最新のＪＰＴＩが第２の値に設定された場合、１つの広帯域結合インジケータｉcomb
を含む報告タイプ。
【０２２６】
ＷＴＲＵによって送信された最新のＰＴＩが第２の値に設定された場合、少なくとも１つのサブバンドアグリゲート（もしくはジョイント）ＣＱＩ、および／または（おそらくは、異なる報告インスタンスにおける）いくつかもしくは各送信ポイントについての、１つのサブバンド短期（第２の）ポイント毎プリコーディング行列インジケータ、ならびにＷＴＲＵによって報告された最新のＪＰＴＩが第２の値に設定された場合、１つのサブバンド結合インジケータｉcomb。
【０２２７】
実施形態は、周期的フィードバックが独立の周期および／またはオフセットに基づき得る、１または複数の技法を企図している。いくぶん異なる述べ方をすれば、実施形態は、そのいくつかまたは各々が少なくとも周期および／またはオフセットによって定義され得るサブフレームの複数の組で周期的ＣＳＩ報告を送信することに基づき得る、周期的ＣＳＩフィードバックの実現を企図している。そのような実施形態では、特定の１組のサブフレームで送信され得るＣＳＩ報告は、
−送信ポイント、もしくは１組の送信ポイント、もしくは１組のＣＳＩ−ＲＳリソース、
−ＣＳＩプロセス、
−送信状態（例えば、ジョイント送信もしくは単一ポイント送信についての報告）、
−関連する条件、および／または
−報告タイプ（例えば、ＷＴＲＵがランク表示を報告し得るか、それともＣＱＩ／ＰＭＩフィードバックを報告し得るか）
のうちの少なくとも１つに関し得る。実施形態は、与えられた１組のサブフレームの周期および／またはオフセットが、例えば、より高位のレイヤによって示されるパラメータから導出され得ることを企図している。
【０２２８】
１または複数の実施形態では、ＷＴＲＵは、報告タイプおよび送信ポイントのいくつかの組み合わせについての、またはいくつかの実施形態では、報告タイプおよび送信ポイントのあらゆる可能な組み合わせに対するＣＳＩ報告を、各々異なる１組のサブフレームで送信し得る。例えば、ＷＴＲＵは、ポイント１のＲＩをサブフレームセットＡで、ポイント２のＲＩをサブフレームセットＢで、ポイント１のＣＱＩ／ＰＭＩをサブフレームセットＣで、ポイント２のＣＱＩ／ＰＭＩをサブフレームセットＤで送信するなどし得る。
【０２２９】
１または複数の実施形態では、ＷＴＲＵは、いくつかまたはすべての送信ポイントに適用可能であり得る、あるタイプのフィードバックに対するＣＳＩ報告を、サブフレームの単一の組で送信し得る。これは、例えば、いくつかのタイプのＣＳＩ情報が送信ポイント間で共通である場合など、数々の理由で、有益であり得る。例えば、ＲＩは、いくつかもしくはすべてのＣＳＩプロセス、送信ポイント、送信状態に共通であり得、および／または特定のＣＳＩプロセスもしくは送信ポイントについてのＲＩに結び付けられ得る。例えば、ＷＴＲＵは、第１のＣＳＩプロセスについて報告されるＲＩが、第２のＣＳＩプロセスについて報告されるＲＩと同じになるように制限され得るように構成され得、いくつかの実施形態では、第２のＣＳＩプロセスは、第１のＣＳＩプロセスの「ＲＩ基準プロセス」と呼ばれることがある。そのようなシナリオでは、情報は、送信ポイントまたはＣＳＩプロセス当たり１組のサブフレームの代わりに、サブフレームの単一の組で送信され得、おそらく、オーバヘッドを節約する。いくつかの実施形態では、これは、例えば、ランク表示について構成される報告インスタンスが、両方のプロセスで同じであり得る場合に、実現され得る。そのようなシナリオでは、両方のプロセスに適用可能なＲＩが、報告インスタンスの単一の組で報告され得るように、第１のＣＳＩプロセスのＲＩ報告は、プライオリティ規則に従って廃棄され得る。同じ技法は、例えば、送信状態インジケータ（ＴＳＩ）に、または順序付けられた１組の送信ポイントを示すＰＩに適用され得る。
【０２３０】
１または複数の実施形態では、与えられた１組のサブフレームは、特定の１組の送信ポイント（もしくはＣＳＩ−ＲＳリソース）、または（ジョイント送信などの）送信状態もしくはＣＳＩプロセスに、半静的に結び付けられ得る。オーバヘッドを最小化するために、ＷＴＲＵは、１または複数のある条件が満たされる場合に、いくつかの実施形態では、おそらく、１または複数のある条件が満たされる場合に限って、ある送信ポイントまたは送信状態もしくはＣＳＩプロセスに関連付けられる、あるタイプのＣＳＩが送信され得ることを決定し得る。例えば、条件は、ＷＴＲＵが決定し得る送信状態またはＣＳＩプロセスに関連付けられ得る。ＷＴＲＵは、ある送信ポイントに対するＣＳＩフィードバックを、この送信ポイントが、決定された送信状態またはＣＳＩプロセスに従った、ＷＴＲＵへの送信に関与し得る場合、いくつかの実施形態では、おそらく、この送信ポイントが、決定された送信状態またはＣＳＩプロセスに従った、ＷＴＲＵへの送信に関与し得る場合に限って、送信し得る。また、例として、別の条件は、送信ポイントまたは状態に関連付けられた（広帯域ＣＱＩなどの）メトリックが、最良の送信ポイントまたは状態に関連付けされたメトリックから閾値を引いたものよりも良好であり得ることとし得る。ある送信ポイントまたは送信状態もしくはＣＳＩプロセスが送信についての条件を満たさないとＷＴＲＵが決定し得る場合、ＷＴＲＵは、これを、例えば、おそらくは、送信ポイントに固有とし得る別個の１組のサブフレームで、ＴＳＩまたは今のところ定義されていないタイプの報告など、別個のタイプの報告として、ネットワークに知らせ得る。１または複数の実施形態では、１または複数のある送信ポイントに対するＣＳＩフィールドの送信は、例えば、この報告で直近に送信された値に調整され得る。
【０２３１】
１または複数の実施形態では、１組のサブフレームと送信ポイントの間の結び付きは、動的であり得る。例えば、送信ポイントは、（例えば、最高のＲＩまたは最高の広帯域ＣＱＩなど）少なくとも１つの品質基準を使用して、ＷＴＲＵによってランク付けされ得る。ＷＴＲＵは、このランク付けを、ＰＩを含み、特定の１組のサブフレームで送信され得る、今のところ定義されていない報告タイプで示し得る。直近に送信されたＰＩに基づいて、その後、最も高いランクを与えられた送信ポイントに対するＣＳＩは、第１の１組のサブフレームで送信され得、２番目に高いランクに対するＣＳＩは、第２の１組のサブフレームで送信され得、以降も同様である。この技法は、例えば、より重要な送信ポイントについてのフィードバックの送信を、より重要でないポイントについてのものよりも、より頻繁に行うことを可能にし得る。
【０２３２】
実施形態は、ＷＴＲＵが送信ポイントの新しいランキングを提供し得る場合に、報告タイプがフィードバックされ得ることを企図している。各送信ポイントの周期性／オフセットは、事前構成され得、および／またはＷＴＲＵによって提供されるランクに結び付けられ得る。１または複数の実施形態では、ＷＴＲＵは、少なくとも２つのリストを送信し得、一方は、より高い周期性を必要とし得る「良好な」送信ポイントを含み、もう一方は、より低い周期性を必要とし得る「粗悪な」送信ポイントを含む。リストの数は、例えば、必要とされる周期性の粒度とともに増加し得る。ＷＴＲＵは、より高位のレイヤのシグナリングを使用して、ポイントのリストを含むＰＩも報告し得る。
【０２３３】
ＷＴＲＵが、上述の技法の１つを使用して、多くの送信ポイントまたはＣＳＩケースに対するＣＳＩをフィードバックするように構成され得る場合、サブフレームの組の間にオーバーラップが存在すると、フィードバック報告の衝突が生じ得る。１または複数の実施形態では、送信ポイント（またはＣＳＩケース）の優先順位は、例えば、衝突が同じ報告タイプについて生じる場合などには、ネットワークによって事前構成され得、いくつかの実施形態では、衝突が同じ報告タイプについて生じる場合に限って、事前構成され得る。そのような実施形態では、おそらく、２つの送信ポイント（またはＣＳＩケース）が、同じリソースについてスケジュールされたフィードバック報告を有する場合、ＷＴＲＵは、より高い優先順位を有する送信ポイント（またはＣＳＩケース）についての報告をフィードバックし得る。１または複数の実施形態では、ＷＴＲＵは、どの送信ポイント（またはＣＳＩケース）をフィードバックすべきかを選択し得る。フィードバックＣＳＩは、例えば、フィードバックがどのポイントのＣＳＩケースまたはＣＳＩプロセスについてのものかを示す、ＰＩまたはＴＳＩを含み得る。
【０２３４】
実施形態は、いくつかまたは各ＣＳＩケースの報告を構成する場合に、フィードバック報告の周期的フィードバック衝突が、ネットワークによって予測され得ることを企図している。実施形態は、ネットワークが、おそらく、ネットワーク選択の期間の間は衝突が存在し得ないことを保証するように、報告モードおよび／または報告インスタンスを再構成し得ることを企図している。あるいは、または加えて、ネットワークは、フィードバック報告の衝突が特定のインスタンスに存在し得るように、フィードバック報告を用いてＷＴＲＵを構成し得る。とりわけ、そのような状況に対処するために、ＷＴＲＵは、いくつかのフィードバック報告を圧縮し、並置し、および／または廃棄するための規則を用いて構成され得る。
【０２３５】
実施形態は、フィードバック報告の衝突に関する１または複数の技法を企図している。実施形態は、いくつかまたはいずれかのＷＴＲＵ構成が、例えば、静的であり得る（例えば、衝突が生じたときのＷＴＲＵ挙動がＳＩＢ内に含まれ得る）こと、半静的であり得る（およびより高位のレイヤのシグナリングを介して更新される）こと、または動的であり得る（およびより高位のレイヤのシグナリングもしくはＤＣＩ内の要素によって更新される）ことを企図している。
【０２３６】
実施形態は、少なくとも２つのタイプのフィードバック報告衝突が生じ得ることを企図している。第１のタイプでは、２つのフィードバック報告衝突は、異なるフィードバックタイプについてのものであり得る。例えば、第１のＣＳＩケースまたはＣＳＩプロセスについてのＲＩ報告のフィードバックと、第２のＣＳＩケースまたはＣＳＩプロセスの広帯域ＣＱＩ／ＰＭＩのフィードバックとの衝突が存在し得る。２つのフィードバック報告が異なるタイプに属する衝突ケースでは、ＷＴＲＵは、以下の技法のうちのいずれか１または複数を使用し得る。
−フィードバック報告の階層が存在し得る。１または複数の実施形態では、ＷＴＲＵは、他を優先して、ある報告タイプを廃棄し得る。プライオリティのリストが、ＷＴＲＵに構成され得る。例えば、第１のプライオリティの報告タイプは、広帯域第１のＰＭＩ（２ａ）と、ＲＩ（３）と、広帯域ＣＱＩ（４）と、ＲＩ／ＰＴＩ（６）とを含み得る。第２のプライオリティの報告タイプは、広帯域ＣＱＩ／ＰＭＩ（２）と、広帯域ＣＱＩ／第２のＰＭＩ（２ｂ）と、広帯域ＣＱＩ／第１のＰＭＩ／第２のＰＭＩ（２ｃ）と、ＲＩ／第１のＰＭＩ（５）とを含み得る。第３のプライオリティの報告タイプは、サブバンドＣＱＩ（１）と、サブバンドＣＱＩ／第２のＰＭＩ（１ａ）とを含む。また、一例として、いくつかまたはすべてのフィードバック報告タイプは、同じプライオリティを有し得る。
−（所望信号または干渉成分など）ＣＳＩケースまたはＣＳＩプロセスのある構成要素は、プライオリティを用いて構成され得る。１または複数の実施形態では、おそらく、衝突の場合、ＷＴＲＵは、その構成要素がより高いプライオリティを有する、ＣＳＩケースまたはＣＳＩプロセスについての報告タイプをフィードバックし得、他は廃棄する。
−ＣＳＩケースまたはＣＳＩプロセスのプライオリティは、所望信号（または干渉成分）を共有するＣＳＩケースまたはＣＳＩプロセスにより高いまたはより低いランクを与えることによって決定され得る。例えば、３つのＣＳＩケースまたはＣＳＩプロセスが存在し、２つが同じ所望信号を共有する場合、１または複数の実施形態では、それらは、異なる所望信号を有し得る第３のＣＳＩケースまたはＣＳＩプロセスよりも高い（または低い）プライオリティとし得る。
−フィードバックモードの階層が存在し得、１または複数の実施形態では、ＷＴＲＵは、プライオリティがより高いフィードバックモードについて生成される報告タイプをフィードバックすることを選択し得、プライオリティがより低いモードの報告は廃棄する。
−１または複数の実施形態では、広帯域報告についてのフィードバックは、サブバンド報告についてのフィードバックよりも、プライオリティが高いまたは低いと見なされ得る。
−１または複数の実施形態では、（例えば、所望信号と仮定される単一のＣＳＩ−ＲＳリソースを有する）ポイント毎ＣＳＩケースまたはＣＳＩプロセスについてのフィードバックは、アグリゲートＣＳＩケースまたはＣＳＩプロセスについてのフィードバックよりも、プライオリティが高いまたは低いと見なされ得る。
−ＣＳＩケースまたはＣＳＩプロセスのフィードバックは、１または複数の実施形態では、構成された回数よりも多く連続して廃棄され得ない。そのような実施形態では、おそらく、同じプライオリティの衝突が生じた場合、あるＣＳＩケースまたはＣＳＩプロセスのフィードバックが、構成された回数だけ連続して廃棄されたのであれば、それは優先権を有し得、ＷＴＲＵは、そのＣＳＩケースまたはＣＳＩプロセスに関連付けられた報告をフィードバックし得る。「廃棄」カウンタは、そのとき、０にリセットされ得る。および／または
−１または複数の実施形態では、先行するフィードバック報告タイプ（ＰＴＩに類似の新しいインジケータ）に基づいて、ＷＴＲＵは、特定の報告タイプをフィードバックし、別のものを廃棄し得る。
【０２３７】
１または複数の実施形態は、おそらく、プライオリティが同じ２つの報告タイプの間の衝突の場合、ＷＴＲＵが、所定のＣＳＩケースまたはＣＳＩプロセスについてのフィードバック報告を（いくつかの実施形態では、おそらく、そのようなフィードバック報告のみを）維持するように構成され得ることを企図している。あるいは、または加えて、ＷＴＲＵは、以下の任意の組み合わせなど、構成された基準に基づいて選択され得る、ＣＳＩケースもしくはＣＳＩプロセスについての、またはＣＳＩケースもしくはＣＳＩプロセスのサブセットについての報告タイプをフィードバックするように（したがって、他のＣＳＩケースまたはＣＳＩプロセスからのいくつかまたはすべての他の衝突するフィードバック報告を廃棄するように）構成され得る。
−例えば、ＣＳＩプロセス識別子によって示されるような、構成におけるＣＳＩケースまたはＣＳＩプロセスの順序。
−ＣＳＩケースまたはＣＳＩプロセスにおいて所望信号と仮定されるＣＳＩ−ＲＳリソースの測定メトリック（例えば、ＣＳＩ−ＲＳＲＰ）。
−ＣＳＩケースまたはＣＳＩプロセスにおいて干渉信号と仮定されるＣＳＩ−ＲＳリソースの測定メトリック。
−ＣＳＩケースまたはＣＳＩプロセスにおいて干渉測定リソースから測定される干渉レベル。
−例えば、より低い値がより高いプライオリティを有し得るＣＳＩプロセス識別子によって示されるような、構成の一部として提供されるＣＳＩケースまたはＣＳＩプロセスの明示的プライオリティ。
−ＣＳＩケースまたはＣＳＩプロセスにおいて干渉と仮定されるＣＳＩ−ＲＳリソースの数（例えば、より高いプライオリティは、干渉と仮定されるＣＳＩ−ＲＳリソースをより多く有するＣＳＩケースまたはＣＳＩプロセスに割り当てられ得る）。
−最高または最低のＣＱＩを有するＣＳＩケースまたはＣＳＩプロセス。
−最高または最低のＲＩを有するＣＳＩケースまたはＣＳＩプロセス。
−最高または最低の所望信号強度を有するＣＳＩケースまたはＣＳＩプロセス。
−最高または最低の干渉信号強度を有するＣＳＩケースまたはＣＳＩプロセス。
−最高または最低のフィードバック報告周期性を有するＣＳＩケースまたはＣＳＩプロセス。
−最も新しくまたは最も以前に廃棄されたフィードバック報告を有するＣＳＩケースまたはＣＳＩプロセス。
−同じ報告タイプを有するその先行するフィードバックが最も新しくまたは最も以前にフィードバックされたＣＳＩケースまたはＣＳＩプロセス。
−ＣＳＩケースまたはＣＳＩプロセスの事前構成された循環に基づいた次のＣＳＩケースまたはＣＳＩプロセス。
−そのＣＳＩケースまたはＣＳＩプロセスについてのその報告タイプのフィードバックにＷＴＲＵが最後に成功にして以降、その衝突するフィードバック報告が最も多くまたは最も少なく変化し得たＣＳＩケースまたはＣＳＩプロセス。例えば、２つの衝突するフィードバック報告タイプが、ＣＳＩケースまたはＣＳＩプロセスＡからのＲＩと、ＣＳＩケースまたはＣＳＩプロセスＢからのＰＭＩであり、ＣＳＩケースまたはＣＳＩプロセスＡについてのＲＩのフィードバックが最後に成功して以降、ＲＩの値が変化していない場合、ＷＴＲＵは、ＣＳＩケースまたはＣＳＩプロセスＢについてのＰＭＩフィードバック報告タイプをフィードバックすることを選択し得る。
−直近の非周期的フィードバック報告インスタンス内に含まれるＣＳＩケースまたはＣＳＩプロセス。
−非周期的報告、周期的報告、または任意の報告で、ＣＳＩケースまたはＣＳＩプロセスに対するＣＳＩが最後に報告されて以降の継続時間。および／または
−所望信号と仮定されるそのＣＳＩ−ＲＳリソースが、ダウンリンク割り当てのために最後に使用されたポイントから送信され得るＣＳＩケースまたはＣＳＩプロセス。
【０２３８】
実施形態は、上述の基準が、サービングセルの報告タイプに基づいた優先順位付け目的で使用される既存の基準よりも低い（または高い）優先順位を有し得ることを企図している。例えば、異なるタイプ（例えば、ランクインジケータ対プリコーディング行列インジケータ）のＣＳＩ報告の間、および／または異なるＣＳＩケースもしくはＣＳＩプロセスのＣＳＩ報告の間に衝突が生じた場合に、ＣＳＩケースまたはＣＳＩプロセスのプライオリティに関わらず、プライオリティが、最初に報告タイプに従って設定され得るように、「報告タイプ」基準は、上述の「ＣＳＩケース」または「ＣＳＩプロセス」基準の１つよりも高い優先順位を有し得る。別の例では、異なるサービングセルに対するＣＳＩ報告の間、および／または異なるＣＳＩケースもしくはＣＳＩプロセスに対するＣＳＩ報告の間に衝突が生じた場合に、プライオリティが、最初にサービングセルに従って（または最初にＣＳＩプロセスに従って）設定され得るように、「サービングセル」基準は、上述の「ＣＳＩケース」または「ＣＳＩプロセス」基準の１つよりも高い（または低い）優先順位を有し得る。いくつかの実施形態では、おそらく、サービングセルのＣＳＩプロセス間のプライオリティが、最初により低いＣＳＩプロセス識別子に従って設定され得、および／または異なるサービングセルのＣＳＩ間のプライオリティが、最初により低いサービングセル識別子に従って設定され得る場合、異なるＣＳＩプロセス識別子を有し、異なるサービングセルに属するＣＳＩプロセスの間に衝突が生じた場合のプライオリティ規則は、ＣＳＩプロセス識別子に従い得る。そのようなシナリオでは、最低のＣＳＩプロセス識別子を有し得るＣＳＩプロセスを有するサービングセルからのＣＳＩ報告を除いて、１もしくは複数またはすべてのＣＳＩ報告が、廃棄され得る。
【０２３９】
１または複数の実施形態では、フィードバックされる選択報告タイプおよびＣＳＩケースまたはＣＳＩプロセスは、ネットワークに明らかであり得ない。そのようなシナリオでは、ＷＴＲＵは、どの報告がフィードバックされたかをネットワークに通知（おそらく、明示的に通知）するために、（ＰＩまたはＴＳＩなどの）ＣＳＩケースまたはＣＳＩプロセスインジケータを追加し得る。
【０２４０】
あるいは、または加えて、ＷＴＲＵは、衝突する報告を１つの結合するために、フィードバック報告を圧縮し得る。そのような実施形態では、ＷＴＲＵは、衝突の場合に、フィードバック報告の差分値を（いくつかの実施形態では、おそらく、そのような差分値のみを）報告し得る。これらの差分値は、例えば、それぞれのＣＳＩケースまたはＣＳＩプロセスについての、各衝突タイプの直近に成功したフィードバック報告に関して行われ得る。
【０２４１】
あるいは、または加えて、ＷＴＲＵは、衝突の場合に、別個に構成されたリソースで、（ＰＵＣＣＨフォーマット３を使用するなどする）より大きな利用可能なペイロードを有するチャネルを使用して、フィードバックを送信し得るように構成され得る。さらに、いくつかの実施形態では、ＷＴＲＵは、ｎ個のフィードバック報告が衝突する場合に（いくつかの実施形態では、おそらく、そのような場合にのみ）、そのようなリソースを使用するように構成され得、ここで、例えば、ｎは、２以上の任意の整数とし得る。
【０２４２】
実施形態は、２以上の衝突するフィードバック報告が、同じタイプに属するが、異なるＣＳＩケースまたはＣＳＩプロセスについてのものである場合に、別のタイプの衝突が生じ得ることを企図している。そのような実施形態では、ＷＴＲＵは、異なるフィードバックタイプが衝突する場合についての本明細書で説明される技法のいずれか、および／または以下の任意の組み合わせを再利用し得る。
−１または複数の実施形態では、ＷＴＲＵは、ネットワークにおいて、いくつかまたはすべての衝突する報告について使用される値として解釈され得る、単一の報告をフィードバックし得る。例えば、ＷＴＲＵは、同じ所望信号成分（または同じ干渉成分）を有するいくつかまたはいずれかのＣＳＩケースが、ＲＩおよび／またはＣＱＩおよび／またはＰＭＩなど、あるフィードバック報告タイプを共有し得るように構成され得る。共有規則は、例えば、所望信号または干渉成分が同じかどうかに基づいて、異なり得る。
−１または複数の実施形態では、ＷＴＲＵは、同じフィードバックタイプの衝突が存在し得る場合はいつでも、ＷＴＲＵが、いくつかまたはすべての衝突するＣＳＩケースまたはＣＳＩプロセスに最も適し得る、このフィードバックタイプの単一の値を決定し得るように（いくつかの実施形態では、そのように決定しなければならないように）構成され得る。
−１または複数の実施形態では、ＷＴＲＵは、あるフィードバックタイプを共有し得るＣＳＩケースまたはＣＳＩプロセスのグループに加えて、どのフィードバックタイプが共有され得るのかも用いて構成され得る。タイプとＣＳＩケースまたはＣＳＩプロセスとのこれらのペアが衝突する場合、ＷＴＲＵは、単一の値をフィードバックし得る。
−１または複数の実施形態では、ＷＴＲＵは、１つのＣＳＩケースまたはＣＳＩプロセスについての報告タイプの絶対値と、いくつかまたはすべての他の衝突するＣＳＩケースまたはＣＳＩプロセスについての差分値をフィードバックし得る。どのポイントについて絶対値をフィードバックするかの選択は、差分フィードバックタイプの衝突について本明細書で説明された基準と同様に行われ得る。衝突するＣＳＩケースもしくはＣＳＩプロセスが、干渉と仮定されるＣＳＩ−ＲＳリソースの同じサブセットを有する場合、または差分報告が使用されることが、より高位のレイヤによって示され得る場合、１または複数のそのような実施形態が使用され得る（いくつかの実施形態は、おそらく、そのような条件でのみ使用され得る）。
−ＷＴＲＵは、フィードバック報告の衝突の場合に、ＰＭＩをそこから選択するサブサンプリングされたコードブックを用いて構成され得る。サブサンプリングされたコードブックは、事前構成され、フィードバックインスタンスに結び付けられ得、および／または事前構成されたコードブックの組から動的に切り換えられ得る。動的な切り換えは、例えば、非周期的グラント内の表示によって行われ得、または事前構成された組の中で循環的に行われ得、またはＷＴＲＵによって選択され、新しい表示ビットを用いて表示され得る。
−ＷＴＲＵは、フィードバック報告が、いくつかもしくはすべての衝突するＣＳＩケースもしくはＣＳＩプロセス、単一のＣＳＩケースもしくはＣＳＩプロセス、および／または衝突するＣＳＩケースもしくはＣＳＩプロセスのサブセットについて有効であるかどうかを示す、表示ビットを追加し得る。
【０２４３】
実施形態は、周期的フィードバックが、複数のポイントについての報告の送信に基づき得ることを企図している。例えば、周期的ＣＳＩ報告を実行するためなど、様々な理由で、ＷＴＲＵは、単一ポイントフィードバックのために利用可能なＲｅｌ−１０報告モードのいずれかを用いて構成され得る。実施形態は、モードが、ＴＳＩおよび／またはＰＩを含むように、今のとこと定義されていない報告タイプを含むことによって、増強され得ることを企図している。企図される報告タイプは、今のところ定義されていない単独の報告タイプとし得、または他の任意の報告タイプとともに共同で提供され得る（例えば、ＲＩをＴＳＩと結合する報告タイプ）。そのような場合、いくつかまたはすべての他のフィードバック報告タイプは、ＴＳＩおよび／またはＰＩを含む直近に送信された報告タイプにおいて示されるポイントに関して調整され得る。１または複数の実施形態では、ＴＳＩは、ＰＩまたは他の任意の報告タイプよりも高い周期性で送信され得、ＰＩは、（ＴＳＩによって示される）ＴＳＶ内のどのポイントに関して、将来の報告が調整され得るかを示すために、送信され得る。あるいは、または加えて、いくつかまたはすべてのフィードバック報告は、その特定の報告がどのポイントについてのものかを示し得る、ＴＳＩおよび／またはＰＩを含み得る。
【０２４４】
１または複数の実施形態では、２以上のポイントに関するＣＳＩ構成要素は、同じサブフレームで報告され得る。例えば、これらの報告で提供されるＣＳＩ情報のタイプが、単一のポイントの代わりに、複数のポイントのために提供され得るように、（例えば、１、１ａ、２、２ａ、２ｂなどの）既存の報告タイプを維持し、変更し、または拡張することが可能であり得る。実施形態は、これが、いくつかの報告または各報告の情報ペイロードの増加をもたらし得るが、例えば、送信ポイントの数に関わらず、既存の周期的モードの時間組織の維持を容易にし得ることも企図している。
【０２４５】
実施形態は、以下のような、しかし、それらに限定されない、１または複数の特定の報告タイプに適用可能であり得る、１または複数の技法を企図している。
−帯域幅部分の最良のＷＴＲＵ選択のサブバンドについてのサブバンドＣＱＩ情報を含み得る、報告１および１ａでは、ＷＴＲＵは、両方のポイントについてのサブバンド（おそらく、両方のポイントについての単一のサブバンド）、または各ポイントについての１つのサブバンドを報告し得る。
−ＣＱＩを含み得る報告（例えば、１、１ａ、２、２ｂ、２ｃ、４）では、ＷＴＲＵは、以下のうちの少なくとも１つを報告し得る（ポイント毎ＣＱＩはミューティングを仮定し得る、または仮定し得ないことが企図される）。
●各ポイントの第１のコードワードについてのポイント毎ＣＱＩ、そのいくつかまたは各々がそれぞれのポイントの第１のコードワードに関連し得る、各ポイントの第２のコードワードについての空間差分ポイント毎ＣＱＩ（ＲＩ＞１である場合）。
●１つのポイントの第１のコードワードについてのポイント毎ＣＱＩ、（そのいくつかまたは各々が第１のポイントの第１のコードワードに関連し得る）他の各ポイントの第１のコードワードについての差分ポイント毎ＣＱＩ、そのいくつかまたは各々が第１のポイントの第１のコードワードに、またはそれぞれのポイントの第１のコードワードに関連し得る、各ポイントの第２のコードワードについての差分ポイント毎ＣＱＩ（例えば、ＲＩ＞１である場合）。および／または
●いくつかまたはすべてのポイントからのジョイント送信を仮定した、第１のコードワードについてのアグリゲートＣＱＩ、いくつかまたはすべてのポイントからのジョイント送信を仮定した、第２のコードワードについての空間差分アグリゲートＣＱＩ（例えば、ＲＩ＞１である場合）。
−ＰＭＩまたは第２のＰＭＩを含み得る報告（例えば、１ａ、２、２ｂ、５）では、
●８未満のアンテナポートを有するいくつかまたは各ポイントについてのポイント毎ＰＭＩ、８つのアンテナポートを有するいくつかまたは各ポイントについての第２のＰＭＩ。
●第１以外の各ポイントについての、第１のポイントとこのポイントの間の少なくとも１つの位相オフセット。および／または
●１または複数の結合インジケータ（例えば、ポイント間の共位相行列を指示し得る単一のインジケータ）。および／または
−少なくとも１つのポイントが８つのアンテナポートを有し得る場合、
●報告２ａまたは２ｃは、８つのアンテナポートを有するポイントについての第１のＰＭＩを含み得、いくつかの実施形態では、報告２ａまたは２ｃは、８つのアンテナポートを有するポイントについての第１のＰＭＩのみを含み得る。
【０２４６】
１または複数の実施形態では、ＴＳＩを含む企図される報告タイプは、ＣＳＩがフィードバックされ得るポイントの順序（例えば、ポイントのベクトル）も含み得る。そのような場合、ＴＳＩ後に生じ、ポイントの順序がフィードバックされた、フィードバック報告は、第１のポイントについてのものであり得る。フラグについての事前定義された値をフィードバックしたときに、それに関して将来の報告が調整され得るポイントが、順序付けられたポイントのベクトル内における次のポイントに循環的に遷移するように、今のところ定義されていない単一ビットフラグが、企図される報告タイプのいずれかに追加され得る。あるいは、または加えて、１または複数の実施形態では、ポイントの順序は、ネットワークによってＷＴＲＵに通信され得る。
【０２４７】
１または複数の実施形態では、ＷＴＲＵは、Ｒｅｌ−１０周期的フィードバックモードで構成され得る。実施形態は、ＷＴＲＵが、サブフレーム番号をポイントならびに／またはＴＳＩおよび／もしくはＰＩに関連付け得る、周期および／またはオフセットを用いて構成され得ることを企図している。いくつかまたはすべてのフィードバック報告は、サブフレームが関連付けられるポイントに関して調整され得、いくつかの実施形態では、いくつかまたはすべてのフィードバック報告は、サブフレームが関連付けられるポイントに関して調整されなければならない。
【０２４８】
１または複数の実施形態では、ＴＳＩおよび／もしくはＰＩを含む報告タイプ、またはより高位のレイヤのシグナリング、またはサブフレーム番号は、フィードバック報告がアグリゲート値についてのものか、それともポイント毎値についてのものかについての情報も、明示的または暗黙的に含み得る。アグリゲートフィードバックは、直近に報告されたＰＩに関する報告タイプの調整を除去することによって、および／または直近にフィードバックされたＴＳＩに関していくつかもしくはすべてのアグリゲート報告タイプを調整することによって、達成され得る。あるいは、または加えて、アグリゲートフィードバックは、事前選択されたポイントのフィードバックに関して調整され得る差分値を送信することによって、達成され得る。事前選択されるポイントは、限定することなく、最高のポイント毎ＣＱＩなどのメトリックによって、決定され得る。例えば、ポイント１は、基準ポイントと見なされ得、したがって、ＰＩがポイント１フィードバックを示す場合、ＣＱＩは、ポイント１のポイント毎ＣＱＩを表し得る。１または複数の実施形態では、ＰＩが他のポイントを示す場合、ＣＱＩは、例えば、アグリゲートＣＱＩを提供するために、（ポイント１ポイント毎ＣＱＩと比較した）差分値を表し得る。
【０２４９】
実施形態は、送信ポイントおよび／または状態間の循環的な遷移に基づき得る、周期的フィードバックを企図している。１または複数の実施形態では、ＷＴＲＵは、ポイント間を循環的に遷移するための、あるフィードバック報告タイプを可能にすることによって増強された、Ｒｅｌ−１０報告モードの１つを用いて構成され得る。例えば、ＲＩが構成される場合、ＷＴＲＵは、いくつかまたはすべてのポイントについての少なくとも１つの値（すなわち、アグリゲートＲＩ）を、いくつかの実施形態では、おそらく、いくつかまたはすべてのポイントについてのただ１つの値をフィードバックし得る。１または複数の実施形態では、いくつかまたは各連続的ＲＩ報告は、異なるポイントのランクを表し得る。それに関してＲＩ報告が構成され得るポイントは、ベクトル内のポイント間を循環的に遷移することによって獲得され得る。ポイントのベクトルは、例えば、直近のＴＳＩおよび／もしくはＰＩから暗黙的に決定され得、または今のところ定義されていない報告タイプでＷＴＲＵによって明示的にフィードバックされ得、またはより高位のレイヤのシグナリングを介してネットワークによって事前構成され得る。１または複数の実施形態では、ＷＴＲＵがＲＩ循環を使用する場合、ＲＩ報告のポイント毎期間は、Ｎpoints×ＭRI×Ｎpdになり得る（ここで、Ｎpointsは、ポイントの総数であり、ＲＩ報告の報告間隔は、例えば、文献（非特許文献１を参照）で定義されるようなＣＱＩ／ＰＭＩ報告期間Ｎpdの整数（ＭRI）倍である）。
【０２５０】
広帯域ＣＱＩ／ＰＭＩ報告が構成され得る場合、ＷＴＲＵは、ＣＱＩ／ＰＭＩに関する各連続的報告のために、いくつかのポイントまたは各ポイント間を循環的に遷移し得る。そのような場合、いくつかまたは各ポイントのＣＱＩ／ＰＭＩが報告される周期性は、Ｎpoints×Ｎpdによって与えられ得る。実施形態は、ＰＭＩが２つの部分（例えば、ＰＭＩ１およびＰＭＩ２）で示され得る場合、各プリコーディング行列についてのポイントの循環が、従属的または独立であり得ることを企図している。例えば、単一ポイント報告モード２−１では、ＰＴＩ＝０である場合、以下の報告順序が構成され得る。
【０２５１】
Ｗ−ＰＭＩ１、Ｗ−ＣＱＩ／Ｗ−ＰＭＩ２、Ｗ−ＣＱＩ／Ｗ−ＰＭＩ２、Ｗ−ＣＱＩ／Ｗ−ＰＭＩ２、Ｗ−ＰＭＩ１、Ｗ−ＣＱＩ／Ｗ−ＰＭＩ２、Ｗ−ＣＱＩ／Ｗ−ＰＭＩ２、Ｗ−ＣＱＩ／Ｗ−ＰＭＩ２．．．
（ここで、Ｗは、広帯域を意味し、ＰＭＩ１は、第１のプリコーダ行列インジケータを意味し、ＰＭＩ２は、第２のプリコーダ行列インジケータを意味する）。ポイント間を循環的に遷移する場合、以下の例は、Ｗ−ＰＭＩ１およびＷ−ＰＭＩ２の循環が従属的であり得ることを示している。
【０２５２】
Ｗ−ＰＭＩ１a、Ｗ−ＣＱＩ／Ｗ−ＰＭＩ２a、Ｗ−ＣＱＩ／Ｗ−ＰＭＩ２a、Ｗ−ＣＱＩ／Ｗ−ＰＭＩ２a、Ｗ−ＰＭＩ１b、Ｗ−ＣＱＩ／Ｗ−ＰＭＩ２b、Ｗ−ＣＱＩ／Ｗ−ＰＭＩ２b、Ｗ−ＣＱＩ／Ｗ−ＰＭＩ２b．．．
【０２５３】
１または複数の従属的な方法では、実施形態は、循環が１つの報告タイプ（例えば、ＰＭＩ１）について、いくつかの実施形態では、おそらく、ただ１つの報告タイプについて発生し得、他の報告タイプは、循環的な報告タイプのために使用されるポイントに関して調整され得ることを企図している。あるいは、実施形態は、循環が独立であり得ることを企図している。
【０２５４】
Ｗ−ＰＭＩ１a、Ｗ−ＣＱＩ／Ｗ−ＰＭＩ２a、Ｗ−ＣＱＩ／Ｗ−ＰＭＩ２b、Ｗ−ＣＱＩ／Ｗ−ＰＭＩ２c、Ｗ−ＰＭＩ１b、Ｗ−ＣＱＩ／Ｗ−ＰＭＩ２a、Ｗ−ＣＱＩ／Ｗ−ＰＭＩ２b、Ｗ−ＣＱＩ／Ｗ−ＰＭＩ２c．．．
（文字の添字は、異なるポイントを表すために使用されている）。
実施形態は、従属的循環および独立循環の概念が、報告タイプのいずれかに帰され得ることを企図している。従属的循環の場合、いくつかの実施形態では、１つの報告タイプは、別の報告タイプのポイント従属がそれに関して調整され得る、アンカと見なされ得る。例えば、広帯域ＣＱＩ／ＰＭＩとサブバンドＣＱＩの両方が構成されるケースで、サブバンドＣＱＩが広帯域ＣＱＩにアンカされる場合、サブバンド報告がそれに関して調整され得るポイントは、直近の広帯域ＣＱＩについてのポイントに従属し得る。説明的な例として、モード２−０では、単一ポイントおよび２つの帯域幅部分について、報告は、
Ｗ−ＣＱＩ、Ｓ−ＣＱＩ1、Ｓ−ＣＱＩ2、Ｓ−ＣＱＩ1、Ｓ−ＣＱＩ2、Ｗ−ＣＱＩ、Ｓ−ＣＱＩ1、Ｓ−ＣＱＩ2、Ｓ−ＣＱＩ1、Ｓ−ＣＱＩ2．．．
であり得る。
（数字の添字は、サブバンド番号を示す）。
【０２５５】
実施形態は、ポイント間を循環的に遷移する場合、以下が、サブバンドＣＱＩと広帯域ＣＱＩの間の循環従属の一例を示すことを企図している。
【０２５６】
Ｗ−ＣＱＩa、Ｓ−ＣＱＩ1,a、Ｓ−ＣＱＩ2,a、Ｓ−ＣＱＩ1,a、Ｓ−ＣＱＩ2,a、Ｗ−ＣＱＩb、Ｓ−ＣＱＩ1,b、Ｓ−ＣＱＩ2,b、Ｓ−ＣＱＩ1,b、Ｓ−ＣＱＩ2,b．．．
そのような場合、広帯域ＣＱＩの周期性は、Ｎpoints×Ｈ×Ｎpdによって与えられる（Ｈは、例えば、文献（非特許文献１を参照）で定義されるような広帯域ＣＱＩ／広帯域ＰＭＩ報告の周期性を決定するために使用される整数乗数である）。
【０２５７】
１または複数の実施形態について、以下は、広帯域ＣＱＩとサブバンドＣＱＩの間の循環独立の一例を示している。
【０２５８】
Ｗ−ＣＱＩa、Ｓ−ＣＱＩ1,a、Ｓ−ＣＱＩ2,a、Ｓ−ＣＱＩ1,b、Ｓ−ＣＱＩ2,b、Ｗ−ＣＱＩb、Ｓ−ＣＱＩ1,a、Ｓ−ＣＱＩ2,a、Ｓ−ＣＱＩ1,b、Ｓ−ＣＱＩ2,b．．．
１または複数の実施形態は、ポイント間を循環的に遷移する前に、サブバンド報告が、連続的報告において、少なくとも１つのポイントのいくつかまたはすべての帯域幅部分間を循環的に遷移し得ることを企図している。あるいは、または加えて、連続的報告において、帯域幅部分間を循環的に遷移する前に、帯域幅部分を一定に保ちながら、異なるポイントについてのいくつかまたはすべてのサブバンド報告間を循環的に遷移し得るように、循環の順序は逆転され得る。実施形態は、循環および／または循環の従属性が、報告タイプの任意の組み合わせ、および任意の報告モードに適用可能であり得ることを企図している。１または複数の実施形態では、循環は、いくつかまたはすべてのポイントにわたって、およびアグリゲートまたはポイント毎フィードバックの２つの仮定においても、行われ得る。
【０２５９】
実施形態は、ＲＲＣレイヤにおいて生成される測定報告を使用して、複数の送信ポイントからチャネル状態情報を報告するための技法を企図している。１または複数の実施形態では、ＷＴＲＵは、送信ポイントのサブセットについて、送信されたＣＳＩ−ＲＳ基準信号の測定に基づいて、受信信号強度（ＲＳＲＰ）、および／もしくは受信信号品質（ＲＳＲＱ）、ならびに／またはあるセルの送信ポイントのサブセットのパスロスを推定し得る。
【０２６０】
実施形態は、ＷＴＲＵが、あるセルの送信ポイントのサブセットの受信信号強度（ＲＳＲＰ）および／もしくは受信信号品質（ＲＳＲＱ）ならびに／またはパスロスを、送信ポイントのこのサブセットのために送信される（送信ポイント基準信号またはＴＰ−ＲＳと呼ばれ得る）これまで定義されていないタイプの基準信号に基づいて、推定し得ることも企図している。ＴＰ−ＲＳは、「マルチポート測定」サブフレームとして定義され得、そのパターンがより高位のレイヤによって提供され得る、特定のサブフレームの間に、いくつかの実施形態では、おそらく、特定のサブフレームの間にのみ、この方法に従って、ＣｏＭＰ対応ＷＴＲＵのために送信され得、ＣｏＭＰ対応ＷＴＲＵによって受信され得る。そのようなサブフレームは、レガシＷＴＲＵが、例えば、これらのサブフレーム内で、ある測定および関連する処理を実行しようと試みるのを防止するために、ＭＢＳＦＮサブフレームのサブセットとして含まれ得る。
【０２６１】
実施形態は、異なる（近隣）送信ポイントから受信される信号間の潜在的な電力不平衡に起因する精度の低下を防止するために、これらのポイントから送信されるＴＰ−ＲＳが、異なるＯＦＤＭシンボルで送信され得ることを企図している。
【０２６２】
その測定のためにＣＳＩ−ＲＳまたはＴＰ−ＲＳを使用して、ＷＴＲＵは、その後、同じおよび／または異なるセルのいくつかまたは各送信ポイントのＲＳＲＰ値またはＲＳＲＱ値を別々に報告し得る。ＲＲＣ測定報告に基づいて、ネットワークは、ＣＳＩ報告のために、送信ポイントのサブセットを用いて、ＷＴＲＵを明示的に構成し得る。実施形態は、より高位のレイヤのＣＳＩ−ＲＳ毎またはＴＰ−ＲＳ毎ＲＳＲＰ測定が、例えば、とりわけ、ＣＳＩ測定報告の目的でＷＴＲＵが使用し得る、１組のＣＳＩ−ＲＳリソースを管理するために、ネットワークによって使用され得ることを企図している。
【０２６３】
より具体的には、ＷＴＲＵは、おそらく、測定構成の一部として、送信ポイント、測定するＣＳＩ−ＲＳまたはＴＰ−ＲＳ（ポート）のリストを用いて構成され得る。構成は、サービングセルに関連するＣＳＩ−ＲＳもしくはＴＰ−ＲＳのリスト（例えば、ＷＴＲＵのサービングセル、プライマリサービングセル、もしくは代替的に、セカンダリセルから送信されるＣＳＩ−ＲＳもしくはＴＰ−ＲＳ）、特定のＰＣＩに関連付けられるＣＳＩ−ＲＳもしくはＴＰ−ＲＳのリスト、および／または任意のＰＣＩに関連付けられ得るＣＳＩ−ＲＳもしくはＴＰ−ＲＳのリストのうちの１つまたは組み合わせに対応し得る、ＣＳＩ−ＲＳまたはＴＰ−ＲＳ構成の少なくとも１つのサブセットを含み得る。
【０２６４】
実施形態は、より高位のレイヤの測定のために使用され得るＣＳＩ−ＲＳまたはＴＰ−ＲＳの構成が、以下の構成パラメータのうちの少なくとも１つを含み得ることを企図している。
−アンテナポートカウント（例えば、１、２、４、または８）。
−リソース構成（例えば、ＣＳＩ−ＲＳまたはＴＰ−ＲＳのリソース要素構成）。
−サブフレーム構成（例えば、ＣＳＩ−ＲＳまたはＴＰ−ＲＳが送信されるサブフレーム）。
−ＰＤＳＣＨ  ＥＰＲＥ対ＣＳＩ−ＲＳ  ＥＰＲＥの仮定される比（例えば、Ｐｃ値）。
−仮想セル識別情報など、ＣＳＩ−ＲＳのための疑似ランダム系列の初期値を導出するために使用される少なくとも１つのパラメータ。１または複数の実施形態では、いくつかまたは各々のポートまたはポートのサブセットは、独自の疑似ランダム系列初期化構成を有し得る。および／または
−関連するＰＣＩ。このパラメータは、ＣＳＩ−ＲＳまたはＴＰ−ＲＳが、サービングセルまたはＰｃｅｌｌとは異なるセルに対応する場合に含まれ得る。加えて、このパラメータは、異なるセルのＣＳＩ−ＲＳが、ＲＳＲＰ測定のために構成され得る場合に含まれ得る。
１または複数の実施形態では、ネットワークは、例えば、ＷＴＲＵにおけるより高位のレイヤの測定セットのために含まれる、いくつかまたはあらゆるＣＳＩ−ＲＳについて、上で説明されたパラメータの完全な組または部分的な組を構成し得る。
【０２６５】
あるいは、または加えて、１または複数の実施形態は、例えば、シグナリングを最適化するためなど、数々の理由で、先に説明された構成のサブセットが、構成された送信ポイントにわたって共通であり得る（例えば、１つのパラメータが、いくつかまたはすべての送信ポイントに提供され得る）ことを企図している。残りのサブセットは、いくつかまたは各送信ポイント構成について個別に、ＷＴＲＵに提供され得る。例えば、アンテナポートカウントは、共通パラメータであり得、リソース構成、サブフレーム構成、および／または疑似ランダム系列構成は、いくつかまたは各々の提供される送信ポイント（ＣＳＩ−ＲＳまたはＴＰ−ＲＳ）について異なり得る。
【０２６６】
別の例では、サブフレーム構成も、より高位のレイヤの測定のために構成される送信ポイントにわたっての共通構成パラメータであり得る。より具体的には、そのような一例では、ＷＴＲＵ測定セット構成は、１つのサブフレーム構成と、潜在的に１つのアンテナポート構成とを含み得（または代替的に、デフォルトアンテナポート構成（例えば、２）が仮定され得）、その後に、限定することなく、リソース構成および／または疑似ランダム系列構成を含み得る、独立の送信ポイント（例えば、ＣＳＩ−ＲＳまたはＴＰ−ＲＳ）パラメータ構成が続く。
【０２６７】
さらなる例として、１つのＣＳＩ−ＲＳまたはＴＰ−ＲＳ構成は、ポートの複数のサブセットを有し得、各々は個々に系列を生成する。これは、異なるＷＴＲＵのための異なるＣＳＩ−ＲＳ構成を管理するために、ネットワークを柔軟にすることを可能にし得る。この場合、ＷＴＲＵは、複数系列イニシエータ、およびいくつかまたは各初期化が適用可能であり得るポートを通知され得る。あるいは、または加えて、ＷＴＲＵは、構成されたセルにおいて送信（および検出）されたＣＳＩ−ＲＳのブラインド復号を行い得、ならびに／またはＣＳＩ−ＲＳのＲＳＲＰの測定を試み得る。ＣＳＩ−ＲＳまたはＴＰ−ＲＳのブラインド復号をＷＴＲＵが行うのを支援するため、ＷＴＲＵは、デフォルトアンテナポートカウント（例えば、２アンテナポート構成）を所与として、または構成されたアンテナポートカウントを所与として、ＣＳＩ−ＲＳを探索するためのサブフレーム構成を提供され得る。加えて、または代替として、実施形態は、ネットワークが、ブラインド復号のために使用される少なくともいくつかのサブフレームを構成し得ることを企図している。これらのサブフレームまたは他の任意のサブフレームでは、同じ系列生成初期化が、いくつかまたはすべてのＣＳＩ−ＲＳまたはＴＰ−ＲＳリソースについて使用され得る。系列生成初期化は、例えば、マクロセルの実際のＰＣＩによって獲得され得る。
【０２６８】
実施形態は、ＷＴＲＵが、ＣＳＩ−ＲＳの潜在的な送信を検出するために、アンテナポートカウントに対するＣＳＩ−ＲＳが送信され得る、いくつかのリソース要素またはすべての可能なリソース要素を調べ得ることを企図している。１または複数の実施形態では、より高位のレイヤの測定をネットワークに報告する場合、ＷＴＲＵは、ＣＳＩ−ＲＳが検出されたリソース要素を、ＲＳＲＰとともに報告し得る。これは、ネットワークが、測定がどのＣＳＩ−ＲＳに対応し得るかを決定し、ならびに／またはＣＳＩ報告セットおよび／もしくはＣｏＭＰセットを適切に構成することを可能にし得る。１または複数の実施形態では、ＷＴＲＵは、これらのリソース要素のロケーションを示し得るリソース構成インデックス（またはｒｅｓｏｕｒｃｅＣｏｎｆｉｇパラメータ）を、ＲＳＲＰとともに報告し得る。ＷＴＲＵが送信ポイントを復号するのをさらに支援するために、１または複数の実施形態では、ネットワークは、ＷＴＲＵが復号し得る（または少なくとも復号しようと試み得る）ＣＳＩ−ＲＳポイントについてのスクランブリング構成を、構成されたサブフレームで提供し得る。
【０２６９】
あるいは、または加えて、１または複数の実施形態は、その系列が（例えば、もはやゴールド系列ではなく、ＣＡＺＡＣ系列により類似した）互いの循環シフトであり得る、ＣＳＩ−ＲＳを企図しており、その場合、スクランブリング構成が事前にＷＴＲＵに提供される必要はあり得ない。そのような場合、いくつかまたはすべての協調ポイントは、同じルート系列を共有し得る。１または複数の実施形態は、ルート系列が、例えば、ネットワークによって事前構成され得、より高位のレイヤを介してＷＴＲＵに通信され得る方法で、サブフレーム番号に基づいて調整され得ることを企図している。また、１または複数の実施形態は、いくつかまたは各送信ポイントについて、ＷＴＲＵが、例えば、報告基準の評価のために、または測定基準のために使用し得る測定品質を維持および／または測定し得ることを企図している。
【０２７０】
限定することなく、例として、測定構成メッセージは、情報の１つまたは組み合わせをＷＴＲＵに提供し得る。例えば、情報は、サービングセル物理識別情報に属し得る、または属し得ない、複数ポイント送信ＣＳＩ−ＲＳまたはＴＰ−ＲＳ報告の目的で（いくつかの実施形態では、おそらく、複数ポイント送信ＣＳＩ−ＲＳまたはＴＰ−ＲＳ報告の目的のみで）使用され得る、１組の測定識別情報を含み得る。情報は、ＷＴＲＵがいくつかまたはすべてのセルおよび／または送信ポイントにわたって使用し得る、少なくとも１つの測定対象に関連付けられる、１組の測定識別情報を含み得る。さらに、情報は、構成されたＰＣＩ（例えば、サービングセル）について送信ポイント毎ＣＳＩ−ＲＳまたはＴＰ−ＲＳを測定するようにＷＴＲＵを構成することを示す表示を含み得る。この構成は、測定識別情報もしくは測定対象もしくは報告構成に固有であり得、または代替として、いくつかもしくはすべての測定識別情報および／もしくはイベントにわたって適用され得る。別の例では、情報は、ＣＳＩ−ＲＳまたはＴＰ−ＲＳのリストに加えて、ＣＲＳを測定するようにＷＴＲＵを構成することを示す表示を含み得る。別の例では、ＷＴＲＵは、リストの存在に基づいて、異なる送信ポイントを測定し得る、またおそらく、いくつかの実施形態では、測定しなければならないことを決定し得る。これらの測定が実行され得る（いくつかの実施形態では、おそらく、実行されるべき）、またＷＴＲＵが基準評価のためにそれらを使用し得る、測定識別情報は、測定構成メッセージで明示的に示され得る。あるいは、ＷＴＲＵは、いくつかまたはすべての測定識別情報にわたってそれらを適用し得る。別の例では、情報は、サブセット内の送信ポイントの測定がどの測定識別情報に適用され得るかを示す明示的な表示を含み得る。
【０２７１】
測定イベントおよび識別情報の範囲は、異なる配備およびネットワークに応じて変化し得るが、しかしながら、ＷＴＲＵは、１または複数の測定イベントを用いて構成され得る。例えば、測定イベントは、イベントＡ４を含み得る。この例では、近隣セルの品質は、構成された期間の間は、構成された閾値よりも良好になり得る。送信ポイントの品質は、構成された期間の間は、構成された閾値よりも良好になり得るので、このイベントは、複数の送信ポイントのＣＳＩ−ＲＳまたはＴＰ−ＲＳを測定することを示す表示を用いて構成される場合、ＷＴＲＵによって解釈され得る。加えて、ＷＴＲＵは、サービングセルの送信ポイント内に、またいくつかの実施形態では、おそらく、サービングセルの送信ポイント内のみに、このイベントの送信を制限し得る。別の例では、新しいまたは新規イベントが、ポイントの信号強度が、オフセットの、および１組のポイントの最悪信号強度の合計よりも良好になり得るときを（または等価的に、ポイントの信号強度が、オフセットの、および１組のポイントのいずれかの最悪信号強度の合計よりも良好になり得るときを）検出するように定義され得る。そのようなイベントでは、１組のポイントは、より高位のレイヤによって明示的に構成され得、またはＣｏＭＰ測定セット内の１組のポイントに対応し得る。１組のポイントは、任意のＣｏＭＰ測定セット（再）構成を用いて（再）構成され得、またはＣｏＭＰ測定セット（再）構成とは独立に（再）構成され得る。いくつかの実施形態では、オフセットは、より高位のレイヤによっても構成され得、ヒステリシス値を含み得る。実施形態は、そのような新しいまたは新規イベントが、例えば、おそらく、例えば、ＣｏＭＰ測定セットが、もはや最強ポイントを含み得ない場合はいつでも、またはＣｏＭＰ測定セット外のポイントの信号強度が、ＣｏＭＰ測定セット内のいくつかもしくはいずれかのポイントの信号強度よりも大きくなり得るときに、ネットワークが通知を受け得ることを保証するために、有益であり得ることを企図している。
【０２７２】
測定イベントの別の例では、イベントは、サービングセルの送信ポイントの品質が、構成された閾値よりも下がり得る場合とし得る。これは、イベントＡ４についての「ｒｅｐｏｒｔＯｎＬｅａｖｅ」ビットを設定することによっても構成され得る。一例では、送信ポイントの品質は、設定された期間の間は、閾値だけ、ＣＳＩ報告セットまたはＣｏＭＰセット内の送信ポイントの品質よりも良好になり得る。これは、例えば、ＣｏＭＰセットを維持するために使用され得る、これまで定義されていないイベントに対応し得る。
【０２７３】
ＷＴＲＵは、例えば、適切な測定基準評価、および複数の送信ポイントを用いても構成され得る他のセルとの比較を可能にするためなどの理由で、同じセル内または異なるセル内の複数の送信ポイントについて測定を実行し得るので、ＷＴＲＵは、様々な測定の１つまたは組み合わせを使用し得る。一例では、ＷＴＲＵは、いくつかまたはすべての構成された送信ポイントのＣＳＩ−ＲＳまたはＴＰ−ＲＳを測定するのに加えて、サービングセルおよび／または近隣セルにおけるＣＲＳ測定も実行し得、いくつかの実施形態では、ＣＲＳ測定は、Ｒ１０  ＣＲＳ測定であり得る。この例では、測定は、他のイベントについての比較の基礎として使用され得る。別の例では、ＷＴＲＵは、いくつかのセルまたは各セルについての最良の測定された送信ポイントを、他のイベントについての比較のための基準として使用し得る（例えば、イベントＡ３を評価およびトリガーするため、ＷＴＲＵは、サービングセル内の最良の送信ポイントの品質を考慮し得、いくつかの実施形態では、サービングセル内の最良の送信ポイントの品質のみを考慮し得る）。別の例では、ＷＴＲＵは、構成された場合は、いくつかまたは各々の構成されたサブセットの第１のＣＳＩ−ＲＳまたはＴＰ−ＲＳを使用し得る。別の例では、ＷＴＲＵは、異なる物理チャネル識別情報または異なるサブセットから測定されたＣＳＩ−ＲＳまたはＴＰ−ＲＳの関数または平均を使用し得る（例えば、あるいは、等式内で使用されるＣＳＩ−ＲＳまたはＴＰ−ＲＳは、構成されたＣｏＭＰセット（例えば、ＣＳＩ報告セット）内のＣＳＩ−ＲＳまたはＴＰ−ＲＳであり得る）。
【０２７４】
別の例では、ＷＴＲＵは、いくつかまたはすべての送信ポイント測定を使用し得、それらを異なるセルからの測定として扱い得る。その場合、いくつかまたはすべての構成されたイベントが、同じサービングセル内の送信ポイントについてトリガーされ得る。例えば、イベントＡ３は、サービングセル内で最良の送信ポイントに変化が生じ得た場合に、またはサービングセル内のいくつかもしくはすべての送信ポイントと比較されたときに、最良のセルに変化が生じ得た場合にトリガーされ得る。別の例では、ＷＴＲＵは、基準が満たされる送信ポイントが同じサブセットに属する場合に、イベントをトリガーし得る（例えば、あるイベントは、送信ポイントについて基準が満たされる場合にトリガーされ得る）。１または複数の実施形態では、ＷＴＲＵは、基準が満たされる送信ポイントが同じサブセットに属する場合にのみ、イベントをトリガーし得る（例えば、あるイベントは、送信ポイントについて基準が満たされる場合にのみトリガーされ得る）。
【０２７５】
企図される実施形態の１または複数では、ＣＳＩ−ＲＳまたはＴＰ−ＲＳについて行われる測定は、送信ポイント固有の構成されたイベントの評価のために、および／または送信ポイント測定品質報告を実行するために使用され得る。そのような実施形態では、レガシＣＲＳについて実行される近隣セル測定は、他のイベントおよび／または報告構成に対して独立に使用され得る。実施形態は、例えば、測定構成（例えば、ｍｅａｓＣｏｎｆｉｇ）によって、ＷＴＲＵが、サービングセルおよび／または異なるセルの１組の送信ポイントについての周波数内測定を実行するように要求され得ることを企図している。１または複数の実施形態では、ＷＴＲＵは、別の周波数にある１組の送信ポイントとの周波数間測定を実行するようにも要求され得る。
【０２７６】
１または複数の実施形態では、ＷＴＲＵは、ＣＳＩ−ＲＳまたはＴＰ−ＲＳ測定のために、構成されたイベントまたは構成が適用され得るＷＴＲＵにおそらく明示的に示され得る、測定対象および／または報告構成を用いて構成され得る。これは、以下の１つまたは組み合わせを使用して実行され得る。
−新しい測定対象が、ＣＳＩ−ＲＳまたはＴＰ−ＲＳについての送信ポイント測定のために定義され得る。１または複数の実施形態では、周波数についての２以上の測定対象（例えば、セル評価のための１つの測定対象、および送信ポイント評価のための１つの測定対象）が定義され得る。報告構成は、新しいＣｏＭＰセット測定イベント、または既存のイベント構成を含み得る。実施形態は、少なくとも１つの測定識別情報が、送信ポイントＣＳＩ−ＲＳもしくはＴＰ−ＲＳリストおよび／または報告構成を含み得る、関連する測定対象を有するように構成され得ることを企図している。
−１または複数の今のところ定義されていない目的が、報告構成ｒｅｐｏｒｔＣｏｎｆｉｇにおいて企図されている。１つの目的は、例えば、「ｒｅｐｏｒｔＭｅａｓＣＳＩ＿ＲＳ」に設定される目的に対応し得る。実施形態は、「ｒｅｐｏｒｔＭｅａｓＣＳＩ＿ＲＳ」に設定される目的を有する報告構成がＷＴＲＵによって受信され得る場合、ＷＴＲＵが、送信ポイントの基準信号（例えば、ＣＳＩ−ＲＳまたはＴＰ−ＲＳ）について測定を実行し得ることを企図している。報告構成は、追加の目的を有するイベントトリガーの構成、および／またはこの報告構成がＣＳＩ−ＲＳ測定のために使用され得る旨の識別子を含み得る。報告構成は、例えば、構成された期間内に、リストされたＣＳＩ−ＲＳを測定し、それらを報告するように、ＷＴＲＵに要求するために使用され得る。
−測定対象は、送信ポイントＣＳＩ−ＲＳまたはＴＰ−ＲＳ構成（例えば、ＣＳＩ−ＲＳまたはＴＰ−ＲＳ測定を実行する送信ポイントのリスト）を含み得る。これ以降で言及される場合、このリストは、「ｐｏｉｎｔｓＦｏｒＷｈｉｃｈＴｏＲｅｐｏｒｔＭｅａｓＣＳＩ＿ＲＳ」と呼ばれることがあり、構成は、先に説明された構成のいずれかに従い得る。および／または
−報告構成は、「ｐｏｉｎｔｓＦｏｒＷｈｉｃｈＴｏＲｅｐｏｒｔＭｅａｓＣＳＩ＿ＲＳ」情報を含み得る。
【０２７７】
実施形態は、測定基準（例えば、イベント）を用いてＷＴＲＵを構成するために、先に説明された技法のいずれかと併せて、報告構成が使用され得ることを企図している。リスト内の送信ポイントに対して、関連イベントについての基準が満たされ得る場合、測定報告がトリガーされ得る。１または複数の実施形態では、ＷＴＲＵは、例えば、送信ポイント測定を求める単発の要求によって、１組の送信ポイントを測定および／または報告するように要求され得る。例えば、これは、報告構成（例えば、ｒｅｐｏｒｔＣｏｎｆｉｇ）を使用することによって達成され得る。実施形態は、先に説明された１または複数の今のところ定義されていない目的（ｒｅｐｏｒｔＭｅａｓＣＳＩ＿ＲＳ）が、ＷＴＲＵに、構成された送信ポイントリストにおいて測定を実行し、いくつかの実施形態では、それらを報告するように指示するために使用され得る。ｒｅｐｏｒｔＣｏｎｆｉｇは、目的をｒｅｐｏｒｔＭｅａｓＣＳＩ＿ＲＳに設定し得、与えられた構成についてのイベントトリガーを構成することもあり、または構成しないこともある。ＷＴＲＵは、例えば、おそらく、いくつかもしくはすべての要求された送信ポイントが測定され得ると直ちに、測定を報告し得、または構成された期間後に、報告を送信し得る。１または複数の実施形態では、タイマの満了時に、ＷＴＲＵは、いくつかまたはすべての測定および／または検出されたＣＳＩ−ＲＳを報告し得る。
【０２７８】
１または複数の実施形態では、リストを測定すべき送信ポイントまたはＣＳＩ−ＲＳは、測定対象（例えば、周波数内測定対象）の一部として提供され得る。測定対象は、ＷＴＲＵが測定し得、１または複数の実施形態では、おそらく、測定すべき、ＣＳＩ−ＲＳ、ＴＰ−ＲＳ、および／または送信ポイントのリストを含み得る。これ以降で言及される場合、このリストは、ｐｏｉｎｔｓＦｏｒＷｈｉｃｈＴｏＲｅｐｏｒｔＭｅａｓＣＳＩ＿ＲＳと呼ばれることがある。そのような例では、報告構成は、報告タイプまたは目的（ｒｅｐｏｒｔＭｅａｓＣＳＩ＿ＲＳ）を含み得、報告基準をさらに含み得、報告基準は、既存のイベント（例えば、イベント４）または今のところ定義されていないイベントを含み得る。あるいは、または加えて、報告構成は、目的を「ｒｅｐｏｒｔＭｅａｓＣＳＩ＿ＲＳ」に設定し得（いくつかの実施形態では、おそらく、目的を「ｒｅｐｏｒｔＭｅａｓＣＳＩ＿ＲＳ」にのみ設定し得）、イベントを構成し得ない。そのような場合、ＷＴＲＵは、例えば、測定し得、提供された送信ポイントＣＳＩ−ＲＳを獲得し得（または少なくとも獲得しようと試み得）、一度測定された、または構成された時間内の測定品質を報告し得ることを示すために、そのような報告目的の存在を使用し得る。
【０２７９】
１または複数の実施形態では、ＷＴＲＵは、ｒｅｐｏｒｔＣｏｎｆｉｇの少なくとも１つを、「ｒｅｐｏｒｔＭｅａｓＣＳＩ＿ＲＳ」に設定された目的、および／または（例えば、ＣＳＩ−ＲＳ構成、ｐｏｉｎｔｓＦｏｒＷｈｉｃｈＴｏＲｅｐｏｒｔＭｅａｓＣＳＩ＿ＲＳを含む）対応する測定対象に結合し得る、送信ポイントＣＳＩ−ＲＳ報告のための少なくとも１つの測定識別情報を用いて構成され得る。
【０２８０】
１または複数の実施形態では、いくつかまたは各ｍｅａｓＩｄについて、実施形態は、対応するｒｅｐｏｒｔＣｏｎｆｉｇが、「ｒｅｐｏｒｔＭｅａｓＣＳＩ＿ＲＳ」に設定された目的を含み得ることを企図している。いくつかの実施形態では、ＷＴＲＵは、関連するｍｅａｓＯｂｊｅｃｔの周波数において、ＣＳＩ−ＲＳについての測定を実行し得る。例えば、ＣＳＩ−ＲＳについての補助情報がＷＴＲＵに提供され得ない場合、ＷＴＲＵは、おそらく、与えられたアンテナ構成におけるＣＳＩ−ＲＳについての知られた可能なリソース要素における構成されたサブフレームにおいて、ＣＳＩ−ＲＳを検出し得（または少なくとも検出しようと試み得）、構成された測定品質（例えば、ＲＳＲＰ）を測定し得る。さらなる例として、ＷＴＲＵは、ｃｅｌｌＦｏｒＷｈｉｃｈＴｏＲｅｐｏｒｔＭｅａｓＣＳＩ＿ＲＳにおいて見出される送信ポイントＣＳＩ−ＲＳまたはＴＰ−ＲＳについての測定を実行し得る。
【０２８１】
１または複数の実施形態では、いくつかまたは各ｍｅａｓＩｄについて、実施形態は、対応するｒｅｐｏｒｔＣｏｎｆｉｇが、ｒｅｐｏｒｔＭｅａｓＣＳＩ＿ＲＳに設定された目的を含み得ることを企図している。いくつかの実施形態では、ＷＴＲＵは、対応するＲｅｐｏｒｔＣｏｎｆｉｇにおいて提供されるイベント報告および／またはトリガーに適用可能な、ＶａｒＭｅａｓＣｏｎｆｉｇ内の対応するｍｅａｓＯｂｊｅｃｔ内に含まれ得る、「ｃｅｌｌＦｏｒＷｈｉｃｈＴｏＲｅｐｏｒｔＭｅａｓＣＳＩ＿ＲＳ」の値と一致する、与えられたセルにおいて検出された任意の送信ポイント（ＣＳＩ−ＲＳ）を検討し得る。
【０２８２】
１または複数の実施形態では、今のところ定義されていない測定対象が、ＷＴＲＵにおいて構成され得る。測定対象は、ｐｏｉｎｔｓＦｏｒＷｈｉｃｈＴｏＲｅｐｏｒｔＭｅａｓＣＳＩ＿ＲＳを含み得る。おそらく、とりわけ、例えば、サービングセルおよび／または他の任意のセルの送信ポイントについての測定を、ＷＴＲＵが行うことを可能にするために、そのような測定対象および／または報告構成が結び付けられ得る、少なくとも１つの測定識別情報が構成され得る。１または複数の実施形態では、いくつかまたは各ｍｅａｓＩＤについて、対応する測定対象は、含まれるｃｅｌｌＦｏｒＷｈｉｃｈＴｏＲｅｐｏｒｔＭｅａｓＣＳＩ＿ＲＳを有し得る。実施形態は、ＷＴＲＵが、与えられたセルにおいて検出され得、対応するＲｅｐｏｒｔＣｏｎｆｉｇにおいて提供されるイベント報告および／またはトリガーに適用可能な、ＶａｒＭｅａｓＣｏｎｆｉｇ内の対応するｍｅａｓＯｂｊｅｃｔ内に含まれ得る、「ｃｅｌｌＦｏｒＷｈｉｃｈＴｏＲｅｐｏｒｔＭｅａｓＣＳＩ＿ＲＳ」の値と一致し得る、任意の送信ポイント（ＣＳＩ−ＲＳ）を検討し得ることを企図している。
【０２８３】
実施形態は、測定構成の自律的な除去を企図している。１または複数の実施形態では、例えば、測定すべき送信ポイントが、サービングセル内に（いくつかの実施形態では、おそらく、サービングセル内にのみ）存在する送信ポイントに対応し得る場合、ＷＴＲＵは、サービングセル変更が発生し得る場合など、数々の理由で、１または複数の測定構成を自律的に除去し得る。さらなる例として、実施形態は、サービングセルの変更および／またはハンドオフが発生し得、その場合、ＷＴＲＵが、以下の測定構成の、すなわち、
−「ｒｅｐｏｒｔＭｅａｓＣＳＩ＿ＲＳ」に設定される目的を有し得る対応するｒｅｐｏｒｔＣｏｎｆｉｇを有する測定識別情報、
−測定すべきＣＳＩ−ＲＳリストを有し得る対応するｍｅａｓＯｂｊｅｃｔを有する測定識別情報（例えば、これは、今のところ定義されていない測定対象が、ＣＳＩ−ＲＳ測定目的のために導入され得る場合に使用され得る）、
−ｒｅｐｏｒｔＭｅａｓＣＳＩ＿ＲＳに設定される目的を有するｒｅｐｏｒｔＣｏｎｆｉｇ
の１つまたは組み合わせを自律的に除去し得、および／または
与えられた測定対象について、ｃｅｌｌＦｏｒＷｈｉｃｈＴｏＲｅｐｏｒｔＭｅａｓＣＳＩ＿ＲＳが、ＷＴＲＵのメモリから除去され得ることを企図している。
【０２８４】
送信ポイントについての測定イベント（例えば、報告構成）の１つに対応する基準が満たされ得る場合、および／またはＷＴＲＵが、報告構成内の要求に従って測定報告を送信することを決定し得る場合。ＷＴＲＵは、以下の情報のうちのいくつかもしくはすべて、すなわち、測定識別情報、サービングセルの物理チャネル識別情報、送信ポイント識別情報が、明示的なインデックスとし得る、もしくは送信ポイント構成の順序に基づいてＷＴＲＵによって暗黙的に決定され得る、元の構成メッセージにおいて提供される、送信ポイントインデックスに対応し得る（あるいは、送信ポイント識別情報が、例えば、仮想ＩＤがＷＴＲＵによって提供され得るシナリオの場合、測定リストの一部として提供され得る仮想セルＩＤを提供することによって、報告内で示され得、送信ポイント識別情報が、ＴＳＩおよび／もしくはＰＩを含み得る）、イベントをトリガーする送信ポイント識別情報および対応する測定結果、イベントをトリガーするＣＳＩ−ＲＳもしくはＴＰ−ＲＳが対応し得るサブセットのうちのいくつかもしくはすべてが含まれ、ネットワークに送信され得る、測定報告をトリガーし得、ならびに／または他の送信ポイントの測定も、報告内に含まれ得る。ブラインド検出の場合、実施形態は、基準信号が検出され得たＲＥが、報告内で示され得ることを企図している。ネットワークは、ＣｏＭＰセットを決定し、ＷＴＲＵがＣＳＩ報告を実行し得る１組の送信ポイントを決定し得る、セットを用いてＷＴＲＵを構成するために、この測定報告を使用し得る。１または複数の実施形態は、セカンダリサービングセル（Ｓｃｅｌｌ）における送信ポイントに等しく拡張され得、いくつかの実施形態では、特定のＳｃｅｌｌオフセットも定義され得る。
【０２８５】
あるいは、または加えて、ＷＴＲＵは、ＷＴＲＵが現在それを用いてサービスされ得ている、ポイントの協調クラスタに属し得ない、ＣｏＭＰリソース管理セット内の複数のポイントを用いて構成され得る。さらに、ネットワークは、そのようなポイントについて、いくつかの実施形態では、おそらく、そのようなポイントについてのみ使用される、オフセット値を構成し得る。１または複数の実施形態は、（例えば、測定および／またはオフセットの使用に基づいて）これらのポイントに関してイベントが発生する場合、ＷＴＲＵが、完全な１組の測定をネットワークに報告し得ることを企図している。あるいは、または加えて、ＷＴＲＵは、協調クラスタ外の、しかし、ＣｏＭＰリソース管理セット内のポイントの受信電力が、イベントをトリガーしたことを示すために、単一ビットフラグを報告し得る。これは、ネットワークが、例えば、モビリティを可能にするためなど、数々の理由で、より多くの測定を行うようにＷＴＲＵを構成するための、トリガーとして使用され得る。あるいは、または加えて、このイベントは、対応するポイントについてＵＬ強化セル間干渉キャンセレーションをトリガーするために、ネットワークによって使用され得る。１または複数の実施形態は、これらの技法が、協調クラスタの外部に配置された送信ポイントの近くのＷＴＲＵによって引き起こされる可能なＵＬ干渉を最小化するために使用され得ることを企図している。
【０２８６】
実施形態は、送信ポイントの１または複数の異なるサブセットのＣＳＩ−ＲＳの測定を企図している。１または複数の実施形態では、ＷＴＲＵは、異なる送信ポイント（またはそのサブセット）に関連付けられた１組のＣＳＩ−ＲＳを、異なるサブフレームにおいて測定し得る。ＷＴＲＵがその間に送信ポイントの特定のサブセットの１組のＣＳＩ−ＲＳを測定し得るサブフレームは、周期的に発生し得る。この場合、ＣＳＩ−ＲＳがその間に測定され得るサブフレームの周期性および／またはオフセットは、送信ポイントのいくつかまたは各サブセットについて異なり得る。１または複数の実施形態では、ＷＴＲＵは、サブフレーム構成（ＩCSI-RSおよび／もしくはｓｕｂｆｒａｍｅＣｏｎｆｉｇパラメータ）、ならびに／またはこの送信ポイントに固有のアンテナの数（ａｎｔｅｎｎａＰｏｒｔｓＣｏｕｎｔパラメータ）に従って、送信ポイントのＣＳＩ−ＲＳ基準信号を測定し得る。言い換えると、ＷＴＲＵは、例えば、単一の非ゼロ電力ＣＳＩ−ＲＳ構成の代わりに、２以上の非ゼロ電力ＣＳＩ−ＲＳ構成を提供され得る。この技法は、例えば、同じ地理的エリアに多数の送信ポイントを含むネットワークにおいて、ＣＳＩ−ＲＳ送信の構成について、より大きな柔軟性を可能にし得る。
【０２８７】
ＷＴＲＵは、異なる送信ポイント（またはそのサブセット）についての異なるサブフレームにおいて発生する、いくつかまたは各送信ポイント（またはそのサブセット）についての１組のゼロ電力ＣＳＩ−ＲＳ（またはミューティングパターン）も提供され得る。ＷＴＲＵは、少なくとも以下の目的で、すなわち、例えば、ＰＤＳＣＨ復号、ならびに／またはミュートされたリソース要素と同じＯＦＤＭシンボルにおいて発生する干渉の推定および／もしくは所望信号の推定などのＣＳＩ計算調整の目的で、これらのミューティングパターンの存在についての知識を利用し得る。１または複数の実施形態では、いくつかもしくはすべてのタイプのＣＱＩについての干渉を推定する目的で定義される、ミューティングパターン（いくつかの実施形態では、おそらく、単一のミューティングパターン）が、またはアグリゲートＣＱＩ、他のポイントにおけるミューティングを仮定しないポイント毎ＣＱＩ、および／もしくは他のポイントにおけるミューティングを仮定するポイント毎ＣＱＩなど、いくつかもしくは各タイプのＣＱＩについての干渉を推定する目的で定義される、別々のミューティングパターンが、存在し得る。
【０２８８】
１または複数の実施形態では、ＷＴＲＵは、異なる送信ポイントに関連付けられた１組のＣＳＩ−ＲＳを、異なるリソース要素ではあるが、同じサブフレームにおいて測定し得る。この技法は、例えば、信号が同じサブフレーム内で測定されるので、送信ポイント間の位相差が、より正確に測定され得るという利点を有し得る。
【０２８９】
より具体的には、１または複数の実施形態では、異なる送信ポイントに関連付けられるＣＳＩ−ＲＳは、時間領域における異なるＯＦＤＭシンボルで、ＷＴＲＵによって送信および／または測定され得る。そのような実施形態は、パスロスが異なり得る異なる送信ポイントから送信される信号間での受信電力の不平衡から生じ得る問題を最低限に抑え得る。いくつかの実施形態では、ＷＴＲＵは、送信ポイントのＣＳＩ−ＲＳ基準信号を、いくつかまたはすべての送信ポイントに共通であり得るＣＳＩ基準信号構成（ｒｅｓｏｕｒｃｅＣｏｎｆｉｇパラメータ）の代わりに、この送信ポイントに固有のＣＳＩ基準信号構成（および／またはアンテナポートの数）に従って測定し得る。そのような基準信号構成は、（例えば）いくつかまたは各送信ポイントについて、例えば、０から３１までの範囲の整数によって示され得、より高位のレイヤまたは物理レイヤのシグナリングによって提供され得る。
【０２９０】
図３Ａは、通常のＣＰサブフレームについての例示的なＣＳＩ−ＲＳポートマッピングを示している。送信ポイントにおける送信アンテナの数に従って、１組の示されるＣＳＩ−ＲＳポートが、ＣＳＩ測定のために使用され得る。いくつかの実施形態では、おそらく、ただ１組の示されるＣＳＩ−ＲＳポートが、ＣＳＩ測定のために使用され得る。１または複数の実施形態は、同じサブフレームにおいて２以上の送信ポイントの同時ＣＳＩ測定が達成され得ることを企図している。例えば、送信アンテナを４つ有するマクロｅＮＢと、各々が送信アンテナを２つ備える３つのリモート無線ヘッドとを含む、マルチポイント送信システムでは、ＣＳＩ−ＲＳは、図３Ｂに示されるように送信され得る。図３Ｂでは、（列１０および列１１の第１行および第７行に）示される４リソース要素セットが、マクロｅＮＢのＣＳＩ測定のために使用され得る。（例えば、２ＣＳＩ−ＲＳポートおよび４ＣＳＩ−ＲＳポートの第５列および第６列の第３行、４ＣＳＩ−ＲＳポートの第１２列および第１３列の第３行に）示される３つの２リソース要素セットが、リモート無線ヘッドＡ、Ｂ、および／またはＣなどの、３つのリモート無線ヘッドのＣＳＩ測定のために使用され得る。ＷＴＲＵは、マクロｅＮＢから送信されるＣＳＩ−ＲＳ、およびリモート無線ヘッドの少なくとも１つから送信されるＣＳＩ−ＲＳを測定するように構成され得る。これらは異なるＯＦＤＭシンボルで送信され得るので、これら２つのノードから送信されるＣＳＩ−ＲＳ間での潜在的な電力不平衡に起因する測定劣化は存在し得ない。
【０２９１】
１または複数の実施形態では、ＣＳＩ−ＲＳは、「マルチポート測定」サブフレームとして定義され得、そのパターンがより高位のレイヤによって提供され得る、特定のサブフレームの間に（いくつかの実施形態では、おそらく、特定のサブフレームの間にのみ）、ＣｏＭＰ対応のＷＴＲＵによって送信および／または受信され得る。いくつかの実施形態では、そのようなサブフレームは、レガシＷＴＲＵが、これらのサブフレームにおいて、ある測定および関連する処理を実行しようと試みるのを防止するために、ＭＢＳＦＮサブフレームのサブセットとして含まれ得る。
【０２９２】
１または複数の実施形態では、異なる送信ポイント（またはそのサブセット）は、少なくともＣＱＩを導出するために使用され得る、ＰＤＳＣＨ  ＥＰＲＥ対ＣＳＩ−ＲＳ  ＥＰＲＥの比（またはｐ−Ｃパラメータ）の異なる値に関連付けられ得る。ＷＴＲＵが与えられた送信ポイント（もしくはそのサブセット）に関連付けられたＣＳＩを推定し得る場合、またはいくつかの実施形態では、推定し得る場合はいつでも、ＷＴＲＵは、この送信ポイント（またはそのサブセット）についての比の適切な値を決定し得、ＣＳＩを計算するために、それを使用し得る。各送信ポイントまたはそのサブセットについての比の値は、より高位のレイヤ（例えば、ＲＲＣシグナリング）によって提供され得る。ＷＴＲＵが少なくとも１つの共通基準信号（ＣＲＳ）に基づいてＣＳＩを推定し得る、１または複数の実施形態では、ＷＴＲＵは、与えられた送信ポイントに関連付けられたＣＳＩを、例えば、この送信ポイントに固有のセル固有のＲＳ  ＥＰＲＥ（パラメータｒｅｆｅｒｅｎｃｅＳｉｇｎａｌＰｏｗｅｒ）の値を使用することによって、推定し得る。
【０２９３】
本明細書の説明に鑑みると、また図４を参照すると、例示的な実施形態は、少なくとも部分的に、４０２において、１または複数の送信ポイントを識別するように構成され得る、無線送受信デバイス（ＷＴＲＵ）を企図している。１または複数の送信ポイントは、チャネル状態情報（ＣＳＩ）報告のために構成され得る。ＷＴＲＵは、４０４において、１または複数の送信ポイントに対するＣＳＩを生成するようにさらに構成され得る。また、ＷＴＲＵは、４０６において、ＷＴＲＵと通信する１または複数のノードにＣＳＩを送信するように構成され得る。実施形態は、１または複数の送信ポイントが、ＷＴＲＵと通信する少なくとも１つのアンテナポートを含み得ることを企図している。実施形態は、１または複数の送信ポイントが、ＣＳＩ基準信号（ＣＳＩ−ＲＳ）リソースであり得ることも企図している。実施形態は、４０８において、ＷＴＲＵが、ＷＴＲＵの物理レイヤよりも高位の１または複数の論理レイヤからのシグナリングを介して、１または複数の送信ポイントの表示を受信するようにさらに構成され得ることを企図している。
【０２９４】
実施形態は、ＷＴＲＵが、４１０において、少なくとも部分的に、１または複数の送信ポイントからそれぞれ送信され得る信号の少なくとも１つの特徴に基づいて、１または複数の送信ポイントを決定するようにさらに構成され得ることを企図している。実施形態は、少なくとも１つの特徴が、例えば、信号強度、信号品質、またはチャネル品質のうちの少なくとも１つであり得ることを企図している。実施形態は、ＷＴＲＵが、４１２において、１または複数の送信ポイントの１または複数のサブセットを識別するようにさらに構成され得ることも企図している。実施形態は、１または複数の送信ポイントが、１または複数のサブフレームでのＣＳＩ報告のためにさらに構成され得ることを企図している。実施形態は、ＷＴＲＵが、４１４において、少なくとも１つのサブセットに対するＣＳＩを、少なくとも１つのサブフレームで送信するようにさらに構成され得ることを企図している。実施形態は、少なくとも１つのサブフレームが、少なくとも部分的に、システムフレーム番号またはサブフレーム番号の少なくとも一方に基づいて、決定され得ることを企図している。実施形態は、ＷＴＲＵが、４１６において、周期的方法または非周期的方法の少なくとも一方で、少なくとも１つのサブセットに対するＣＳＩを、少なくとも１つのサブフレームで送信するようにさらに構成され得ることも企図している。
【０２９５】
実施形態は、無線送受信ユニット（ＷＴＲＵ）によって実行され得る１または複数の方法を企図している。図５を参照すると、１または複数の実施形態は、５０２において、Ｋ個の送信ポイントを識別することを含み得、Ｋ個の送信ポイントは、チャネル状態情報（ＣＳＩ）報告のために構成され得、Ｋは、整数とし得る。実施形態は、５０４において、Ｋ個の送信ポイントの１または複数に対するＣＳＩを生成することをさらに含み得る。加えて、実施形態は、５０６において、ＷＴＲＵと通信する１または複数のノードにＣＳＩを送信することを含み得る。また、実施形態は、５０８において、Ｋ個の送信ポイントによってそれぞれ送信され得る、ＣＳＩ基準信号（ＣＳＩ−ＲＳ）または共通基準信号（ＣＲＳ）の少なくとも一方を受信することを含み得る。実施形態は、Ｋ個の送信ポイントの識別が、少なくとも部分的に、受信されたＣＳＩ−ＲＳまたはＣＲＳに基づき得ることを企図している。１または複数の実施形態では、ＣＳＩの生成は、５１０において、Ｋ個の送信ポイントの１または複数についてのジョイントランク表示またはポイント毎ランク表示の少なくとも一方を生成することを含み得る。１または複数の実施形態では、ＣＳＩの生成は、５１２において、ジョイントチャネル品質インデックス（ＣＱＩ）を生成することを含み得、ジョイントＣＱＩは、Ｋ個の送信ポイントの１または複数の上でのジョイント送信に対応し得る。
【０２９６】
実施形態は、Ｋ個の送信ポイントの１または複数の上でのジョイント送信が、少なくとも１つのコードワードのそれであり得ることを企図している。実施形態は、例えば、ジョイントＣＱＩが、同期的ジョイントＣＱＩまたは非同期的ジョイントＣＱＩの少なくとも一方を含み得ることも企図している。実施形態は、ＣＳＩの生成が、５１４において、Ｋ個の送信ポイントの１または複数についてのプリコーディング行列インジケータ（ＰＭＩ）を生成することを含み得ることも企図している。
【０２９７】
図６を参照すると、実施形態は、少なくとも部分的に、６０２において、１または複数の送信ポイントを識別するように構成され得る、無線送受信デバイス（ＷＴＲＵ）を企図しており、１または複数の送信ポイントは、チャネル状態情報（ＣＳＩ）報告のために構成され得る。６０４において、ＷＴＲＵは、１または複数の送信ポイントについての送信状態（またはＣＳＩプロセス）を決定するように構成され得る。６０６において、ＷＴＲＵは、１または複数の送信ポイントに対するＣＳＩを生成するように構成され得る。６０８において、ＷＴＲＵは、１または複数の送信ポイントそれぞれについての送信状態（またはＣＳＩプロセス）の表示を受信するようにさらに構成され得、送信状態（またはＣＳＩプロセス）の表示は、例えば、送信状態、干渉状態、ブランク状態、または未知状態のうちの１または複数を含み得る。６１０において、ＷＴＲＵは、１または複数の送信ポイントについての決定された送信状態を、１または複数の送信ポイントについての事前決定された送信状態と比較するようにさらに構成される。ＷＴＲＵは、１または複数の送信ポイントそれぞれの送信状態（またはＣＳＩプロセス）が、事前決定された送信状態（またはＣＳＩプロセス）にある場合、６１２において、ＷＴＲＵと通信する１または複数のノードに、１または複数の送信ポイントそれぞれに対するＣＳＩを送信するようにも構成され得る。
【０２９８】
上では特徴および要素が特定の組み合わせで説明されたが、各特徴または要素は、単独で使用され得、または他の特徴および要素との任意の組み合わせで使用され得ることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施され得る。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサは、ＷＴＲＵ、ＵＥ、端末、基地局、ＲＮＣ、または任意のホストコンピュータのための無線周波送受信機を実施するために使用され得る。
【図１Ａ】
2020129834.tif 000022
【図１Ｂ】
2020129834.tif 000023
【図１Ｃ】
2020129834.tif 000024
【図２】
2020129834.tif 000025
【図３Ａ】
2020129834.tif 000026
【図３Ｂ】
2020129834.tif 000027
【図４】
2020129834.tif 000028
【図５】
2020129834.tif 000029
【図６】
2020129834.tif 000030